(57)【要約】本技術は、レオロジー改変剤として有用なアルカリ膨潤性エマルジョンポリマーに関する。さらに具体的には、本技術は、多価不飽和両親媒性マクロモノマーの残基を含むアルカリ膨潤性エマルジョンポリマーに関する。一態様では、開示のポリマーは、水性界面活性剤含有組成物を粘稠化し、その一方で、前述のポリマーが含まれる組成物に、優れたレオロジー特性、透明性、ならびに不溶性および粒子状の物質を安定に浮遊させる能力を長期間にわたって提供し、改善された粘稠化効率を提供するのに有用である。
2019502800.tif 000002
【特許請求の範囲】
【請求項１】
重合性モノマー組成物から調製されるＡＳＥポリマーであって、前記ＡＳＥポリマーは、以下：
（Ａ）一態様では約１０重量％〜約７５重量％、別の態様では約２５重量％〜約６５重量％、および約３０重量％〜約６０重量％の少なくとも１つの酸性ビニルモノマー、その塩、およびその混合物；
（Ｂ）一態様では約１０重量％〜約９０重量％、別の態様では約２５重量％〜約７５重量％、および約３０重量％〜約６０重量％の、式：
（Ｉ）ＣＨ２＝Ｃ（Ｘ）Ｚ、
（ＩＩ）ＣＨ２＝ＣＨ−ＯＣ（Ｏ）Ｒ
（ここで、式（Ｉ）および式（ＩＩ）の各々において、ＸはＨまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは約１〜約６の範囲の整数であり；各Ｒは独立してＣ１〜Ｃ１８アルキルであり；各Ｒ１は独立してＣ１〜Ｃ３０アルキル、ヒドロキシ置換Ｃ２〜Ｃ３０アルキル、またはハロゲン置換Ｃ１〜Ｃ３０アルキルである）
によって表される少なくとも１つの非イオン性ビニルモノマー；
（Ｃ）一態様では約０．０１〜約２０重量％、別の態様では約０．５〜約１０重量％、なお別の態様では約０．７５〜約７重量％、さらなる態様では約１〜約５重量％、およびなおさらなる態様では約１．５〜３重量％（全一価不飽和モノマーの重量に対する）の多価不飽和両親媒性マクロモノマー；および
（Ｄ）一態様では約０または０．１重量％〜約３重量％、別の態様では約０．２５重量％〜約２．５重量％、および約０．５重量％〜約１重量％（全一価不飽和モノマーの重量に対する）の少なくとも１つの多価不飽和架橋性モノマー；
を含み、モノマー成分（Ａ）〜（Ｄ）の合計が１００重量％になる、
ＡＳＥポリマー。
【請求項２】
前記両親媒性マクロモノマー（Ｃ）が、少なくとも２つの重合性不飽和基を含む、請求項１に記載のＡＳＥポリマー。
【請求項３】
前記両親媒性マクロモノマー（Ｃ）が、少なくとも２つのアリル基を含む、請求項１に記載のＡＳＥポリマー。
【請求項４】
前記両親媒性モノマー（Ｃ）が、式：
【化１２】
2019502800.tif 000021
（式中、Ｒ２０はＣＨ３、ＣＨ２ＣＨ３、Ｃ６Ｈ５、またはＣ１４Ｈ２９であり；ｎは１、２、または３であり；ｘは２〜１０であり、ｙは０〜２００であり、ｚは４〜２００、より好ましくは約５〜６０、そして最も好ましくは約５〜４０であり；ＺはＳＯ３−またはＰＯ３２−のいずれであってもよく、Ｍ＋はＮａ＋、Ｋ＋、ＮＨ４＋、またはアルカノールアミン、例えばモノエタノールアミン、ジエタノールアミン、およびトリエタノールアミンなどである）
によって表される、請求項１に記載のＡＳＥポリマー。
【請求項５】
前記両親媒性モノマー（Ｃ）が、式：
【化１３】
2019502800.tif 000022
（式中、Ｒ２０はＣＨ３、ＣＨ２ＣＨ３、Ｃ６Ｈ５、またはＣ１４Ｈ２９であり；ｎは１、２、３であり；ｘは２〜１０であり、ｙは０〜２００であり、ｚは一態様では４〜２００、別の態様では約５〜６０、さらなる態様では約５〜４０である）
によって表される、請求項１に記載のＡＳＥポリマー。
【請求項６】
前記両親媒性モノマー（Ｃ）が、式：
【化１４】
2019502800.tif 000023
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、そしてｚは一態様では４〜２００、別の態様では約５〜６０、そしてさらなる態様では約５〜４０であり；Ｒ２３はＨまたはＺ−Ｍ＋であり、ここで、ＺはＳＯ３−またはＰＯ３２−であり得、Ｍ＋は塩形成カチオンである）
によって表される、請求項１に記載のＡＳＥポリマー。
【請求項７】
前記塩形成カチオンＭ＋が、Ｎａ、Ｋ、およびＮＨ４、またはアルカノールアミンから選択される、請求項６に記載のＡＳＥポリマー。
【請求項８】
前記両親媒性モノマー（Ｃ）が、式：
【化１５】
2019502800.tif 000024
によって表される、前記請求項のいずれか１項に記載のＡＳＥポリマー。
【請求項９】
前記モノマー組成物が、少なくとも１つの多価不飽和架橋性モノマー（Ｄ）をさらに含む、前記請求項のいずれか１項に記載のＡＳＥポリマー。
【請求項１０】
前記架橋性モノマー（Ｄ）が、少なくとも２つのアクリレートエステル基を有するポリオールのアクリレートエステル、少なくとも２つのメタクリレートエステル基を有するポリオールのメタクリレートエステル、およびその混合物である、請求項８に記載のＡＳＥポリマー。
【請求項１１】
前記酸性ビニルモノマー（Ａ）が、アクリル酸、メタクリル酸、スチレンスルホン酸、２−アクリルアミド−２−メチルプロパンスルホン酸；およびその塩；およびその混合物から選択される、前記請求項のいずれか１項に記載のＡＳＥポリマー。
【請求項１２】
前記塩が、アルカリ金属塩、アルカリ土類金属塩、アンモニウム塩、アルキル置換アンモニウム塩、およびその混合物から選択される、請求項１１に記載のＡＳＥポリマー。
【請求項１３】
前記非イオン性ビニルモノマー（Ｂ）が、（メタ）アクリル酸のＣ１〜Ｃ８アルキルエステル、（メタ）アクリル酸のヒドロキシ置換Ｃ１〜Ｃ８アルキルエステル、ビニルＣ２〜Ｃ１０アルカノエート、Ｎ−ビニルピロリドン、およびその混合物から選択される、前記請求項のいずれかに記載のＡＳＥポリマー。
【請求項１４】
前記非イオン性ビニルモノマー（Ｂ）が、アクリル酸エチル、アクリル酸ブチル、メタクリル酸ヒドロキシエチル、酢酸ビニル、ネオデカン酸ビニル、Ｎ−ビニルピロリドン、およびその混合物から選択される、前記請求項のいずれかに記載のＡＳＥポリマー。
【請求項１５】
前記モノマー組成物が、前記モノマー組成物の重量に対して一態様では約０．０５重量％〜約１０重量％、別の態様では約０．１重量％〜約５重量％、そしてさらなる態様では約０．５重量％〜約１重量％の少なくとも１つの連鎖移動剤（Ｅ）をさらに含み、モノマー成分（Ａ）から（Ｄ）および連鎖移動剤（Ｅ）の合計が、前記モノマー組成物の１００重量％になる、前記請求項のいずれか１項に記載のＡＳＥポリマー。
【請求項１６】
前記重合性モノマー組成物が、以下：
（Ａ）約３０重量％〜約６０重量％の、アクリル酸、メタクリル酸、２−アクリルアミド−２−メチルプロパンスルホン酸から選択される少なくとも１つの酸性ビニルモノマーまたはその塩；
（Ｂ）約３０重量％〜約６０重量％の、アクリル酸エチル、アクリル酸ブチル、メタクリル酸ヒドロキシエチル、酢酸ビニル、ネオデカン酸ビニル、Ｎ−ビニルピロリドン、およびその混合物から選択される少なくとも１つの非イオン性ビニルモノマー；
（Ｃ）０．５重量％〜約１０重量％の、式：
【化１６】
2019502800.tif 000025
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、ｚは一態様では４〜２００、別の態様では約５〜６０、そしてさらなる態様では約５〜４０であり；Ｒ２３はＨまたはＺ−Ｍ＋であり、ここで、ＺはＳＯ３−またはＰＯ３２−であり得、Ｍ＋は塩形成カチオンである）
によって表される、少なくとも１つの両親媒性マクロモノマー；および
（Ｄ）約０または０．１重量％〜約３重量％の少なくとも１つの多価不飽和架橋性モノマー
を含む、前記請求項のいずれかに記載のＡＳＥポリマー。
【請求項１７】
前記少なくとも１つの両親媒性マクロモノマー（Ｃ）が、式：
【化１７】
2019502800.tif 000026
（式中、ｎは１または２であり；ｚは一態様では４〜４０、別の態様では５〜３８、そしてさらなる態様では１０〜２０であり；Ｒ２３はＨ、ＳＯ３−Ｍ＋、またはＰＯ３−Ｍ＋であり、Ｍは塩形成カチオンである）
によって表される、前記請求項のいずれかに記載のＡＳＥポリマー。
【請求項１８】
前記塩形成カチオンＭ＋がＮａ、Ｋ、およびＮＨ４、またはアルカノールアミンである、請求項１６または１７のいずれか１項に記載のＡＳＥポリマー。
【請求項１９】
前記重合性モノマー組成物が、以下：
（Ａ）メタクリル酸；
（Ｂ）アクリル酸エチル、アクリル酸ブチル、メタクリル酸ヒドロキシエチル、酢酸ビニル、ネオデカン酸ビニル、Ｎ−ビニルピロリドン、およびその混合物から選択される少なくとも１つの非イオン性モノマー；
（Ｃ）式（ＩＶ）〜（ＶＩＩ）によって表される少なくとも１つの両親媒性マクロモノマー；および、任意選択で、
（Ｄ）少なくとも１つの多価不飽和架橋性モノマー
を含む、請求項１６〜１８のいずれか１項に記載のＡＳＥポリマー。
【請求項２０】
前記重合性モノマー組成物が、以下：
（Ａ）メタクリル酸；
（Ｂ）アクリル酸エチル、アクリル酸ブチル、ネオデカン酸ビニル、およびその混合物から選択される非イオン性モノマー；
（Ｃ）式（ＩＶ）〜（ＶＩＩ）によって表されるマクロモノマーから選択される少なくとも１つの両親媒性マクロモノマー；および、任意選択で
（Ｄ）少なくとも１つの多価不飽和架橋性モノマー
を含む、請求項１６〜１９のいずれか１項に記載のＡＳＥポリマー。
【請求項２１】
前記モノマー組成物が慣用的な多価不飽和架橋性モノマーを有していない、前記請求項のいずれか１項に記載のＡＳＥポリマー。
【請求項２２】
水性界面活性剤含有組成物であって、以下：
（ｉ）少なくとも１つのアニオン性界面活性剤、少なくとも１つの両性界面活性剤、少なくとも１つの非イオン性界面活性剤、少なくとも１つの（ａ  ｌｅａｓｔ  ｏｎｅ）カチオン性界面活性剤、およびその混合物から選択される界面活性剤；
（ｉｉ）前記組成物全体の重量（１００パーセント活性ポリマー固体に対する全ポリマー重量）に対して一態様では約０．０１〜約２５重量パーセント、別の態様では約０．１〜約１５重量パーセント、さらなる態様では約０．５〜約１０重量パーセント、なおさらなる態様では約０．７５〜約８重量％、そして追加的な態様では約１〜約５重量パーセントの、請求項１〜２３のいずれか１項から選択される少なくとも１つのエマルジョンポリマー；および
（ｉｉｉ）水
を含む、水性界面活性剤含有組成物。
【請求項２３】
（ｉｖ）中和剤をさらに含む、請求項２２に記載の水性界面活性剤含有組成物。
【請求項２４】
以下：
Ａ）一態様では約５重量％〜約３０重量％、別の態様では約６重量％〜約２５重量％、そしてさらなる態様では約８重量％〜約１５重量％の界面活性剤成分（ｉ）；および
Ｂ）一態様では約０．５重量％〜約５重量％、別の態様では約０．７５〜約３重量％、そしてさらなる態様では約１重量％〜約２重量％の前記エマルジョンポリマー成分（ｉｉ）
（総活性ポリマーに対して）
を含む、請求項２２または２３のいずれか１項に記載の水性界面活性剤含有組成物。
【請求項２５】
前記アニオン性界面活性剤が、アルキルスルフェート、アルキルエーテルスルフェート、アルキルモノグリセリルエーテルスルフェート、アルキルモノグリセリドスルフェート、アルキルモノグリセリドスルフェート、アルキルスルホネート、アルキルアルキルスルホネート、アルキルホスホネート、アルキルスルホアセテート、アルキルスルホスクシネート、アルキルエーテルスルホスクシネート、アルキルアミドスルホスクシネート、アルキルスクシネート、アルキルカルボキシレート、アルキルアミドエーテルカルボキシレート、Ｃ１４〜Ｃ１６オレフィンスルホネート、アシルサルコシネート、アシルイセチオネート、アシルメチルイセチオネート、アシルＮ−メチルタウレート、アシルグルタメート、アシルラクチレート、アシルグリシネート、アシルアラニネート、およびその混合物のアルカリ金属塩およびアンモニウム塩から選択される、請求項２２〜２４のいずれか１項に記載の水性界面活性剤含有組成物。
【請求項２６】
前記アニオン性界面活性剤が、約８〜約２２個の炭素原子を含む飽和および不飽和脂肪酸のアルカリ金属塩またはアンモニウム塩、ならびにその混合物から選択される、請求項２２〜２５のいずれか１項に記載の水性界面活性剤含有組成物。
【請求項２７】
前記両性界面活性剤が、（モノまたはジ）アルキルアンフォアセテート、アルキルベタイン、アミドアルキルベタイン、アミドアルキルスルタイン、およびその混合物から選択される、請求項２２〜２６のいずれか１項に記載の水性界面活性剤含有組成物。
【請求項２８】
前記非イオン性界面活性剤が、Ｃ８〜Ｃ１８アルキルグルコシドおよびポリグルコシド、Ｃ１０〜Ｃ１８脂肪酸のスクロース、グルコース、ソルビトール、ソルビタンおよびポリグリセロールエステルから選択される、請求項２２〜２７のいずれか１項に記載の水性界面活性剤含有組成物。
【請求項２９】
前記アニオン性界面活性剤が、アルキル硫酸塩、アルキルエーテル硫酸塩、Ｃ１２〜Ｃ２２脂肪酸の塩、およびその混合物から選択される、請求項２２〜２８のいずれか１項に記載の水性界面活性剤含有組成物。
【請求項３０】
前記界面活性剤が、ラウリル硫酸ナトリウムおよびラウリル硫酸アンモニウム、ラウリルエーテル硫酸ナトリウムおよびラウリルエーテル硫酸アンモニウム、Ｃ１４〜Ｃ１６αオレフィンスルホン酸ナトリウム、ならびにその混合物から選択される、請求項２２〜２９のいずれか１項に記載の水性界面活性剤組成物。
【請求項３１】
ラウリルベタイン、コカミドプロピルベタイン、コカミドプロピルヒドロキシスルタイン、およびその混合物から選択される両性界面活性剤をさらに含む、請求項３０に記載の水性界面活性剤組成物。
【請求項３２】
前記ラウリルエーテル硫酸のナトリウム塩およびアンモニウム塩が、１〜３モルのエチレンオキシド単位を含む、請求項３０に記載の水性界面活性剤含有組成物。
【請求項３３】
不溶性物質、微粒子状物質、またはその組み合わせをさらに含む、請求項２２〜３２のいずれかに記載の水性界面活性剤含有組成物。
【請求項３４】
前記微粒子状物質が、雲母、被覆雲母、顔料、剥離剤、フケ防止剤、粘土、膨潤性粘土、ラポナイト、マイクロスポンジ、化粧用ビーズ、化粧用マイクロカプセル、フレーク、香料用マイクロカプセル、香料用粒子、およびその混合物から選択される、請求項３３に記載の水性界面活性剤含有組成物。
【請求項３５】
香水、香料、香料油、およびその混合物をさらに含む、請求項３３に記載の水性界面活性剤含有組成物。
【発明の詳細な説明】
【技術分野】
【０００１】
分野
本技術は、水系用のレオロジー改変剤として有用なアルカリ膨潤性エマルジョンポリマーに関する。さらに具体的には、本技術は、多価不飽和両親媒性モノマーの残基を含むアルカリ膨潤性エマルジョンポリマーに関する。一実施形態では、開示のポリマーは、パーソナルケア製品、ホームケア製品、ヘルスケア製品、塗料製品、およびコーティング製品に配合するために利用される水性で界面活性剤を含む組成物のための粘稠化剤として有用である。
【背景技術】
【０００２】
背景
レオロジー改変剤は、種々の工業製品、消費者製品、および医薬品における増粘剤および構造化剤として使用されている。レオロジー改変剤は、製品の性能、審美性、適用、および懸濁、ならびに活性化学物質の送達に影響を及ぼす。最適なレオロジー特性を達成するためにパーソナルケア製品中にレオロジー改変剤を含めることは、標準的技法である。パーソナルケア組成物のレオロジーの特徴を増大させる目的で種々のポリマータイプが提案されており、そのタイプは、化学構造、物理的形状、およびそれらが粘稠化する機構にしたがっていくつかのカテゴリーに分類される。
【０００３】
膨潤性アクリル系エマルジョンポリマーは、長きにわたり、水性組成物を粘稠化するために当該分野で使用されてきた。膨潤性アクリル系エマルジョンポリマー増粘剤には、以下の２つの主なクラスが存在する：アルカリ膨潤性エマルジョン（ＡＳＥ）および疎水性に改変されたアルカリ膨潤性エマルジョン（ＨＡＳＥ）。ＡＳＥ増粘剤は、典型的には、酸基を含むモノマー（例えば、（メタ）アクリル酸）、非イオン性基を含むモノマー（例えば、（メタ）アクリル酸の非水溶性低級アルキルエステル）、および架橋用のエチレン性多価不飽和モノマーを含むエチレン性重合性モノマーから調製された架橋コポリマーである。ＨＡＳＥ増粘剤は、典型的には、酸基を含むモノマー（例えば、（メタ）アクリル酸）、非イオン性基を含むモノマー（例えば、（メタ）アクリル酸の非水溶性低級アルキルエステル）、疎水性基を含む会合性モノマー（例えば、（メタ）アクリル酸の疎水性に改変されたポリオキシアルキレンエステル）から調製されたコポリマーである。本技術のポリマー増粘剤は、会合性モノマー成分を有していない。
【０００４】
ＡＳＥポリマーは、流体力学的粘稠化機構によって水系を粘稠化する。供給時に、前記ポリマー上の大部分の酸基はプロトン化された状態である。この状態では、ポリマー分子は、強固に巻き付いており、ポリマー分子を含む水性媒体に付与される粘度または懸濁性は比較的低い。無機塩基または有機塩基で中和された場合、酸基はイオン化し、それにより、イオン化された（アニオン性）カルボキシレート基の電荷斥力によってポリマーが解けて伸長する。この流体力学的粘稠化機構では、中和ポリマーの粘稠化効果および懸濁効果は、時折「空間充填」または「体積排除」と呼ばれる、拡大したポリマー分子（ミクロゲル）の物理的な充填が増大することに起因する。
【０００５】
ＡＳＥポリマー増粘剤と異なり、ＨＡＳＥ増粘剤は、ポリマー骨格に沿って位置付けられたペンダント疎水性基を含有する。疎水性基は、ポリアルキレンオキシド部分を介してポリマー骨格から一定間隔で配置されている。このポリマー増粘剤クラスは、二重の粘稠化機構によって機能する。無機塩基または有機塩基での中和の際に、ＡＳＥの流体力学的粘稠化機構について記載したように、ＨＡＳＥポリマーは拡大して膨潤する。さらに、ポリマー鎖に沿って位置付けられた疎水性基は、お互いに相互作用し、且つ、ポリマーを含む媒体中に含まれる外因性の疎水性成分と相互作用して、分子内および分子間での三次元疎水性会合またはネットワークを形成する。これらのネットワークは、拡大したＨＡＳＥ鎖によって作出された水力学的排除機構と組み合わせられると、所望の粘稠化効果をもたらす。外因性の疎水性成分は、界面活性剤中、油中、長炭素鎖エステル中、および不溶性粒子中などに含まれる疎水性基であり得る。
【０００６】
レオロジー改変剤は、それが含まれる組成物を粘稠化するか、または該組成物の粘度を増強し得るが、望ましい降伏応力特性を提供する必要はない。降伏応力特性は、液体媒体中で特定の物理的特徴および美的特徴、例えば、粒子の無期限浮遊、不溶性の液滴、または液体媒体内のガス気泡の安定化を達成するために重要である。媒体中に分散させられた粒子は、その媒体の降伏応力（降伏値）がその粒子に対する重力または浮力の影響を克服するのに十分であるならば、浮遊したままである。降伏値を配合手段として使用して、不溶性の液滴が上昇や融合するのを阻止することができ、ガス気泡を液体媒体中に浮遊させ、均一に分配させることができる。降伏応力ポリマーは、水性組成物のレオロジー特性を調節または改変するために一般に使用される。このような特性としては、限定されないが、粘度改良、流速改良、経時的な粘度変化に対する安定性、および粒子を無期限に浮遊させる能力が挙げられる。
【０００７】
ＡＳＥレオロジー改変ポリマーを共有結合的に架橋して、このポリマーが分散した水性媒体に降伏応力特性を付与することが知られている（Ｐｒｉｎｃｉｐｌｅｓ  ｏｆ  Ｐｏｌｙｍｅｒ  Ｓｃｉｅｎｃｅ  ａｎｄ  Ｔｅｃｈｎｏｌｏｇｙ  ｉｎ  Ｃｏｓｍｅｔｉｃｓ  ａｎｄ  Ｐｅｒｓｏｎａｌ  Ｃａｒｅ，Ｃｈ．６，ｐｐ．２３３−２３５；Ｍａｒｃｅｌ  Ｄｅｋｋｅｒ，Ｉｎｃ．，１９９９）。Ｌｕｂｒｉｚｏｌ  Ａｄｖａｎｃｅｄ  Ｍａｔｅｒｉａｌｓ，Ｉｎｃ．への米国特許第６，６３５，７０２号は、不溶性および粒子状の物質を含有する製品を粘稠化しかつ安定化するための、水性界面活性剤含有組成物における使用のための架橋ＡＳＥポリマーを開示している。開示の組成物は、安定しており、かつ魅力的な外観を有することが証明されている。
【０００８】
ＡＳＥポリマーを架橋するために利用される橋かけ剤は、少なくとも２つのエチレン性重合性不飽和部分を含む慣用的な架橋性モノマーである。これらは、比較的低分子量の分子である（典型的には３００ダルトン未満）。アクリル系モノマーの乳化重合で使用される例示的な架橋剤は、ポリビニル芳香族モノマー（例えば、ジビニルベンゼン、ジビニルナフタレン、およびトリビニルベンゼン）；多価不飽和脂環式モノマー（例えば、１，２，４−トリビニルシクロヘキサン；フタル酸の二官能性エステル（例えば、フタル酸ジアリル）；ポリアルケニルエーテル（例えば、トリアリルペンタエリスリトール、ジアリルペンタエリスリトール、ジアリルスクロース、オクタアリルスクロース、およびトリメチロールプロパンジアリルエーテル）；多価アルコールまたはポリ酸の多価不飽和エステル（例えば、１，６−ヘキサンジオールジ（メタ）アクリレート、テトラメチレントリ（メタ）アクリレート、アリル（メタ）アクリレート、ジアリルイタコネート、ジアリルフマレート、ジアリルマレエート、トリメチロールプロパントリ（メタ）アクリレート、トリメチロールプロパンジ（メタ）アクリレート、およびポリエチレングリコールジ（メタ）アクリレート）；アルキレンビスアクリルアミド（例えば、メチレンビスアクリルアミドおよびプロピレンビスアクリルアミド）；メチレンビス−アクリルアミドのヒドロキシ誘導体およびカルボキシ誘導体（例えば、Ｎ，Ｎ’−ビスメチロールメチレンビスアクリルアミド）；ポリエチレングリコールジ（メタ）アクリレート（例えば、エチレングリコールジ（メタ）アクリレート、ジエチレングリコールジ（メタ）アクリレート、およびトリエチレングリコールジ（メタ）アクリレートである。
【０００９】
しかし、いくつかのＡＳＥポリマーは、粘稠化効率に関する欠点（例えば、所望の標的粘度値を得るためのｐＨ、電解質濃度、またはポリマーの必要量の比較的小さな変動に対して望ましくないほどに高感度であることなど）が示されている。水性媒体中でのかかるポリマーの粘稠化効率は、より低いポリマー濃度において、特に低ｐＨ（例えば、約７未満のｐＨなど）で低い傾向があるが、より高いポリマー濃度および／またはより高いｐＨで顕著に増加する傾向がある。この感度により、ｐＨまたはポリマー濃度の比較的小さな変化で、レオロジー特性が望ましくないほどに大きく変化し得る（例えば、非常に顕著な粘度の増加など）。この性質の不釣り合いなほどに大きな変化により、予想される使用条件下で望ましい性能プロフィールを有し、それを維持する組成物を設計するのが困難となり得、また、かかる組成物の製造および取り扱いも困難となり得る。結果として、架橋ＡＳＥポリマーは、粘稠化効率に関する欠陥が示されており、したがって、特に低ｐＨで、所望の粘稠化レベルを得るために望ましくないほどに大量のポリマーを必要とするかもしれず、所望のレオロジー特性を得るのに十分な量で使用する場合、水性組成物に、濁った、半透明の、または不透明の外観を付与し得る。濁った、半透明の、または不透明の外観は、例えば、パーソナルケア配合物（例えば、シャンプーおよびボディソープなど）などにおける審美的基準が重要な最終的用途で望ましくないかもしれない。さらに、いくつかのＡＳＥポリマー（例えば、いくつかの架橋ＡＳＥアクリレートコポリマーなど）は、典型的には塩および界面活性剤の存在下でより低い粘稠化効率を示し、そして／または濁った、半透明の、または不透明の外観を付与し、これらのことも例えば、パーソナルケア組成物などのいくつかの系でのかかるポリマーの有用性を制限している。
【００１０】
液体媒体、より典型的には水性媒体のレオロジー特性の改変において使用するための、かかる媒体に改良されたレオロジー特性、審美的特性、および／または適用性能特性を提供するＡＳＥポリマーへの進行中で未解決の要求がある。
本技術のポリマーを含む組成物は、降伏応力特性およびかかる組成物内に含まれる不溶性および粒子状の物質を安定に浮遊させる能力を延長された期間にわたって維持しながら、改良された粘稠化効率および／または視覚的透明性を呈する。
【先行技術文献】
【特許文献】
【００１１】
【特許文献１】米国特許第６，６３５，７０２号明細書
【非特許文献】
【００１２】
【非特許文献１】Ｐｒｉｎｃｉｐｌｅｓ  ｏｆ  Ｐｏｌｙｍｅｒ  Ｓｃｉｅｎｃｅ  ａｎｄ  Ｔｅｃｈｎｏｌｏｇｙ  ｉｎ  Ｃｏｓｍｅｔｉｃｓ  ａｎｄ  Ｐｅｒｓｏｎａｌ  Ｃａｒｅ，Ｃｈ．６，ｐｐ．２３３−２３５；Ｍａｒｃｅｌ  Ｄｅｋｋｅｒ，Ｉｎｃ．，１９９９．
【発明の概要】
【課題を解決するための手段】
【００１３】
開示の技術の概要
本技術は、アルカリ膨潤性エマルジョン（ＡＳＥ）ポリマーおよび前述のポリマーを含む組成物に関する。本技術のＡＳＥポリマーは、（Ａ）少なくとも１つの酸性ビニルモノマー；（Ｂ）少なくとも１つの非イオン性ビニルモノマー；（Ｃ）少なくとも１つの多価不飽和両親媒性マクロモノマー；および任意選択で（Ｄ）少なくとも１つの慣用的な架橋性モノマーを含むモノマー混合物の重合生成物である。
ポリマーレオロジー改変剤は、以下の式（Ｉ）によって表されるコポリマーである。
【化１】
2019502800.tif 000003
式中、（Ａ）は、少なくとも１つの酸性ビニルモノマー残基の反復単位であり；（Ｂ）は、少なくとも１つの非イオン性ビニルモノマー残基の反復単位であり；（Ｃ）は、少なくとも１つの両親媒性多価不飽和マクロモノマー残基の反復単位であり；（Ｄ）は多価不飽和架橋性モノマー残基であり；ａ、ｂ、ｃ、およびｄは、前述のコポリマー内に含まれる各モノマー反復単位の重量百分率を表し、ａ＋ｂ＋ｃ＋ｄの和は１００重量パーセントである。
【００１４】
一態様では、開示の技術のＡＳＥポリマーを調製するために使用される重合性モノマー混合物は、連鎖移動剤（Ｅ）ｅ（式中、ｅは重合性モノマー混合物中に存在する連鎖移動剤の重量パーセントを表し、ａ＋ｂ＋ｃ＋ｄ＋ｅの和はモノマー混合物の１００重量パーセントである）を含む。
【００１５】
モノマー残基Ａ、Ｂ、Ｃ、およびＤは、相互に共有結合し、そして、ランダム、ブロック、および分岐状構成で配置され得る。
【００１６】
本技術のＡＳＥポリマーは、追加的なレオロジー改変剤も補助的なレオロジー改変剤も必要とせずに、流し込み可能な液体から流し込み不可能なゲルまでの範囲の審美的に心地よいレオロジー特性を有する組成物ならびに流れやすくはないが流動可能な組成物を提供する。開示のポリマーは、研磨材、顔料、粒子、水不溶性物質、例えばカプセル化オイルビーズ、リポソーム、カプセル、シリコーン、および気泡などを浮遊させることもできる。
【００１７】
有利には、開示の技術のＡＳＥポリマーを、制限されないが、パーソナルケア製品、ヘルスケア製品、家庭用ケア製品、施設および産業用のケア製品などにおいて、ならびに工業化学的プロセスおよび利用において、例えば、レオロジー改変剤、皮膜形成剤、増粘剤、乳化剤、安定剤、可溶化剤、懸濁化剤、および顔料粉砕添加剤として使用することができる。開示のＡＳＥポリマーは、パーソナルケア組成物、仕上げ、コーティング、および印刷用途のための織物加工組成物、ならびに工業用および消費者用の塗料およびコーティングにおける増粘剤として特に有用である。
【００１８】
開示の技術のＡＳＥポリマーは、広いポリマー濃度およびｐＨの範囲にわたって粘稠化効率、長期懸濁安定性、および透明性が改良された界面活性剤含有組成物を提供することができる。
【図面の簡単な説明】
【００１９】
【図１】図１は、界面活性剤含有配合物に降伏応力特性を提供することができるポリマーについての、増加する振動応力の振幅（Ｐａ）の関数としての弾性係数（Ｇ’）および粘性係数（Ｇ”）の例示的なプロットを示す。プロットは、配合物の降伏応力値に対応するＧ’とＧ”の交点を示す。
【００２０】
【図２】図２は、比較例５および実施例６のポリマーを含む水性分散液についての、選択されたｐＨ値での粘度（ｙ軸）対ポリマー濃度（ｘ軸）のプロットである。
【発明を実施するための形態】
【００２１】
本発明の例示的な実施形態の説明
開示の技術による例示的実施形態を説明する。本明細書で説明する例示的実施形態の様々な改変形態、適合形態または変更形態は、開示されているかのように当業者に明らかになり得る。開示の技術の教示に依存し、それによってこれらの教示が当該技術を進歩させる、そうしたすべての改変形態、適合形態または変更形態は、本開示の技術の範囲および趣旨の範囲内にあると考えられることが理解される。
【００２２】
開示の技術の組成物、ポリマーおよび方法は、本明細書に記載の成分、要素およびプロセス描写を適切に含むか、それからなるか、あるいは本質的にそれからなることができる。本明細書で例示的に適切に開示される技術は、本明細書で具体的に開示されていないいずれかの要素がなくても実施することができる。
【００２３】
別段の記載がある場合を除き、冠詞「ａ」、「ａｎ」、および「ｔｈｅ」は、１つまたはそれより多いことを意味する。
【００２４】
別段の記述のない限り、本明細書で表されるすべてのパーセンテージ、部および比は、開示の技術の組成物全体の重量に基づくものである。
【００２５】
開示の技術のポリマーに組み込まれる、特定のモノマー（単数または複数）について言及する場合、このモノマー（単数または複数）は、この特定のモノマー（単数または複数）（例えば、モノマー反復性単位またはモノマー残基）由来の単位（単数または複数）としてポリマー骨格に組み込まれる。
【００２６】
本明細書において用いる場合、「両親媒性」という用語は、その構成物質が、明瞭な親水性ポーション（ｐｏｒｔｉｏｎ）および疎水性ポーションを有することを意味する。「親水性」とは通常は、水および他の極性分子と分子内で相互作用するポーションを意味する。「疎水性」とは通常は、水性媒体ではなくオイル、脂肪または他の非極性分子または成分と優先的に相互作用するポーションを意味する。
【００２７】
接頭語「（メタ）アクリル」には、「アクリル」および「メタクリル」が含まれる。例えば、（メタ）アクリル酸の（（ｍｅｔｈ）ａｃｒｙｌｉｃ）という用語には、アクリル酸の、およびメタクリル酸の、の両方が含まれ、また（メタ）アクリレートという用語には、アクリレートおよびメタクリレートが含まれる。さらなる例として、「（メタ）アクリルアミド」という用語には、アクリルアミドとメタクリルアミドの両方が含まれる。
【００２８】
ここで、ならびに本明細書および特許請求の範囲の他の箇所で、個々の数値（炭素原子の数値を含む）または限定を組み合わせて、追加の開示されていない範囲および／または明記されていない範囲を形成し得る。
【００２９】
開示の技術のポリマー、組成物および配合物中に含まれる種々の化合物、成分および構成要素について重複した重量範囲が、本技術の選択された実施形態および態様について表現されているが、開示のポリマー、組成物および配合物中の各成分の具体的な量は、各成分の量が調整されて、その結果、ポリマー、組成物または配合物中のすべての成分の合計が１００重量パーセントとなるように、その開示された範囲から選択されるのは容易に明らかなはずである。使用される量は、所望の製品の目的および特徴によって変化し、それらは当業者によって容易に決定される。
【００３０】
本明細書中に提供した見出しは、開示の技術を例示するのに役立つが、開示の技術を決して制限しない。
【００３１】
酸性ビニルモノマー（Ａ）
本発明での使用に適切な酸性ビニルモノマーは、酸性またはアニオン性の官能部位を提供するための少なくとも１つのカルボン酸基、スルホン酸基、またはホスホン酸基を含む、酸性、重合性のエチレン性不飽和モノマーである。これらの酸基は、一酸または二酸、ジカルボン酸の無水物、二酸のモノエステル、およびそれらの塩から誘導することができる。
【００３２】
適切な酸性ビニルカルボン酸モノマーとしては、制限されないが、アクリル酸、メタクリル酸、イタコン酸、シトラコン酸、マレイン酸、フマル酸、クロトン酸、アコニット酸、およびそれらの塩が挙げられる。マレイン酸、フマル酸、イタコン酸、アコニット酸、およびそれらの塩のアルキル（Ｃ１〜Ｃ１８）モノエステル、例えば、マレイン酸水素メチル、マレイン酸モノイソプロピル、フマル酸水素ブチルなどを、酸性ビニルモノマーとして利用することができる。ジカルボン酸の無水物、例えば、マレイン酸無水物、イタコン酸無水物、シトラコン酸無水物、およびそれらの塩などを、酸性ビニルモノマーとして利用することもできる。かかる無水物は、一般に、水または高ｐＨへ長期暴露されると対応する二価酸に加水分解する。
【００３３】
モノマーを含む適切なスルホン酸基としては、制限されないが、ビニルスルホン酸、２−スルホエチルメタクリレート、スチレンスルホン酸、２−アクリルアミド−２−メチルプロパンスルホン酸（ＡＭＰＳＴＭモノマー）、およびアリルオキシベンゼンスルホン酸などが挙げられる。
【００３４】
適切なホスホン酸基含有モノマーの非限定的な例としては、ビニルホスホン酸、アリルホスホン酸、および３−アクリルアミドプロピルホスホン酸などが挙げられる。
【００３５】
酸性ビニルモノマーの適切な塩としては、制限されないが、アルカリ金属塩、例えば、ナトリウム塩、カリウム塩、およびリチウム塩など；アルカリ土類金属塩、例えば、カルシウム塩およびマグネシウム塩など；アンモニウム塩；ならびにアルキル置換アンモニウム塩、例えば、２−アミノ−２−メチル−１−プロパノール（ＡＭＰ）、エタノールアミン、ジエタノールアミン、トリエタノールアミン、およびトリエチルアミンの塩などが挙げられる。
【００３６】
酸性ビニルモノマーおよび／またはその塩を、開示のポリマーを調製するためのモノマー混合物において個別にまたは２つもしくは２つ超の混合物で利用することができる。酸性ビニルモノマーは、一態様ではモノマー混合物全体の約５〜約７５重量パーセント、全モノマー混合物重量に基づいて別の態様では約１０〜約６５重量パーセント、さらなる態様では約２５〜約６０重量パーセント、なおさらなる態様では約３０〜約４５を含む。
【００３７】
非イオン性ビニルモノマー（Ｂ）
開示の技術での使用に適切な非イオン性ビニルモノマーは、共重合性、非イオン性のエチレン性不飽和モノマーである。非イオン性は、モノマー（またはモノマー反復単位）が正電荷も負電荷も含んでおらず、且つ酸性またはアルカリ性のｐＨに暴露された場合に水溶液中でイオン化しないことを意味する。非イオン性ビニルモノマーは、水溶性であっても水不溶性であってもよい。開示の技術の一態様では、非イオン性ビニルモノマーは、式（Ｉ）から選択される少なくとも１つの化合物、式（ＩＩ）から選択される少なくとも１つの化合物、および式（Ｉ）および式（ＩＩ）から選択される化合物の混合物である
ＣＨ２＝Ｃ（Ｘ）Ｚ          （Ｉ）
ＣＨ２＝ＣＨ−ＯＣ（Ｏ）Ｒ  （ＩＩ）
（ここで、式（Ｉ）および式（ＩＩ）の各々において、ＸはＨまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは約１〜約６の範囲の整数であり；各Ｒは独立して直鎖状または分岐状Ｃ１〜Ｃ１８アルキルであり；各Ｒ１は独立して直鎖状または分岐状Ｃ１〜Ｃ３０アルキル、ヒドロキシ置換直鎖状または分岐状Ｃ２〜Ｃ３０アルキル、またはハロゲン置換直鎖状または分岐状Ｃ１〜Ｃ３０アルキルである）。
【００３８】
適切な水不溶性の非イオン性ビニルモノマーの非限定的な例としては、Ｃ１〜Ｃ３０アルキル（メタ）アクリレート、例えば、メチル（メタ）アクリレート、エチル（メタ）アクリレート、プロピル（メタ）アクリレート、ｓｅｃ−ブチル（メタ）アクリレート、イソ−ブチル（メタ）アクリレート、ｔｅｒｔ−ブチル（メタ）アクリレート）、ヘキシル（メタ）アクリレート、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、ベヘニル（メタ）アクリレート、およびその混合物など；Ｃ１〜Ｃ３０アルキル（メタ）アクリルアミド；スチレン；置換スチレン、例えば、ビニルトルエン（例えば、２−メチルスチレン）、ブチルスチレン、イソプロピルスチレン、およびｐ−クロロスチレンなど；ビニルエステル、例えば、酢酸ビニル、酪酸ビニル、カプロン酸ビニル、ピバル酸ビニル、およびネオデカン酸ビニルなど；不飽和ニトリル、例えば、メタクリロニトリル、およびアクリロニトリルなど；ならびに不飽和シラン、例えば、トリメチルビニルシラン、ジメチルエチルビニルシラン、アリルジメチルフェニルシラン、アリルトリメチルシラン、３−アクリルアミドプロピルトリメチルシラン、３−トリメチルシリルプロピルメタクリレートなど、ならびにその混合物が挙げられる。
【００３９】
適切な水溶性非イオン性ビニルモノマーの非限定的な例は、Ｃ２〜Ｃ６ヒドロキシアルキル（メタ）アクリレート（例えば、２−ヒドロキシエチル（メタ）アクリレート、３−ヒドロキシプロピル（メタ）アクリレート、および４−ヒドロキシブチル（メタ）アクリレート）；グリセロールモノ（メタ）アクリレート；トリス（ヒドロキシメチル）エタンモノ（メタ）アクリレート；ペンタエリスリトールモノ（メタ）アクリレート；Ｎ−ヒドロキシメチル（メタ）アクリルアミド；２−ヒドロキシエチル（メタ）アクリルアミド；３−ヒドロキシプロピル（メタ）アクリルアミド；（メタ）アクリルアミド；Ｎ−ビニルカプロラクタム；Ｎ−ビニルピロリドン；メタクリルアミドエチル−Ｎ−エチレン尿素（例えば、ＣＨ２＝Ｃ（ＣＨ３）Ｃ（Ｏ）ＮＨＣＨ２ＣＨ２−Ｎ−エチレン尿素）、Ｃ１〜Ｃ４アルコキシ置換（メタ）アクリレート、および（メタ）アクリルアミド、例えば、メトキシエチル（メタ）アクリレート、２−（２−エトキシエトキシ）エチル（メタ）アクリレートなど、ならびにその混合物である。
【００４０】
非イオン性ビニルモノマーは、一態様ではモノマー混合物全体の約１０〜約９０重量パーセント、全モノマー重量基準で別の態様では約２５〜約７５重量パーセント、さらなる態様では約３０〜約６０重量パーセントを含む。
【００４１】
両親媒性多価不飽和マクロモノマー（Ｃ）
両親媒性多価不飽和マクロモノマーは、疎水性部分および親水性部分を含む。疎水性部分は油への溶解性を提供し、親水性部分は水溶性を提供する。マクロモノマーの両親媒性は、前述のマクロモノマーを含むポリマーに界面活性剤様特性を付与する。
【００４２】
両親媒性多価不飽和マクロモノマーは、一態様では少なくとも５００ダルトン、別の態様では５００〜６０，０００ダルトン、なお別の態様では１，０００〜５０，０００ダルトン、さらなる態様では１５００〜３０，０００ダルトン、なおさらなる態様では２，０００〜２５，０００ダルトンの分子量を有する。
【００４３】
一態様では、本技術とともに使用するのに適した例示的な両親媒性多価不飽和マクロモノマーとして、これらに限定されないが、以下の式によって表されるＵＳ２０１３／００４７８９２（２０１３年２月２８日に公開、Ｐａｌｍｅｒ，  Ｊｒ．ら）に開示されるものなどの化合物が挙げられ得る
【化２】
2019502800.tif 000004
（式中、Ｒ２０はＣＨ３、ＣＨ２ＣＨ３、Ｃ６Ｈ５、またはＣ１４Ｈ２９であり；ｎは１、２、または３であり；ｘは２〜１０であり、ｙは０〜２００であり、ｚは４〜２００、より好ましくは約５〜６０、そして最も好ましくは約５〜４０であり；ＺはＳＯ３−またはＰＯ３２−のいずれであってもよく、Ｍ＋はＮａ＋、Ｋ＋、ＮＨ４＋、またはアルカノールアミン、例えばモノエタノールアミン、ジエタノールアミン、およびトリエタノールアミンなどである）
【化３】
2019502800.tif 000005
（式中、Ｒ２０はＣＨ３、ＣＨ２ＣＨ３、Ｃ６Ｈ５、またはＣ１４Ｈ２９であり；ｎは１、２、３であり；ｘは２〜１０であり、ｙは０〜２００であり、ｚは一態様では４〜２００、別の態様では約５〜６０、さらなる態様では約５〜４０である）
【化４】
2019502800.tif 000006
（式中、Ｒ２１は一態様ではＣ８〜Ｃ３０のアルキル基、アルカリール基、アルケニル基、またはシクロアルキル基、そして別の態様ではＣ１０〜Ｃ２４のアルキル基、アリール基、アルキルアリール基、およびアラルキルアリール基であり；Ｒ２２はＣＨ３、ＣＨ２ＣＨ３、Ｃ６Ｈ５、またはＣ１４Ｈ２９であり；ｘは一態様では２〜１００、そして別の態様では２〜１０であり、ｙは一態様では０〜２００、そして別の態様では０または１〜５０であり、ｚは一態様では４〜２００、別の態様では約５〜６０、そしてさらなる態様では約５〜４０であり；Ｒ２３はＨまたはＺ−Ｍ＋であり、ここで、ＺはＳＯ３−またはＰＯ３２−のいずれかであり得、Ｍ＋は、Ｎａ＋、Ｋ＋、ＮＨ４＋または、例えばモノエタノールアミン、ジエタノールアミンおよびトリエタノールアミンなどのアルカノールアミンである）。
【００４４】
一態様では、多価不飽和マクロモノマーは、式（Ｖ）、（ＶＩ）、または（ＶＩＩ）によって表される化合物から選択される。
【化５】
2019502800.tif 000007
式中、ｎは１または２であり；ｚは一態様では４〜４０、別の態様では５〜３８、さらなる態様では１０〜２０であり；Ｒ２３はＨ、ＳＯ３−Ｍ＋、またはＰＯ３−Ｍ＋であり、Ｍは、Ｎａ、Ｋ、およびＮＨ４から選択される。
【化６】
2019502800.tif 000008
【００４５】
一実施形態において、両親媒性多価不飽和マクロモノマーは、開示の技術のＡＳＥポリマーを調製するのに使用される多価不飽和モノマーの全重量に基づき、一態様では約０．０１〜約２０重量パーセント、別の態様では約０．５〜約１０重量パーセント、なお別の態様では約０．７５〜約７重量パーセント、さらなる態様では約１〜約５重量パーセント、なおさらなる態様では約１．５〜約３重量パーセントの範囲の量で使用され得る。換言すると、両親媒性マクロモノマーの量を、開示の技術のＡＳＥポリマーを調製するために利用される全一価不飽和モノマーの１００重量部（１００％活性物質）あたりの重量部（１００％活性物質）に対して計算することができる。
【００４６】
一実施形態では、両親媒性多価不飽和マクロモノマーは、分子中に平均約１．５〜約２個の不飽和部分を含む。
【００４７】
架橋性モノマー（Ｄ）
一実施形態では、開示の技術の実施で有用なポリマーを、任意選択的に、両親媒性マクロモノマー（Ｄ）に加えて慣用的な架橋性モノマーから調製する。この架橋性モノマー（単数または複数）は、共有結合性の架橋を重合させてポリマー骨格中にするために使用される。橋かけ剤は、少なくとも２つのエチレン性重合性不飽和部分を含む慣用的な架橋性モノマーである。これらは比較的低分子量の化合物である（３００ダルトン未満）。一態様では、この架橋性モノマーは、少なくとも２つの不飽和部分を含む多価不飽和化合物である。別の態様では、架橋性モノマーは少なくとも３つの不飽和部分を含む。多価不飽和化合物の例としては、ジ（メタ）アクリレート化合物、例えばエチレングリコールジ（メタ）アクリレート、ポリエチレングリコールジ（メタ）アクリレート、トリエチレングリコールジ（メタ）アクリレート、１，３−ブチレングリコールジ（メタ）アクリレート、１，６−ブチレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレート、２，２’−ビス（４−（アクリルオキシ−プロピルオキシフェニル）プロパン、および２，２’−ビス（４−（アクリルオキシジエトキシ−フェニル）プロパン；トリ（メタ）アクリレート化合物、例えばトリメチロールプロパントリ（メタ）アクリレート、トリメチロールエタントリ（メタ）アクリレートおよびテトラメチロールメタントリ（メタ）アクリレート；テトラ（メタ）アクリレート化合物、例えばジトリメチロールプロパンテトラ（メタ）アクリレート、テトラメチロールメタンテトラ（メタ）アクリレート、およびペンタエリスリトールテトラ（メタ）アクリレート；ヘキサ（メタ）アクリレート化合物、例えばジペンタエリスリトールヘキサ（メタ）アクリレート；アリル化合物、例えばアリル（メタ）アクリレート、フタル酸ジアリル、イタコン酸ジアリル、フマル酸ジアリルおよびマレイン酸ジアリル；１分子あたり２〜８個のアリル基を有するスクロースのポリアリルエーテル、ペンタエリスリトールのポリアリルエーテル、例えばペンタエリスリトールジアリルエーテル、ペンタエリスリトールトリアリルエーテルおよびペンタエリスリトールテトラアリルエーテルならびにそれらの組合せ；トリメチロールプロパンのポリアリルエーテル、例えばトリメチロールプロパンジアリルエーテル、トリメチロールプロパントリアリルエーテルおよびそれらの組合せが挙げられる。他の適切な多価不飽和化合物としては、ジビニルグリコール、ジビニルベンゼンおよびメチレンビスアクリルアミドが挙げられる。
【００４８】
別の態様では、適切な多価不飽和モノマーは、エチレンオキシドもしくはプロピレンオキシドまたはそれらの組合せから作製されたポリオールと無水マレイン酸、無水シトラコン酸、無水イタコン酸などの不飽和無水物とのエステル化反応、あるいは３−イソプロペニル−α−α−ジメチルベンゼンイソシアネートなどの不飽和イソシアネートでの付加反応によって合成することができる
【００４９】
上記の多価不飽和化合物の２つまたはそれより多くの混合物を、開示の技術のＡＳＥポリマーを架橋させるために使用することもできる。
【００５０】
開示の技術の一実施形態では、架橋性モノマーの量は、一態様では０〜約１重量％、別の態様では約０．０１〜約０．７５重量％、なお別の態様では約０．１〜約０．５、なおさらなる態様では約０．１５〜約０．３重量％の範囲であり、全ての重量パーセントは、開示の技術のＡＳＥポリマーを調製するために使用される一価不飽和モノマーの全重量に基づく。換言すると、以下に考察した慣用的な架橋性モノマーの量を、開示の技術のポリマーを調製するために利用される全一価不飽和モノマーの１００重量部（１００％活性物質）あたりの重量部（１００％活性物質）に対して計算することができる。
【００５１】
一実施形態では、本技術のＡＳＥポリマーを、本明細書中に記載の両親媒性マクロモノマー以外のあらゆる多価不飽和モノマー（例えば、慣用的な架橋剤）を有していないモノマー混合物から調製する。
【００５２】
ＡＳＥポリマー合成
開示の技術の直鎖状およびＡＳＥポリマーは、慣用的なフリーラジカル乳化重合技術を使用して作製することができる。重合プロセスは、酸素の非存在下、窒素などの不活性雰囲気下で実施される。この重合は、水などの適切な溶媒系中で実施することができる。少量の炭化水素溶媒、有機溶媒ならびにその混合物を使用することができる。重合反応は、適切なフリーラジカルの発生をもたらす任意の手段によって開始される。ラジカル種がペルオキシド、ヒドロペルオキシド、ペルスルフェート、ペルカルボネート、ペルオキシエステル（ｐｅｒｏｘｙｅｓｔｅｒ）、過酸化水素およびアゾ化合物の熱的な均等解離によって発生する、熱的に誘導されたラジカルを利用することができる。開始剤は、重合反応で使用される溶媒系に応じて、水溶性または水不溶性であり得る。
【００５３】
開始剤化合物は、乾燥ポリマーの全重量に基づいて一態様では最大で３０重量％、別の態様では０．０１〜１０重量％、さらなる態様では０．２〜３重量％の量で使用することができる。
【００５４】
フリーラジカル水溶性開始剤の例としては、限定されないが、無機ペルスルフェート化合物、例えば過硫酸アンモニウム、過硫酸カリウムおよび過硫酸ナトリウム；ペルオキシド、例えば過酸化水素、過酸化ベンゾイル、過酸化アセチルおよび過酸化ラウリル；有機ヒドロペルオキシド、例えばクメンヒドロペルオキシドおよびｔ−ブチルヒドロペルオキシド；有機過酸、例えば過酢酸ならびに水溶性アゾ化合物、例えばアルキル基上に水溶性置換基を有する２，２’−アゾビス（ｔｅｒｔ−アルキル）化合物が挙げられる。フリーラジカル油溶性化合物の例としては、限定されないが、２，２’−アゾビスイソブチロニトリルなどが挙げられる。過酸化物および過酸は、還元剤、例えば重亜硫酸ナトリウム、ホルムアルデヒドナトリウム（ｓｏｄｉｕｍ  ｆｏｒｍａｌｄｅｈｙｄｅ）またはアスコルビン酸、遷移金属、ヒドラジンなどで任意選択的に活性化されてもよい。
【００５５】
一態様では、アゾ重合触媒としては、ＤｕＰｏｎｔから入手できるＶａｚｏ（登録商標）フリーラジカル重合開始剤、例えばＶａｚｏ（登録商標）  ４４（２，２’−アゾビス（２−（４，５−ジヒドロイミダゾリル）プロパン）、Ｖａｚｏ（登録商標）  ５６（２，２’−アゾビス（２−メチルプロピオンアミジン）ジヒドロクロリド）、Ｖａｚｏ（登録商標）  ６７（２，２’−アゾビス（２−メチルブチロニトリル））およびＶａｚｏ（登録商標）  ６８（４，４’−アゾビス（４−シアノ吉草酸））、およびＷａｋｏ  ＣｈｅｍｉｃａｌｓのＶＡ−０８６（２，２’−アゾビス［２−メチル−Ｎ−（２−ヒドロキシエチル）プロピオンアミド］）が挙げられる。
【００５６】
乳化重合プロセスにおいて、界面活性助剤によって、モノマー／ポリマーの液滴または粒子を安定化させることが有利である可能性がある。典型的には、これらは、乳化剤または保護コロイドである。使用される乳化剤は、アニオン性、非イオン性、カチオン性または両性であってよい。アニオン性乳化剤の例は、アルキルベンゼンスルホン酸、スルホン化脂肪酸、スルホスクシネート、脂肪アルコールスルフェート、アルキルフェノールスルフェートおよび脂肪アルコールエーテルスルフェートである。有用な非イオン性乳化剤の例は、アルキルフェノールエトキシレート、第一級アルコールエトキシレート、脂肪酸エトキシレート、アルカノールアミドエトキシレート、脂肪アミンエトキシレート、ＥＯ／ＰＯブロックコポリマーおよびアルキルポリグルコシドである。使用されるカチオン性および両性乳化剤の例は、四級化アミンアルコキシレート、アルキルベタイン、アルキルアミドベタインおよびスルホベタインである。
【００５７】
典型的な保護コロイドの例は、セルロース誘導体、ポリエチレングリコール、ポリプロピレングリコール、エチレングリコールとプロピレングリコールのコポリマー、ポリ酢酸ビニル、ポリ（ビニルアルコール）、部分的に加水分解されたポリ（ビニルアルコール）、ポリビニルエーテル、デンプンおよびデンプン誘導体、デキストラン、ポリビニルピロリドン、ポリビニルピリジン、ポリエチレンイミン、ポリビニルイミダゾール、ポリビニルスクシンイミド、ポリビニル−２−メチルスクシンイミド、ポリビニル−１，３−オキサゾリド−２−オン、ポリビニル−２−メチルイミダゾリンおよびマレイン酸または無水マレイン酸コポリマーである。乳化剤または保護コロイドは、慣用的に全モノマーの重量に基づいて０．０５〜２０重量％の濃度で使用される。
【００５８】
任意選択的に、公知のレドックス開始剤系を重合開始剤として使用することができる。そのようなレドックス開始剤系には、酸化剤（開始剤）および還元剤が含まれる。適切な酸化剤としては、例えば、過酸化水素、過酸化ナトリウム、過酸化カリウム、ｔ−ブチルヒドロペルオキシド、ｔ−アミルヒドロペルオキシド、クメンヒドロペルオキシド、過ホウ酸ナトリウム、過リン酸およびその塩、過マンガン酸カリウムおよびペルオキシ二硫酸のアンモニウム塩またはアルカリ金属塩が挙げられ、典型的には、乾燥ポリマー重量に基づいて０．０１重量％〜３．０重量％のレベルで使用される。適切な還元剤としては、例えば、硫黄含有酸のアルカリ金属塩およびアンモニウム塩、例えば亜硫酸ナトリウム、重亜硫酸ナトリウム、チオ硫酸ナトリウム、ヒドロ亜硫酸ナトリウム、硫化ナトリウム、水硫化ナトリウムまたは亜ジチオン酸ナトリウム、ホルマジンスルフィン酸、ヒドロキシメタンスルホン酸、アセトンビスルファイト（ａｃｅｔｏｎｅ  ｂｉｓｕｌｆｉｔｅ）、アミン、例えばエタノールアミン、グリコール酸、グリオキシル酸水和物、アスコルビン酸、イソアスコルビン酸、乳酸、グリセリン酸、リンゴ酸、２−ヒドロキシ−２−スルフィナト酢酸、酒石酸および上記酸の塩が挙げられ、典型的には、乾燥ポリマー重量に基づいて０．０１重量％〜３．０重量％のレベルで使用される。一態様では、ペルオキシジスルフェートとアルカリ金属重亜硫酸塩または重亜硫酸アンモニウムとの組合せ、例えばペルオキシ二硫酸アンモニウムと重亜硫酸アンモニウムを使用することができる。別の態様では、酸化剤としての過酸化水素含有化合物（ｔ−ブチルヒドロペルオキシド）と還元剤としてのアスコルビン酸またはエリソルビン酸との組合せを使用することができる。ペルオキシド含有化合物と還元剤との比は３０：１〜０．０５：１の範囲内である。
【００５９】
重合反応は、一態様では２０〜２００℃、別の態様では５０〜１５０℃、さらなる態様では６０〜１００℃の範囲の温度で実施され得る。
【００６０】
重合は、連鎖移動剤の存在下で行うことができる。適切な連鎖移動剤（Ｇ）としては、限定されないが、チオ−およびジスルフィド含有化合物、例えばＣ１〜Ｃ１８アルキルメルカプタン、例えばｔｅｒｔ−ブチルメルカプタン、ｎ−オクチルメルカプタン、ｎ−ドデシルメルカプタン、ｔｅｒｔ−ドデシルメルカプタン  ヘキサデシルメルカプタン、オクタデシルメルカプタン；メルカプトアルコール、例えば２−メルカプトエタノール、２−メルカプトプロパノール；メルカプトカルボン酸、例えばメルカプト酢酸および３−メルカプトプロピオン酸；メルカプトカルボン酸エステル、例えばブチルチオグリコレート、イソオクチルチオグリコレート、ドデシルチオグリコレート、イソオクチル３−メルカプトプロピオネートおよびブチル３−メルカプトプロピオネート；チオエステル；Ｃ１〜Ｃ１８アルキルジスルフィド；アリールジスルフィド；多官能性チオール、例えばトリメチロールプロパン−トリス−（３−メルカプトプロピオネート）、ペンタエリトリトール−テトラ−（３−メルカプトプロピオネート）、ペンタエリトリトール−テトラ−（チオグリコレート）、ペンタエリトリトール−テトラ−（チオラクテート）、ジペンタエリトリトール−ヘキサ−（チオグリコレート）など；ホスファイトおよびハイポホスファイト；Ｃ１〜Ｃ４アルデヒド、例えばホルムアルデヒド、アセトアルデヒド、プロピオンアルデヒド；ハロアルキル化合物、例えば四塩化炭素、ブロモトリクロロメタンなど；ヒドロキシルアンモニウム塩、例えば硫酸ヒドロキシルアンモニウム；ギ酸；重亜硫酸ナトリウム；イソプロパノール；および触媒連鎖移動剤、例えば、コバルト錯体など（例えば、コバルト（ＩＩ）キレート）が挙げられる。
【００６１】
連鎖移動剤は、一般に、重合媒体中に存在するモノマーの全重量に基づき、一態様では約０．０５〜約１０重量パーセント、別の態様では約０．１〜約５重量パーセント、さらなる態様では約０．５〜約１重量パーセントの範囲の量で使用される。
【００６２】
エマルジョンプロセス
開示の技術の１つの例示的態様では、開示の技術のＡＳＥポリマーを、エマルジョンプロセスによって重合する。エマルジョンプロセスを、当該分野で周知のように、単一の反応器または複数の反応器で行うことができる。モノマーをバッチ混合物として添加することができ、または、各モノマーを、段階的プロセスで反応器に計り入れることができる。乳化重合における典型的な混合物は、水、モノマー、開始剤（通常、水溶性）、および乳化剤を含む。モノマーを、乳化重合分野で周知の方法にしたがって一段階、二段階、または多段階の重合プロセスで乳化重合することができる。二段階重合プロセスでは、第一段階のモノマーを添加し水性媒体中で最初に重合し、その後に第二段階のモノマーを添加して重合する。水性媒体は、任意選択で、有機溶媒を含み得る。有機溶媒は、使用する場合、水性媒体の約５重量パーセント未満である。水混和性有機溶媒の適切な例としては、制限されないが、エステル、アルキレングリコールエーテル、アルキレングリコールエーテルエステル、および低分子量脂肪族アルコールなどが挙げられる。
【００６３】
モノマー混合物の乳化を促進するために、乳化重合は、少なくとも１種の界面活性剤の存在下で行われる。一実施形態において、乳化重合は、全モノマー重量ベースに基づいて、一態様において約０．２重量％〜約５重量％、別の態様において約０．５重量％〜約３重量％、さらなる態様において約１重量％〜約２重量％の量の範囲で、界面活性剤（活性重量に基づいて）の存在下で行われる。乳化重合反応混合物はまた、１種または複数種のフリーラジカル開始剤を含み、これは全モノマー重量に基づいて、約０．０１重量％〜約３重量％の範囲の量で存在する。重合は、水性媒体または水性アルコール媒体中で行うことができる。乳化重合を促進するための界面活性剤には、アニオン性界面活性剤、非イオン性界面活性剤、両性界面活性剤、およびカチオン性界面活性剤、ならびにこれらの混合物が含まれる。最も一般的には、アニオン性界面活性剤および非イオン性界面活性剤、ならびにこれらの混合物を利用することができる。
【００６４】
乳化重合を促進するための適切なアニオン性界面活性剤は当技術分野で周知であり、これらに限定されないが、（Ｃ６〜Ｃ１６）アルキルスルフェート、（Ｃ６〜Ｃ１６）アルキルエーテルスルフェート（例えば、ラウリル硫酸ナトリウムおよびラウレス硫酸ナトリウム）、ドデシルベンゼンスルホン酸のアミノおよびアルカリ金属塩、例えば、ドデシルベンゼンスルホン酸ナトリウムおよびドデシルベンゼンスルホン酸ジメチルエタノールアミン、ナトリウム（Ｃ６〜Ｃ１６）アルキルフェノキシベンゼンスルホネート、二ナトリウム（Ｃ６〜Ｃ１６）アルキルフェノキシベンゼンスルホネート、二ナトリウム（Ｃ６〜Ｃ１６）ジアルキルフェノキシベンゼンスルホネート、二ナトリウムラウレス−３スルホスクシネート、ナトリウムジオクチルスルホスクシネート、ナトリウムジ−ｓｅｃ−ブチルナフタレンスルホネート、二ナトリウムドデシルジフェニルエーテルスルホネート、二ナトリウムｎ−オクタデシルスルホスクシネート、分岐アルコールエトキシレートのリン酸エステルなどが含まれる。
【００６５】
乳化重合を促進するのに適した非イオン性界面活性剤は、ポリマーの技術分野において周知であり、これらに限定されないが、線状または分岐状のＣ８〜Ｃ３０脂肪アルコールエトキシレート（カプリルアルコールエトキシレート、ラウリルアルコールエトキシレート、ミリスチルアルコールエトキシレート、セチルアルコールエトキシレート、ステアリルアルコールエトキシレート、セテアリルアルコールエトキシレート、ステロールエトキシレート、オレイルアルコールエトキシレート、およびベヘニルアルコールエトキシレートなど）；アルキルフェノールアルコキシレート（オクチルフェノールエトキシレートなど）；ならびにポリオキシエチレンポリオキシプロピレンブロックコポリマーなどが含まれる。非イオン性界面活性剤として適したさらなる脂肪アルコールエトキシレートを、以下に記載する。他の有用な非イオン性界面活性剤には、ポリオキシエチレングリコールのＣ８〜Ｃ２２脂肪酸エステル、エトキシ化モノグリセリドおよびエトキシ化ジグリセリド、ソルビタンエステルおよびエトキシ化ソルビタンエステル、Ｃ８〜Ｃ２２脂肪酸グリコールエステル、酸化エチレンおよび酸化プロピレンのブロックコポリマー、ならびにこれらの組合せが含まれる。上記のエトキシレートの各々における酸化エチレン単位の数は、一態様において２以上、別の態様において２〜約１５０の範囲でよい。
【００６６】
任意選択的に、乳化重合の技術分野において周知である他の乳化重合添加剤および加工助剤（例えば、補助乳化剤、保護コロイド、溶剤、緩衝剤、キレート剤、無機電解質、ポリマー安定剤、殺生物剤（ｂｉｏｃｉｄｅ）およびｐＨ調整剤など）を、重合系に含めることができる。
【００６７】
開示の技術の一態様では、保護コロイドまたは乳化助剤は、一態様では約８０〜９５パーセント、別の態様では約８５〜９０パーセントの範囲の加水分解度を有するポリ（ビニルアルコール）（ＰＶＡ）から選択される。市販のＰＶＡは、Ｓｅｋｉｓｕｉ  Ｓｐｅｃｉａｌｔｙ  Ｃｈｅｍｉｃａｌｓから販売されているＳｅｌｖｏｌＴＭ  ５０２および２０３である。
【００６８】
典型的な二段階乳化重合において、コア段階モノマーの混合物を、第１の反応器へと、不活性雰囲気下で乳化界面活性剤（例えば、アニオン性界面活性剤）の水溶液に加える。任意選択の加工助剤を、所望のように加えることができる（例えば、保護コロイド、補助乳化剤（複数可））。反応器の内容物を撹拌し、モノマーエマルジョンを調製する。撹拌機、不活性ガス注入口、および供給ポンプを備えた第２の反応器に、不活性雰囲気下で、所望の量の水およびさらなるアニオン性界面活性剤および任意選択の加工助剤を加える。第２の反応器の内容物を、混合撹拌しながら加熱する。第２の反応器の内容物が約５５〜９８℃の範囲の温度に達した後、フリーラジカル開始剤を、第２の反応器中のこのように形成された水性界面活性剤溶液に注入し、第１の反応器からのモノマーエマルジョンを、典型的には約３０分から約４時間の範囲の期間にわたり第２の反応器中に徐々に計量供給する。反応温度を、約４５〜約９５℃の範囲で制御する。モノマー添加が完了した後、さらなる量のフリーラジカル開始剤を第２の反応器に任意選択で加えることができ、このように得られた反応混合物を典型的には、重合反応が完了し、十分な期間、約４５〜９５℃の温度に保持してポリマーエマルジョンを得る。
【００６９】
ポリマーエマルジョン生成物は、エマルジョンの重量に基づき、一態様では約１パーセント〜約６０パーセントの総活性ポリマー固体（ＴＳ）、別の態様では約１０パーセント〜約５０パーセントの総ポリマー固体、なお別の態様では約１５パーセント〜約４５パーセントの総ポリマー固体、さらなる態様では約２５〜約３５パーセント、および約３０〜３２パーセントを含むように調製され得る。
【００７０】
一態様では、ポリマー生成物は、ランダムコポリマーであり、ポリ（メタクリル酸メチル）（ＰＭＭＡ）標準物質で較正したゲル浸透クロマトグラフィー（ＧＰＣ）によって測定すると、一態様では約５００，０００超〜少なくとも約１０億ダルトンもしくはそれより多く、別の態様では約６００，０００〜約４５億ダルトン、さらなる態様では約１，０００，０００〜約３，０００，０００ダルトン、なおさらなる態様では約１，５００，０００〜約２，０００，０００ダルトンの範囲の数平均分子量を有する（ＴＤＳ−２２２、２００７年１０月１５日、Ｌｕｂｒｉｚｏｌ  Ａｄｖａｎｃｅｄ  Ｍａｔｅｒｉａｌｓ，  Ｉｎｃ．を参照のこと。これは参照によって本明細書に援用される）。
【００７１】
任意の中和前に、生成時のポリマーエマルジョンは、典型的には、周囲室温で、約２〜約５．５以下の範囲のｐＨ、約１００ミリパスカル秒（ｍＰａ・ｓ）以下のＢｒｏｏｋｆｉｅｌｄ粘度（スピンドル番号２、２０ｒｐｍ）を有する。
【００７２】
任意選択的に、生成されたポリマーエマルジョンは、ｐＨを約３から約７．５または７．５超までの範囲の値に、アルカリ性ｐＨが望ましい場合にはアルカリ性物質、好ましくはアルカリ金属水酸化物、有機塩基などを使用して、調整することによってさらに処理され得る。ポリマーエマルジョンは、典型的には、中性からアルカリ性ｐＨで約１００ｍＰａ・ｓを超える粘度まで膨潤して粘稠溶液またはゲルを形成し、このポリマーは、一般に、かかるｐＨ値で、さらには約１２を超えるｐＨ値でさえ実質的に安定している。ポリマーエマルジョンを、水または溶媒で希釈する、または、水の一部の蒸発によって濃縮することができる。あるいは、得られたポリマーエマルジョンを、当該分野で周知の装置、例えば、噴霧乾燥機、ドラム乾燥機、または凍結乾燥機などを利用することによって粉末形態または結晶形態まで実質的に乾燥させることができる。
【００７３】
ＡＳＥポリマーは、ポリマーの性能または性質を変化させることも、それらに悪影響を与えることもなく最終組成物の使用が意図されている形態を得るために、必要に応じて種々の公知の添加物および慣用的なアジュバントおよび溶媒をエマルジョン生成物に組み込むことによって利用することができる。あるいは、前記ポリマーを、ある一成分として、慣用的な混合装置を使用して、好ましくは液体形態の配合物中に組み込むことができる。
【００７４】
開示の技術のＡＳＥポリマーを、皮膜形成剤として使用することができる。選択したＡＳＥポリマー皮膜形成剤のガラス転移温度（Ｔｇ）が周囲室温を実質的に超える場合、ＡＳＥ皮膜形成剤のＴｇを、例えば、融合剤、可塑剤、およびその混合物などの添加物を配合物に含めることによって所望のＴｇが達成されるように調整することができる。かかる添加物は、ＡＳＥポリマーのＴｇを周囲室温または所望の温度に低下させることによって薄膜形成を補助することができる。
【００７５】
開示の技術のＡＳＥポリマーを、例えば、制限されないが、レオロジー改変剤、懸濁化剤、皮膜形成剤、増粘剤、安定剤、乳化剤、可溶化剤などとして、パーソナルケア製品、局所ヘルスケア製品、家庭用ケア製品、施設および産業（Ｉ＆Ｉ）用製品、ならびに産業プロセス用の配合された組成物において利用することができる。前述の製品は、典型的には、当該分野で周知の種々の添加物および慣用的なアジュバント（制限されないが、酸性化するかアルカリ性化するｐＨ調整剤および緩衝剤；固定剤および皮膜形成助剤、例えばゴム、樹脂、および合成または天然起源のポリマーなど；レオロジー改変助剤、例えば粘度を増大させるポリマー増粘剤またはゲル化剤、添加物、例えば乳化剤、エマルジョン安定剤、ワックス、および分散剤など、ならびに粘度調整剤、例えば溶媒、および電解質など；髪および皮膚のコンディショニング剤、例えば帯電防止剤、合成油、植物油または動物油、シリコーン油、モノマーおよびポリマーの四級化アンモニウム塩、軟化剤、保湿剤、潤滑剤、および日焼け防止剤など；化学的な毛髪用ウェーブ剤または直毛化剤（ｃｈｅｍｉｃａｌ  ｈａｉｒ  ｗａｖｉｎｇ  ｏｒ  ｓｔｒａｉｇｈｔｅｎｉｎｇ  ａｇｅｎｔｓ）；染毛剤、例えば一過性、半恒久的、または恒久的な染毛のための顔料および色素など；界面活性剤、例えばアニオン性、カチオン性、非イオン性、両性の、および双性イオンの界面活性剤など；ポリマー薄膜改変剤、例えば可塑剤、保湿剤、粘着付与剤（ｔａｃｋｉｆｉｅｒ）、粘着性低下剤（ｄｅｔａｃｋｉｆｉｅｒ）、および湿潤剤など、製品仕上げ剤、例えばキレート剤、乳白剤、真珠光沢化剤（ｐｅａｒｌｅｓｃｉｎｇ  ａｇｅｎｔ）、防腐剤、香料、可溶化剤、着色剤、例えば顔料および色素など、およびＵＶ吸収剤など；噴射剤（水混和性または水非混和性）、例えばフッ化炭化水素、液体揮発性炭化水素、および圧縮ガスなど；ならびにその混合物が挙げられる）を含むことができる。
【００７６】
一実施形態では、開示の技術のＡＳＥポリマーを、水性組成物内に微粒子状物質および不溶性液滴を浮遊させるために利用することができる。かかる流体は、油および気体、パーソナルケア、ホームケア、塗料、コーティング、およびインク、ならびに接着剤／結合剤組成物で有用である。
【００７７】
安定な組成物は、長期間、例えば４５℃で少なくとも１ヶ月間などにわたって、粘度が有意に増加も減少もせずに良好なずり減粘性を有し、相分離（例えば、沈殿またはクリーム分離（表面に浮上する）することなど）も、透明性の喪失もない、なめらかで許容され得るレオロジーを維持する。
【００７８】
コーティング、インク、および接着剤／結合剤産業では、開示の技術のＡＳＥポリマーは、ａ）連続媒体（しばしば、水をベースとする）より高密度または低密度である、固体粒子、分散液体、閉じ込められたガス、および微粒子の沈殿またはクリーム分離を調節するか最小にする（浮遊を補助する）ため；ｂ）コーティング、インク、または接着剤の連続層または不連続層の、基板に対する塗布粘度を調節するため；ｃ）コーティング、インク、または接着剤が連続的なゲル化ポリマーを形成するまで、塗布直前または塗布後にコーティング、インク、または接着剤の移動または流動を最小にするため；ｅ）いくつかの塗布プロセスにおいて跳ねおよびミスチングを抑制するため；ｆ）その他、前述の塗布において最適な保存、塗布の容易さ、および最終的な表面仕上げを容易にするために、液体組成物の粘度を調整するのに有用である。コーティング、インク、および接着剤は、コーティング、インク、および接着剤で使用される粒子状または繊維状の充填剤、顔料、色素、他のポリマー、界面活性剤および／または分散剤、融合助剤、可塑剤、殺生物剤、および他の慣用的な添加物を含むことができる。コーティングを、金属、プラスチック、木材、石材、織物、紙などに使用することができる。インクを、任意のインク基材、例えば紙、ポリマー、織布、不織布、薄膜などに使用することができる。ＡＳＥポリマーは、コーティング、インク、または接着剤の粘度調節および光学的透明度（着色した組成物の色の強さを補助する）の両方に寄与し得る。
【００７９】
パーソナルケア産業、局所用ヘルスケア産業、およびホームケア産業では、開示の技術のＡＳＥポリマーを、水性で界面活性剤を含む組成物を粘稠化し、界面活性剤含有組成物、ヘアケアおよび皮膚ケア用の組成物、および化粧品の降伏応力特性（不溶性および粒子状の物質を安定に浮遊させる特性）を改良するためのレオロジー改変剤として利用することができる。ＡＳＥポリマーを、不溶性のシリコーン、乳白剤および真珠光沢剤（ｐｅａｒｌｅｓｃｅｎｔ  ａｇｅｎｔ）（例えば、雲母、被覆雲母）、顔料、剥離剤（ｅｘｆｏｌｉａｎｔ）、フケ防止剤、粘土、膨潤性粘土、ラポナイト、気泡（美容用エアバブル）、リポソーム、マイクロスポンジ（ｍｉｃｒｏｓｐｏｎｇｅｓ）、化粧用ビーズ、香料用マイクロカプセル、香料用粒子、効果剤（ｂｅｎｅｆｉｔ  ａｇｅｎｔ）を含むマイクロカプセルおよび粒子、化粧用マイクロカプセル、およびフレークを浮遊させるために利用することができる。開示の技術のＡＳＥポリマーは、２３℃で一態様では少なくとも１か月間、別の態様では少なくとも６か月間、さらなる態様では少なくとも１年間これらの物質を浮遊させて安定化することができる。
【００８０】
パーソナルケアおよび局所用ヘルスケアのための組成物は、美容および薬学に関する文献から公知のレオロジー改変または粘稠化を必要とする任意の美容、洗面用品、および局所用の薬学的配合物を含むことができる。レオロジー改変剤としてＡＳＥポリマーを含むことができる局所用パーソナルケア配合物としては、限定されないが、シャンプー、化学的ヘアカール製品および直毛化製品（ｈａｉｒ  ｃｕｒｌｉｎｇ  ａｎｄ  ｈａｉｒ  ｓｔｒａｉｇｈｔｅｎｉｎｇ  ｐｒｏｄｕｃｔｓ）および非化学的なヘアカール製品および直毛化製品、ヘアスタイル維持製品、爪、手、足、顔、頭皮、および身体のためのエマルジョンローションおよびクリーム、染毛剤、顔および身体の化粧品、ネイルケア製品、収斂薬、消臭剤、制汗剤、脱毛剤、皮膚保護用のクリームおよびローション、例えば日焼け止め、皮膚および身体のクレンザー、皮膚用コンディショナー、化粧水、皮膚用引き締め組成物、液体せっけん、固形せっけん、浴用製品、および髭剃り用製品などが挙げられる。クレンジングまたは沈静化するために皮膚および粘膜に塗布する局所用ヘルスケア用の配合組成物に、パーソナルケア製品と同一の製品形態であるが、主に成分の純度および局所的に活性な医薬品が存在することが異なる、パーソナルケア製品のために使用される同一の生理学的に許容され得る化粧品成分および化学的に不活性な成分の多くを配合する。例えば、局所用ヘルスケア製品としては、医薬品または市販製品として分類され得る口腔衛生品、例えば練り歯磨き、経口懸濁液（ｏｒａｌ  ｓｕｓｐｅｎｓｉｏｎ）、および口腔ケア製品などが挙げられ、植物性医薬成分または栄養補助成分（ｐｈｙｔｏｐｈａｒｍａｃｅｕｔｉｃ  ｏｒ  ｎｕｔｒａｃｅｕｔｉｃａｌ  ｉｎｇｒｅｄｉｅｎｔ）を含む薬用化粧品が挙げられる。
【００８１】
パーソナルケアおよび局所用ヘルスケア用の組成物は、制限されないが、皮膚および毛髪に塗布されてから、例えば、水で洗い流すか、シャンプーまたはせっけんで洗うことによって、除去するまで皮膚および毛髪との接触を維持する、液体、例えばリンスなど、ゲル、スプレー、エマルジョン、例えばローションおよびクリームなど、シャンプー、ポマード、泡、軟膏、錠剤、スティック、例えばリップケア製品など、顔用化粧品、および坐剤、ならびに同様の製品の形態であり得る。ゲルは、軟質であってもよく、硬質であってもよく、押しつぶすことが可能であってもよい。エマルジョンは、水中油型であってもよく、油中水型であってもよく、多相であってもよい。スプレーは、手作業でポンピングされる手指作動型噴霧器から送達される非加圧エアロゾルであり得るか、加圧エアロゾルであり得る。ＡＳＥポリマーを、化学的噴射剤または気体の噴射剤を必要とするエアロゾル組成物、例えばスプレー、ムース、または泡を形成する配合物などに配合することができる。生理学的に且つ環境的に許容され得る噴射剤、例えば圧縮ガス、フッ化炭化水素、および液体揮発性炭化水素など、ならびに使用量および使用に適切な組み合わせは、化粧品分野および薬学分野ならびに文献において周知である。
【００８２】
パーソナルケアおよび化粧品の成分およびその機能に関する広範なリストは、例えば、ＩＮＣＩ  Ｄｉｃｔｉｏｎａｒｙの、一般に、第７版の第２巻第４節（特に本明細書中で参考として援用される）に認められる。パーソナルケア製品およびヘルスケア製品の配合分野の当業者は、いくつかの成分は多機能であり、それ故、配合物中で１つより多くの目的を果たすのに役立ち得ることを認識している。したがって、パーソナルケア製品またはヘルスケア製品の成分として使用されるＡＳＥポリマーの量は、配合された組成物の目的および性質がその意図する機能を果たす限り、制限されない。
【００８３】
レオロジー改変剤として開示の技術のＡＳＥポリマーを含むことができる典型的な家庭用ケア製品およびＩ＆Ｉケア製品としては、制限されないが、台所および浴室のカウンター甲板、タイル表面、および実用品（前述の場所で使用されるか設置されている器具が含まれる）のための表面クレンザー、トイレクレンザー（便器周縁部用ゲルが挙げられる）、床用クレンザー、壁用クレンザー、研磨剤、空気清浄ゲル、洗浄剤、食器および洗濯物用の処理剤およびクレンザー、例えば柔軟剤、部分洗い用洗剤（ｓｐｏｔ  ｒｅｄｕｃｅｒ）、および布地処理剤などが挙げられる。
【００８４】
本発明のＡＳＥポリマーおよびポリマー組成物は、ｐＨ反応性である。乳化重合が生じる低ｐＨレベル（すなわち、５またはそれ未満のｐＨレベル）では、組成物は、比較的薄いか非粘着性である。アルカリ性物質（塩基）の添加によってポリマー分散液のｐＨが中和されるか、一態様ではｐＨ約５．５またはそれより高いｐＨ、別の態様では約６．５〜約１１のｐＨに調整される場合、組成物は実質的に粘稠化する。ポリマーが組成物の水相に部分的または完全に溶解するにつれて粘度が増大する。エマルジョンポリマーを塩基とブレンドし、水相に添加した場合に、その場で中和が起き得る。あるいは、所与の適用を望む場合に、水性生成物とブレンドした場合に中和することができる。
【００８５】
無機および有機の塩基、ならびにこれらの組合せを含めた多くのタイプのアルカリ性中和剤を、使用してポリマーを中和することができる。無機塩基の例には、これらに限定されないが、アルカリ金属水酸化物（特に、ナトリウム、カリウム、およびアンモニウム）、ならびに無機酸のアルカリ金属塩（ホウ酸ナトリウム（ホウ砂）、リン酸ナトリウム、ピロリン酸ナトリウムなど）；ならびにこれらの混合物が含まれる。有機塩基の例には、これらに限定されないが、トリエタノールアミン（ＴＥＡ）、ジイソプロパノールアミン、トリイソプロパノールアミン、アミノメチルプロパノール、ドデシルアミン、コカミン、オレアミン、モルホリン、トリアミルアミン、トリエチルアミン、テトラキス（ヒドロキシプロピル）エチレンジアミン、Ｌ−アルギニン、アミノメチルプロパノール、トロメタミン（２−アミノ２−ヒドロキシメチル−１，３−プロパンジオール）、およびＰＥＧ−１５コカミンが含まれる。代わりに、他のアルカリ性材料は、単独で、または上記の無機および有機の塩基と組み合わせて使用することができる。このような材料には、界面活性剤、界面活性剤混合物、本発明のポリマーを含有する組成物において合わせた場合、ポリマー主鎖上のカルボキシル基を中和または部分的に中和することができる事前に中和された界面活性剤または材料が含まれる。組成物のｐＨを増加させることができる任意の材料は適切である。
【００８６】
開示の技術のＡＳＥポリマーを含む組成物は、一態様では約４〜約１２、別の態様では約６〜約７．５、さらなる態様では約６．５〜約７の所望のｐＨ範囲を有する。
【００８７】
配合分野の当業者は、前述の組成物中で使用することができるＡＳＥポリマーの量を決定することができる。したがって、所望の生成物の物理化学的性質および機能的性質が達成される限り、全組成物重量をベースとするポリマーの有用な量は、典型的には、組成物全体の重量（１００パーセント活性ポリマー固体に対する全ポリマー重量）に対して一態様では約０．０１〜約２５重量パーセント、別の態様では約０．１〜約１５重量パーセント、さらなる態様では約０．５〜約１０重量パーセント、なおさらなる態様では約０．７５〜約８重量％、および追加的な態様では約１〜約５重量パーセントの範囲で変わり得る。
【００８８】
一実施形態では、開示の技術は、水、１つまたは複数の界面活性剤、および開示の技術のＡＳＥポリマーを含むパーソナルケア組成物に関する。本技術の一態様では、開示のＡＳＥポリマーを、界面活性剤と配合して、粘稠化した界面活性剤含有組成物を得ることができる。界面活性剤を、少なくとも１つのアニオン性界面活性剤、少なくとも１つのカチオン性界面活性剤、少なくとも１つの両性界面活性剤または双性イオン界面活性剤、少なくとも１つの非イオン性界面活性剤、およびその混合物から選択することができる。
【００８９】
一実施形態において、開示の技術は、水、１種または複数種の界面活性剤、および開示の技術に従う少なくとも１つのＡＳＥポリマーを含むパーソナルケア組成物に関し、１種または複数種の界面活性剤は、一態様では約３〜約２５重量％、別の態様では約５〜約２０重量％、さらなる態様では約８〜約１６重量％（組成物全体の重量に基づいて、１００％活性物質）の範囲の広範な濃度にわたって存在し、少なくとも１つのＡＳＥポリマーは、一態様では約１〜約５重量％、別の態様では約１．５〜約４重量％、さらなる態様では約１．７５〜約３重量％存在し（組成物の全重量に基づいて、１００％活性物質）、このような組成物は、一態様では約１，０００〜約３５，０００ｍＰａ・ｓ、別の態様では約３，０００〜約２５，０００ｍＰａ・ｓ、なお別の態様では約５，０００〜約２０，０００ｍＰａ・ｓ、さらなる態様では約８，０００〜約１５，０００ｍＰａ・ｓの範囲の理想的な粘度を有し（２０〜２５℃の範囲の周囲室温で約２０ｒｐｍでブルックフィールド回転スピンドル粘度計、Ｍｏｄｅｌ  ＲＶＴにおいて測定した場合に）、そのような組成物は、一態様では０Ｐａより大きな、別の態様では約１〜約９Ｐａの範囲、なお別の態様では約１０〜約２０Ｐａ、さらなる態様では約２１〜約３０Ｐａ、なおさらなる態様では約３０Ｐａより大きな降伏応力を有し、そのような組成物は、不溶性かつ／または粒子状の物質を、４５℃またはこれを上回る高温で長期間、一態様では少なくとも約１週間、別の態様では少なくとも約１か月間、さらなる態様では少なくとも約３か月間浮遊させることができる。
【００９０】
一実施形態では、開示の技術は、水、１つまたは複数のスルフェート非含有界面活性剤、および開示の技術のＡＳＥポリマーを含むパーソナルケア組成物に関する。一般的に言えば、スルフェート非含有界面活性剤系を含む組成物を粘稠化する場合、高い透明性および良好なビーズ懸濁（降伏応力）を得ることは困難である。開示の技術のポリマーは、スルフェート非含有界面活性剤を含む配合物を粘稠化することができる一方で、良好な透明性およびかかる配合物内での不溶性および粒子状の物質の安定な浮遊を提供する。
【００９１】
アニオン性界面活性剤の非限定的な例は、Ａｌｌｕｒｅｄ  Ｐｕｂｌｉｓｈｉｎｇ  Ｃｏｒｐｏｒａｔｉｏｎによって出版されたＭｃＣｕｔｃｈｅｏｎ’ｓ  Ｄｅｔｅｒｇｅｎｔｓ  ａｎｄ  Ｅｍｕｌｓｉｆｉｅｒｓ、Ｎｏｒｔｈ  Ａｍｅｒｉｃａｎ  Ｅｄｉｔｉｏｎ、１９９８年；およびＭｃＣｕｔｃｈｅｏｎ’ｓ、Ｆｕｎｃｔｉｏｎａｌ  Ｍａｔｅｒｉａｌｓ、Ｎｏｒｔｈ  Ａｍｅｒｉｃａｎ  Ｅｄｉｔｉｏｎ（１９９２年）に開示されており、これらの両方ともその全体が参照により本明細書に援用される。アニオン性界面活性剤は、合成界面活性剤（ｓｙｎｄｅｔ）および脂肪酸せっけんを含め、水性界面活性剤組成物の技術分野で公知であるかまたは以前に使用されている任意のアニオン性界面活性剤であってもよい。
【００９２】
適切なアニオン性ｓｙｎｄｅｔ界面活性剤としては、限定されないが、アルキルスルフェート、アルキルエーテルスルフェート、アルキルスルホネート、アルキルアリールスルホネート、アルケニルおよびヒドロキシアルキルα−オレフィン−スルホネート、およびその混合物、アルキルアミドスルホネート、アルカリールポリエーテルスルフェート、アルキルアミドエーテルスルフェート、アルキルおよびアルケニルモノグリセリルエーテルスルフェート、アルキルおよびアルケニルモノグリセリドスルフェート、アルキルおよびアルケニルモノグリセリドスルホネート、アルキルスルホアセテート、アルキルおよびアルケニルスクシネート、アルキルおよびアルケニルスルホスクシネート、アルキルおよびアルケニルスルホスクシネート（ｓｕｌｆｏｓｕｃｃｉｎａｍａｔｅ）、アルキルおよびアルケニルエーテルスルホスクシネート、アルキルおよびアルケニルアミドスルホスクシネート；アルキルおよびアルケニルスルホアセテート、アルキルおよびアルケニルホスフェート、アルキルおよびアルケニルエーテルホスフェート、アルキルおよびアルケニルカルボキシレート、アルキルおよびアルケニルエーテルカルボキシレート、アルキルおよびアルケニルアミドエーテルカルボキシレート、Ｎ−アルキルアミノ酸、Ｎ−アシルアミノ酸、アルキルペプチド、Ｎ−アシルタウレート、アシルイセチオネート、アシル基が脂肪酸から誘導されたカルボン酸塩；ならびにそのアルカリ金属塩、アルカリ土類金属塩、アンモニウム塩、アミン塩およびトリエタノールアミン塩が挙げられる。
【００９３】
一態様では、前述の塩のカチオン部分は、ナトリウム、カリウム、マグネシウム、アンモニウム、モノエタノールアミン塩、ジエタノールアミン塩およびトリエタノールアミン塩ならびにモノイソプロピルアミン塩、ジイソプロピルアミン塩およびトリイソプロピルアミン塩から選択される。上述の界面活性剤のアルキル基およびアシル基は、一態様では約６〜約２４個の炭素原子、別の態様では８〜２２個の炭素原子、さらなる態様では約１２〜１８個の炭素原子を含み、これらは飽和であっても不飽和であってもよい。界面活性剤中のアリール基は、フェニルまたはベンジルから選択される。上記のエーテル含有界面活性剤は、一態様では界面活性剤１分子あたり１〜１０個のエチレンオキシドおよび／またはプロピレンオキシド単位、別の態様では界面活性剤１分子あたり１〜３個のエチレンオキシド単位を含むことができる。
【００９４】
適切なアニオン性界面活性剤の例としては、限定されないが、ナトリウム、カリウム、リチウム、マグネシウム、アンモニウム、およびトリエタノールアミンラウリルスルフェート、ココスルフェート、トリデシルスルフェート、ミリスチル（ｍｙｒｓｔｙｌ）スルフェート、セチルスルフェート、セテアリルスルフェート、ステアリルスルフェート、オレイルスルフェート、およびタロースルフェート；１、２、３、４または５モルのエチレンオキシドでエトキシ化された、ラウレススルフェート、トリデセススルフェート、ミレススルフェート、Ｃ１２〜Ｃ１３パレススルフェート、Ｃ１２〜Ｃ１４パレススルフェートおよびＣ１２〜Ｃ１５パレススルフェートのナトリウム塩、カリウム塩、リチウム塩、マグネシウム塩およびアンモニウム塩；ジナトリウムラウリルスルホスクシネート、ジナトリウムラウレススルホスクシネート、ナトリウムココイルイセチオネート、ナトリウムＣ１２〜Ｃ１６オレフィンスルホネート、ナトリウムラウレス−６カルボキシレート、ナトリウムメチルココイルタウレート、ナトリウムドデシルベンゼンスルホネート、ナトリウムココイルサルコシネート、トリエタノールアミンモノラウリルホスフェート、ナトリウムラウリルスルホアセテートならびに脂肪酸せっけん（約８〜約２２個の炭素原子を含有する飽和脂肪酸および不飽和脂肪酸のナトリウム、カリウム、アンモニウム、およびトリエタノールアミン塩を含む）が挙げられる。
【００９５】
アニオン性脂肪酸せっけんは、約８〜約２２個の炭素原子を含む脂肪酸の塩およびその混合物である。別の態様では、脂肪酸せっけんは、約１０〜約１８個の炭素原子、およびその混合物を含む。さらなる態様では、脂肪酸せっけんは、約１２〜約１６個の炭素原子、およびその混合物を含む。せっけんで使用される脂肪酸は、飽和脂肪酸および不飽和脂肪酸であり得、合成供給源から、ならびに脂肪および天然の油類の加水分解から誘導され得る。
【００９６】
例示的な飽和脂肪酸としては、限定されないが、オクタン酸、デカン酸、ラウリン酸、ミリスチン酸、ペンタデカン酸、パルミチン酸、マルガリン酸、ステアリン酸（ｓｔｅｒｉｃ）、イソステアリン酸、ノナデカン酸、アラキジン酸、およびベヘン酸など、ならびにその混合物が挙げられる。例示的な不飽和脂肪酸としては、限定されないが、ミリストレイン酸、パルミトレイン酸、オレイン酸、リノール酸、およびリノレン酸など、ならびにその混合物が挙げられる。脂肪酸は、動物性脂肪、例えば獣脂、豚脂、家禽脂など、または植物源、例えばココナッツ油、レッドオイル、パーム核油、パーム油、綿実油、亜麻仁油、ヒマワリ種子油、オリーブ油、ダイズ油、ピーナッツ油、トウモロコシ油、ベニバナ油、ゴマ油、ナタネ油、キャノーラ油など、ならびにその混合物に由来し得る。
【００９７】
せっけんを、種々の周知の手段、例えば脂肪酸またはその混合物の直接的な塩基中和または適切な脂肪および植物油またはその混合物の適切な塩基でのけん化などによって調製することができる。例示的な塩基としては、水酸化カリウム、炭酸カリウム、水酸化ナトリウム、およびアルカノールアミン、例えばトリエタノールアミンなどが挙げられる。一般に、脂肪および油を液化するまで加熱し、所望の塩基の溶液をそれに添加する。開示の技術の方法で利用される組成物中に含まれるせっけんを、例えば、当業者に周知の手順を使用して、天然油脂、例えば獣脂またはココナッツ油などまたはその等価物をアルカリ金属水酸化物でけん化する古典的な湯沸かし製法（ｋｅｔｔｌｅ  ｐｒｏｃｅｓｓ）または現代の連続製造プロセスなどによって作製することができる。あるいは、せっけんを、遊離脂肪酸、例えばラウリン酸（Ｃ１２）、ミリスチン酸（Ｃ１４）、パルミチン酸（Ｃ１６）、ステアリン酸（ｓｔｅｒｉｃ  ａｃｉｄ）（Ｃ１８）、イソステアリン酸（Ｃ１８）、およびその混合物などの、アルカリ金属の水酸化物または炭酸塩での直接中和によって作製することができる。
【００９８】
本技術の実施に適切なアミノ酸ベースの界面活性剤としては、式：
【化７】
2019502800.tif 000009
（式中、Ｒ３０は１０〜２２個の炭素原子を有する飽和もしくは不飽和炭化水素基、または９〜２２個の炭素原子を有する飽和もしくは不飽和炭化水素基を含有するアシル基を表し、Ｙは水素またはメチルであり、Ｚは水素、−ＣＨ３、−ＣＨ（ＣＨ３）２、−ＣＨ２ＣＨ（ＣＨ３）２、−ＣＨ（ＣＨ３）ＣＨ２ＣＨ３、−ＣＨ２Ｃ６Ｈ５、−ＣＨ２Ｃ６Ｈ４ＯＨ、−ＣＨ２ＯＨ、−ＣＨ（ＯＨ）ＣＨ３、−（ＣＨ２）４ＮＨ２、−（ＣＨ２）３ＮＨＣ（ＮＨ）ＮＨ２、−ＣＨ２Ｃ（Ｏ）Ｏ−Ｍ＋、−（ＣＨ２）２Ｃ（Ｏ）Ｏ−Ｍ＋から選択される。Ｍは塩形成カチオンである）
によって表される界面活性剤が挙げられる。一態様では、Ｒ３０は、直鎖状または分岐状Ｃ１０〜Ｃ２２アルキル基、直鎖状または分岐状Ｃ１０〜Ｃ２２アルケニル基、Ｒ３１Ｃ（Ｏ）−で表されるアシル基から選択されるラジカルを表し、ここでＲ３１は、直鎖状または分岐状Ｃ９〜Ｃ２２アルキル基、直鎖状または分岐状Ｃ９〜Ｃ２２アルケニル基から選択される。一態様では、Ｍ＋は、ナトリウム、カリウム、アンモニウム、ならびにモノトリエタノールアミン、ジトリエタノールアミンおよびトリエタノールアミン（ＴＥＡ）のアンモニウム塩から選択されるカチオンである。
【００９９】
アミノ酸界面活性剤は、α−アミノ酸（例えば、アラニン、アルギニン、アスパラギン酸、グルタミン酸、グリシン、イソロイシン、ロイシン、リシン、フェニルアラニン、セリン、チロシン、およびバリンなど）のアルキル化およびアシル化によって誘導され得る。代表的なＮ−アシルアミノ酸界面活性剤は、限定されないが、Ｎ−アシル化グルタミン酸のモノカルボン酸塩およびジカルボン酸塩（例えば、ナトリウム、カリウム、アンモニウムおよびＴＥＡ）、例えば、ココイルグルタミン酸ナトリウム、ラウロイルグルタミン酸ナトリウム、ミリストイルグルタミン酸ナトリウム、パルミトイルグルタミン酸ナトリウム、ステアロイルグルタミン酸ナトリウム、ココイルグルタミン酸ジナトリウム、ステアロイルグルタミン酸ジナトリウム、ココイルグルタミン酸カリウム、ラウロイルグルタミン酸カリウムおよびミリストイルグルタミン酸カリウム；Ｎ−アシル化アラニンのカルボン酸塩（例えば、ナトリウム、カリウム、アンモニウムおよびＴＥＡ）、例えば、ココイルアラニンナトリウムおよびラウロイルアラニンＴＥＡ；Ｎ−アシル化グリシンのカルボン酸塩（例えば、ナトリウム、カリウム、アンモニウムおよびＴＥＡ）、例えば、ココイルグリシンナトリウムおよびココイルグリシンカリウム；Ｎ−アシル化サルコシンのカルボン酸塩（例えば、ナトリウム、カリウム、アンモニウムおよびＴＥＡ）、例えば、ラウロイルサルコシンナトリウム、ココイルサルコシンナトリウム、ミリストイルサルコシンナトリウム、オレオイルサルコシンナトリウムおよびラウロイルサルコシンアンモニウム；ならびに前述の界面活性剤の混合物である。
【０１００】
組成物におけるアニオン性界面活性剤の成分は、所望のクレンジングおよび泡立ち性能を提供するのに十分であるべきであり、一般に、一態様では約２〜約５０重量パーセントの活性物質、別の態様では約８〜約３０重量パーセント、なお別の態様では約１０〜約２５重量パーセント、さらなる態様では約１２〜約２２重量パーセントの範囲であり、全ての重量パーセントは組成物全体の重量に基づく。
【０１０１】
カチオン性界面活性剤は、水性界面活性剤組成物の技術分野で公知のまたは従前に使用されているカチオン性界面活性剤のいずれかでよい。有用なカチオン性界面活性剤は、例えば、ＭｃＣｕｔｃｈｅｏｎ’ｓ  Ｄｅｔｅｒｇｅｎｔｓ  ａｎｄ  Ｅｍｕｌｓｉｆｉｅｒｓ，  Ｎｏｒｔｈ  Ａｍｅｒｉｃａｎ  Ｅｄｉｔｉｏｎ，  １９９８（上記）およびＫｉｒｋ−Ｏｔｈｍｅｒ，  Ｅｎｃｙｃｌｏｐｅｄｉａ  ｏｆ  Ｃｈｅｍｉｃａｌ  Ｔｅｃｈｎｏｌｏｇｙ，  ４ｔｈ  Ｅｄ．，  Ｖｏｌ．  ２３，  ｐｐ．  ４７８−５４１（これらの内容は参考として本明細書に援用される）に記載のもののうちの１つまたは複数であり得る。適切なクラスのカチオン性界面活性剤には、これらに限定されないが、アルキルアミン、アルキルイミダゾリン、エトキシ化アミン、第四級化合物、および四級化エステルが含まれる。さらに、アルキルアミンオキシドは、低ｐＨでカチオン性界面活性剤として機能することができる。
【０１０２】
アルキルアミン界面活性剤は、第一級、第二級および第三級脂肪Ｃ１２〜Ｃ２２アルキルアミンの塩（置換または非置換）、および「アミドアミン」と称されることがある物質でよい。アルキルアミンおよびこれらの塩の非限定的例には、ジメチルコカミン、ジメチルパルミタミン、ジオクチルアミン、ジメチルステアラミン、ジメチルソイアミン、ソイアミン、ミリスチルアミン、トリデシルアミン、エチルステアリルアミン、Ｎ−タロープロパンジアミン、エトキシ化ステアリルアミン、ジヒドロキシエチルステアリルアミン、アラキジルベヘニルアミン、ジメチルラウラミン、ステアリルアミン塩酸塩、ソイアミンクロリド、ステアリルアミンホルメート、Ｎ−タロープロパンジアミンジクロリド、およびアモジメチコンが含まれる。
【０１０３】
アミドアミンおよびこれらの塩の非限定的例には、ステアルアミドプロピルジメチルアミン、ステアルアミドプロピルジメチルアミンシトレート、パルミトアミドプロピルジエチルアミン、およびコカミドプロピルジメチルアミンラクテートが含まれる。
【０１０４】
アルキルイミダゾリン界面活性剤の非限定的例には、アルキルヒドロキシエチルイミダゾリン（ステアリルヒドロキシエチルイミダゾリン、ココヒドロキシエチルイミダゾリン、エチルヒドロキシメチルオレイルオキサゾリンなど）が含まれる。
【０１０５】
エトキシ化アミンの非限定的例には、ＰＥＧ−ココポリアミン、ＰＥＧ−１５タローアミン、クオタニウム−５２などが含まれる。
【０１０６】
カチオン性界面活性剤として有用な第四級アンモニウム化合物の中で、いくつかは、一般式：（Ｒ３３Ｒ３４Ｒ３５Ｒ３６Ｎ＋）Ｅ−に相当し、式中、Ｒ３３、Ｒ３４、Ｒ３５、およびＲ３６は、独立に、１〜約２２個の炭素原子を有する脂肪族基、またはアルキル鎖中に１〜約２２個の炭素原子を有する芳香族、アルコキシ、ポリオキシアルキレン、アルキルアミド、ヒドロキシアルキル、アリールもしくはアルキルアリール基から選択され、Ｅ−は、ハロゲン（例えば、クロリド、ブロミド）、アセテート、シトレート、ラクテート、グリコレート、ホスフェート、ニトレート、スルフェート、およびアルキルスルフェートから選択されるものなどの塩形成アニオンである。脂肪族基は、炭素および水素原子に加えて、エーテル結合、エステル結合、および他の基（アミノ基など）を含有することができる。より長鎖の脂肪族基、例えば、約１２個以上の炭素のものは、飽和または不飽和でよい。一態様において、アリール基は、フェニルおよびベンジルから選択される。
【０１０７】
例示的第四級アンモニウム界面活性剤には、これらに限定されないが、セチルトリメチルアンモニウムクロリド、セチルピリジニウムクロリド、ジセチルジメチルアンモニウムクロリド、ジヘキサデシルジメチルアンモニウムクロリド、ステアリルジメチルベンジルアンモニウムクロリド、ジオクタデシルジメチルアンモニウムクロリド、ジエイコシルジメチルアンモニウムクロリド、ジドコシルジメチルアンモニウムクロリド、ジヘキサデシルジメチルアンモニウムクロリド、ジヘキサデシルジメチルアンモニウムアセテート、ベヘニルトリメチルアンモニウムクロリド、ベンザルコニウムクロリド、ベンゼトニウムクロリド、およびジ（ココナッツアルキル）ジメチルアンモニウムクロリド、ジタロージメチルアンモニウムクロリド、ジ（水素化タロー）ジメチルアンモニウムクロリド、ジ（水素化タロー）ジメチルアンモニウムアセテート、ジタロージメチルアンモニウムメチルスルフェート、ジタロージプロピルアンモニウムホスフェート、およびジタロージメチルアンモニウムニトレートが含まれる。
【０１０８】
アミンオキシドは、低ｐＨでプロトン化し、Ｎ−アルキルアミンと同様に挙動することができる。その例には、これらに限定されないが、ジメチル−ドデシルアミンオキシド、オレイルジ（２−ヒドロキシエチル）アミンオキシド、ジメチルテトラデシルアミンオキシド、ジ（２−ヒドロキシエチル）−テトラデシルアミンオキシド、ジメチルヘキサデシルアミンオキシド、ベヘナミンオキシド、コカミンオキシド、デシルテトラデシルアミンオキシド、ジヒドロキシエチルＣ１２〜Ｃ１５アルコキシプロピルアミンオキシド、ジヒドロキシエチルコカミンオキシド、ジヒドロキシエチルラウラミンオキシド、ジヒドロキシエチルステアラミンオキシド、ジヒドロキシエチルタローアミンオキシド、水素化パーム核アミンオキシド、水素化タローアミンオキシド、ヒドロキシエチルヒドロキシプロピルＣ１２〜Ｃ１５アルコキシプロピルアミンオキシド、ラウラミンオキシド、ミリスタミンオキシド、セチルアミンオキシド、オレアミドプロピルアミンオキシド、オレアミンオキシド、パルミタミンオキシド、ＰＥＧ−３ラウラミンオキシド、ジメチルラウラミンオキシド、カリウムトリスホスホノメチルアミンオキシド、ソイアミドプロピルアミンオキシド、コカミドプロピルアミンオキシド、ステアラミンオキシド、タローアミンオキシド、およびこれらの混合物が含まれる。
【０１０９】
カチオン性界面活性剤活性物質の量は、一般に、組成物の全重量に基づいて、一態様では約０．０１〜約１０重量パーセント、別の態様では約０．０５〜約７．５重量パーセント、さらなる態様では約０．１〜約５重量パーセントの範囲である。
【０１１０】
「両性界面活性剤」という用語は本明細書において用いる場合、両性界面活性剤のサブセットとして当技術分野の配合技術者に周知である双性イオン界面活性剤も包含するものとする。両性界面活性剤の非限定的な例は、ＭｃＣｕｔｃｈｅｏｎ’ｓ  Ｄｅｔｅｒｇｅｎｔｓ  ａｎｄ  Ｅｍｕｌｓｉｆｉｅｒｓ、Ｎｏｒｔｈ  Ａｍｅｒｉｃａｎ  Ｅｄｉｔｉｏｎ、前出、およびＭｃＣｕｔｃｈｅｏｎ’ｓ、Ｆｕｎｃｔｉｏｎａｌ  Ｍａｔｅｒｉａｌｓ、Ｎｏｒｔｈ  Ａｍｅｒｉｃａｎ  Ｅｄｉｔｉｏｎ、前出に開示されており、両方ともその全体が参照によって本明細書に援用される。適切な例としては、限定されないが、ベタイン、スルタイン、およびアルキルアンフォカルボキシレート（ａｌｋｙｌ  ａｍｐｈｏｃａｒｂｏｘｙｌａｔｅ）が挙げられる。適切な双性イオン界面活性剤または両性界面活性剤の他の非限定的な例は、米国特許第５，１０４，６４６号および同第５，１０６，６０９号に記載されている。
【０１１１】
本技術において有用なベタインおよびスルタインは、式
【化８】
2019502800.tif 000010
（式中、Ｒ４０はＣ７〜Ｃ２２アルキルまたはアルケニル基であり、各々のＲ４１は独立してＣ１〜Ｃ４アルキル基であり、Ｒ４２はＣ１〜Ｃ５アルキレン基またはヒドロキシ置換Ｃ１〜Ｃ５アルキレン基であり、ｎは２〜６の整数であり、Ａはカルボキシレート基またはスルホネート基であり、Ｍは塩形成カチオンである）
によって表されるアルキルベタイン、アルキルアミノベタイン、およびアルキルアミドベタイン、ならびに対応するスルホベタイン（スルタイン）から選択される。一態様では、Ｒ４０は、Ｃ１１〜Ｃ１８アルキル基またはＣ１１〜Ｃ１８アルケニル基である。一態様では、Ｒ４１は、メチルである。一態様では、Ｒ４２は、メチレン、エチレンまたはヒドロキシプロピレンである。一態様では、ｎは、３である。さらなる態様では、Ｍは、ナトリウム、カリウム、マグネシウム、アンモニウム、ならびにモノエタノールアミン、ジエタノールアミンおよびトリエタノールアミンカチオンから選択される。
【０１１２】
適切なベタインの例としては、限定されないが、ラウリルベタイン、ココベタイン、オレイルベタイン、ココヘキサデシルジメチルベタイン、ココジメチルカルボキシメチルベタイン、ラウリルジメチルカルボキシメチルベタイン、セチルジメチルカルボキシメチルベタイン、ラウリルアミドプロピルベタイン、ココアミドプロピルベタイン（ＣＡＰＢ）、ココジメチルスルホプロピルベタイン、ステアリルジメチルスルホプロピルベタイン、ラウリルジメチルスルホエチルベタイン、およびコカミドプロピルヒドロキシスルタインが挙げられる。
【０１１３】
アルキルアンフォカルボキシレート、例えば、アルキルアンフォアセテートおよびアルキルアンフォプロピオネート（一置換および二置換カルボキシレート）は、式：
【化９】
2019502800.tif 000011
（式中、Ｒ４３はＣ７〜Ｃ２２アルキルまたはアルケニル基であり、Ｒ４４は−ＣＨ２Ｃ（Ｏ）Ｏ−Ｍ＋、−ＣＨ２ＣＨ２Ｃ（Ｏ）Ｏ−Ｍ＋、または−ＣＨ２ＣＨ（ＯＨ）ＣＨ２ＳＯ３−Ｍ＋であり、Ｒ４５は水素または−ＣＨ２Ｃ（Ｏ）Ｏ−Ｍ＋であり、Ｍはナトリウム、カリウム、マグネシウム、アンモニウム、ならびにモノトリエタノールアミン、ジトリエタノールアミンおよびトリエタノールアミンのアンモニウム塩から選択されるカチオンである）
によって表すことができる。
【０１１４】
例示的なアルキルアンフォカルボキシレートとしては、限定されないが、ナトリウムココアンフォアセテート、ナトリウムラウロアンフォアセテート、ナトリウムカプリロアンフォアセテート、ジナトリウムココアンフォジアセテート、ジナトリウムラウロアンフォジアセテート、ジナトリウムカプリルアンフォジアセテート、ジナトリウムカプリロアンフォジアセテート、ジナトリウムココアンフォジプロピオネート、ジナトリウムラウロアンフォジプロピオネート、ジナトリウムカプリルアンフォジプロピオネート、およびジナトリウムカプリロアンフォジプロピオネートが挙げられる。
【０１１５】
そのような両性または双性イオン洗浄（ｄｅｔｅｒｓｉｖｅ）界面活性剤の量は、組成物全体の重量に基づいて、一態様では約０．５〜約２０重量パーセント、別の態様では約１〜約１０重量パーセントの範囲である。
【０１１６】
非イオン性界面活性剤の非限定的な例は、前出のＭｃＣｕｔｃｈｅｏｎ’ｓ  Ｄｅｔｅｒｇｅｎｔｓ  ａｎｄ  Ｅｍｕｌｓｉｆｉｅｒｓ、Ｎｏｒｔｈ  Ａｍｅｒｉｃａｎ  Ｅｄｉｔｉｏｎ、１９９８年；および前出のＭｃＣｕｔｃｈｅｏｎ’ｓ、Ｆｕｎｃｔｉｏｎａｌ  Ｍａｔｅｒｉａｌｓ、Ｎｏｒｔｈ  Ａｍｅｒｉｃａｎに開示されており、これらの両方ともその全体が参照によって本明細書に援用される。非イオン性界面活性剤の追加的な例は、Ｂａｒｒａｔらの米国特許第４，２８５，８４１号およびＬｅｉｋｈｉｍらの米国特許第４，２８４，５３２号に記載されており、これらの両方ともその全体が参照により本明細書に援用される。非イオン性界面活性剤は典型的には、長鎖アルキル基またはアルキル化アリール基などの疎水性ポーションならびに種々のエトキシ化度および／またはプロポキシ化度（例えば１〜約５０）のエトキシおよび／またはプロポキシ部分を含む親水性ポーションを有する。使用可能ないくつかのクラスの非イオン性界面活性剤の例としては、限定されないが、エトキシ化アルキルフェノール、エトキシ化およびプロポキシ化脂肪アルコール、メチルグルコースのポリエチレングリコールエーテル、ソルビトールのポリエチレングリコールエーテル、エチレンオキシド−プロピレンオキシドブロックコポリマー、脂肪酸のエトキシ化エステル、エチレンオキシドと長鎖アミンまたはアミドとの縮合生成物、エチレンオキシドとアルコールとの縮合生成物ならびにそれらの混合物が挙げられる。
【０１１７】
適切な非イオン性界面活性剤としては、例えば、アルキルポリサッカリド、アルコールエトキシレート、ブロックコポリマー、ヒマシ油エトキシレート、セト／オレイルアルコールエトキシレート、セテアリルアルコールエトキシレート、デシルアルコールエトキシレート、ジノニルフェノールエトキシレート、ドデシルフェノールエトキシレート、エンドキャップ化エトキシレート、エーテルアミン誘導体、エトキシ化アルカノールアミド、エチレングリコールエステル、脂肪酸アルカノールアミド、脂肪アルコールアルコキシレート、ラウリルアルコールエトキシレート、モノ分枝状アルコールエトキシレート、ノニルフェノールエトキシレート、オクチルフェノールエトキシレート、オレイルアミンエトキシレート、ランダムコポリマーアルコキシレート、ソルビタンエステルエトキシレート、ステアリン酸エトキシレート、ステアリルアミンエトキシレート、タロー油脂肪酸エトキシレート、タローアミンエトキシレート、トリデカノールエトキシレート、アセチレンジオール、ポリオキシエチレンソルビトールおよびそれらの混合物が挙げられる。適切な非イオン性界面活性剤の種々の特定の例としては、限定されないが、コカミドＭＥＡ、コカミドＭＩＰＡ、メチルグルセス−１０、ＰＥＧ−２０メチルグルコースジステアレート、ＰＥＧ−２０メチルグルコースセスキステアレート、セテス−８、セテス−１２、ドドキシノール−１２、ラウレス−１５、ＰＥＧ−２０ヒマシ油、ポリソルベート２０、ステアレス−２０、ポリオキシエチレン−１０セチルエーテル、ポリオキシエチレン−１０ステアリルエーテル、ポリオキシエチレン−２０セチルエーテル、ポリオキシエチレン−１０オレイルエーテル、ポリオキシエチレン−２０オレイルエーテル、エトキシ化ノニルフェノール、エトキシ化オクチルフェノール、エトキシ化ドデシルフェノールまたは３〜２０のエチレンオキシド部分を含むエトキシ化脂肪（Ｃ６〜Ｃ２２）アルコール、ポリオキシエチレン−２０イソヘキサデシルエーテル、ポリオキシエチレン−２３グリセロールラウレート、ポリオキシエチレン−２０グリセリルステアレート、ＰＰＧ−１０メチルグルコースエーテル、ＰＰＧ−２０メチルグルコースエーテル、ポリオキシエチレン−２０ソルビタンモノエステル、ポリオキシエチレン−８０ヒマシ油、ポリオキシエチレン−１５トリデシルエーテル、ポリオキシエチレン−６トリデシルエーテル、ラウレス−２、ラウレス−３、ラウレス−４、ＰＥＧ−３ヒマシ油、ＰＥＧ６００ジオレエート、ＰＥＧ４００ジオレエート、ポロキサマー例えば、ポロキサマー１８８、ポリソルベート２１、ポリソルベート４０、ポリソルベート６０、ポリソルベート６１、ポリソルベート６５、ポリソルベート８０、ポリソルベート８１、ポリソルベート８５、ソルビタンカプリレート、ソルビタンココエート、ソルビタンジイソステアレート、ソルビタンジオレエート、ソルビタンジステアレート、ソルビタン脂肪酸エステル、ソルビタンイソステアレート、ソルビタンラウレート、ソルビタンオレエート、ソルビタンパルミテート、ソルビタンセスキイソステアレート、ソルビタンセスキオレエート、ソルビタンセスキステアレート、ソルビタンステアレート、ソルビタントリイソステアレート、ソルビタントリオレエート、ソルビタントリステアレート、ソルビタンウンデシレネートまたはそれらの混合物が挙げられる。
【０１１８】
アルキルグリコシド非イオン性界面活性剤を使用することもでき、これらは一般に、酸媒体中で多糖または単糖を脂肪アルコールなどのアルコールと反応させることによって調製する。例えば、米国特許第５，５２７，８９２号および同第５，７７０，５４３号は、アルキルグリコシドおよび／またはその調製方法を記載している。適切な例はＧｌｕｃｏｐｏｎＴＭ  ２２０、２２５、４２５、６００および６２５、ＰＬＡＮＴＡＣＡＲＥ（登録商標）およびＰＬＡＮＴＡＰＯＮ（登録商標）の名称で市販されているものであり、これらはすべてＣｏｇｎｉｓ  Ｃｏｒｐｏｒａｔｉｏｎから入手することができる。
【０１１９】
別の態様では、非イオン性界面活性剤としては、限定されないが、例えば、それぞれＧｌｕｃａｍ（登録商標）  Ｅ１０、Ｇｌｕｃａｍ（登録商標）  Ｅ２０、Ｇｌｕｃａｍ（登録商標）  Ｐ１０およびＧｌｕｃａｍ（登録商標）  Ｐ２０の商品名の下にＬｕｂｒｉｚｏｌ  Ａｄｖａｎｃｅｄ  Ｍａｔｅｒｉａｌｓ，Ｉｎｃ．から入手できる、例えば、メチルグルセス−１０、メチルグルセス−２０、ＰＰＧ−１０メチルグルコースエーテルおよびＰＰＧ−２０メチルグルコースエーテルなどのアルコキシ化メチルグリコシドが挙げられ；そしてそれぞれＧｌｕｃａｍａｔｅ（登録商標）  ＤＯＥ−１２０、ＧｌｕｃａｍａｔｅＴＭ  ＬＴおよびＧｌｕｃａｍａｔｅＴＭ  ＳＳＥ−２０の商品名の下にＬｕｂｒｉｚｏｌ  Ａｄｖａｎｃｅｄ  Ｍａｔｅｒｉａｌｓ，Ｉｎｃ．から入手できるＰＥＧ１２０メチルグルコースジオレエート、ＰＥＧ−１２０メチルグルコーストリオレエートおよびＰＥＧ−２０メチルグルコースセスキステアレートなどの疎水性に改変されたアルコキシ化メチルグリコシドもまた適している。疎水性に改変されたアルコキシ化メチルグリコシドの他の例は、米国特許第６，５７３，３７５号および同第６，７２７，３５７号に開示されており、これらの関連の開示は、参照により本明細書に援用される。
【０１２０】
他の有用な非イオン性界面活性剤としては、水溶性シリコーン、例えばＰＥＧ−１０ジメチコン、ＰＥＧ−１２ジメチコン、ＰＥＧ−１４ジメチコン、ＰＥＧ−１７ジメチコン、ＰＰＧ−１２ジメチコン、ＰＰＧ−１７ジメチコンおよびその誘導化／官能化形態、例えば、ビス−ＰＥＧ／ＰＰＧ−２０／２０ジメチコン  ビス−ＰＥＧ／ＰＰＧ−１６／１６  ＰＥＧ／ＰＰＧ−１６／１６ジメチコン、ＰＥＧ／ＰＰＧ−１４／４ジメチコン、ＰＥＧ／ＰＰＧ−２０／２０ジメチコン、ＰＥＧ／ＰＰＧ−２０／２３ジメチコンおよびペルフルオロノニルエチルカルボキシデシルＰＥＧ−１０ジメチコンが挙げられる。
【０１２１】
一実施形態において、非イオン性界面活性剤の量は、一態様では約１重量パーセント〜約４０重量パーセント、別の態様では約２．５重量パーセント〜約３５重量パーセント、さらなる態様では約５重量パーセント〜約３０重量パーセント、なおさらなる態様では約１０重量パーセント〜約２５重量パーセント、追加の態様では約１５重量パーセント〜約２２．５重量パーセントの範囲である。ここで、ならびに本明細書および特許請求の範囲の他のどこかで、個々の数値または限定を組み合わせて、追加の開示されていない範囲および／または明記されていない範囲を形成し得る。別の実施形態では、２つまたはそれより多くの異なる界面活性剤および／または異なるタイプの界面活性剤を利用する場合、任意の２つもしくはそれより多くの界面活性剤および／または２つもしくはそれより多くのタイプの界面活性剤の比は、当業者に公知のホームケア、パーソナルケア、ヘルスケア、ホームケア、および／またはＩ＆Ｉで典型的に使用されている任意の比であり得る。
【０１２２】
開示の技術の一態様では、少なくとも１つのアニオン性界面活性剤を、両性界面活性剤または双性イオン界面活性剤と組み合わせて利用する。一態様では、アニオン性界面活性剤（非エトキシ化および／またはエトキシ化界面活性剤）と両性界面活性剤の重量比（活性物質に対して）は一態様では約１０：１〜約２：１の範囲であってよく、別の態様では約９：１、約８：１、約７：１、約６：１、約５：１、約４．５：１、約４：１または約３：１であってよい。エトキシ化アニオン性界面活性剤を、非エトキシ化アニオン性界面活性剤および両性または双性イオンの界面活性剤と組み合わせて使用する場合、エトキシ化アニオン性界面活性剤と非エトキシ化アニオン性界面活性剤と両性界面活性剤の重量比（活性物質に基づいて）は、一態様での約３．５：３．５：１〜別の態様での約１：１：１の範囲であってよい。
【０１２３】
一態様では、アニオン性界面活性剤は、アルキルスルフェート（ラウリル硫酸ナトリウム、ラウリル硫酸アンモニウム、ココ硫酸ナトリウム、およびその混合物が含まれる）から選択される。
【０１２４】
一態様では、アニオン性界面活性剤は、エトキシ化アルキルスルフェート（ラウレス硫酸ナトリウム、ラウレス硫酸アンモニウム、トリデセス硫酸ナトリウム、およびその混合物が含まれる）から選択される。
【０１２５】
一態様では、アニオン性界面活性剤は、アミノ酸ベースの界面活性剤、イセチオネートベースの界面活性剤、スルホスクシネートベースの界面活性剤、およびアルキルスルホアセテートから選択される。
【０１２６】
一態様では、任意選択の両性界面活性剤は、アルキルベタイン、アミドアルキルベタイン、およびアミドアルキルスルタイン（ラウリルベタイン、コカミドプロピルベタイン、コカミドプロピルヒドロキシスルタインが含まれる）、およびその混合物から選択される。
【０１２７】
本技術での使用に適切なスルフェート非含有界面活性剤は、前述のスルフェート非含有のアニオン性、カチオン性、アミノ酸、両性、および非イオン性の界面活性剤のいずれかである。例示的なアニオン性スルフェート非含有界面活性剤は、二ナトリウムラウレススルホスクシネート、ナトリウムラウロイルメチルイセチオネート、ナトリウムココイルイセチオネート、ナトリウムＣ１４〜Ｃ１６α−オレフィンスルホネート、ナトリウムラウリルスルホアセテート、ナトリウムメチルココイルタウレート、ナトリウムラウロイルサルコシネートから選択される。例示的なスルフェート非含有アミノ酸界面活性剤としては、ココイルアラニン酸ナトリウム、ココイルグリシン酸ナトリウム、およびココイルグルタミン酸二ナトリウムが挙げられる。例示的なスルフェート非含有両性界面活性剤は、コカミドプロピルベタインおよびナトリウムココアンフォアセテートである。例示的なスルフェート非含有非イオン性界面活性剤は、ココ−グルコシドである。開示の技術のＡＳＥポリマーと組み合わせた前述のスルフェート非含有界面活性剤の１つまたは複数の混合物も意図される。
【０１２８】
水性担体
本技術の組成物は、典型的には、（周囲条件下で）流し込み可能な液体の形態である。したがって、組成物は、典型的には、組成物全体の重量に対して一態様では約２０重量％〜約９５重量％、別の態様では約６０重量％〜約８５重量％のレベルで存在する水性担体を含む。水性担体は、水または水および有機溶媒の混和性混合物を含み得るが、好ましくは、他の必須または任意選択の成分の微量成分として組成物中に別の方法で偶発的に組み込まれる場合を除き、最小の濃度または有意でない濃度の有機溶媒を伴う水を含む。
【０１２９】
Ｅ．任意選択の成分
本技術の組成物は、任意選択の成分が本明細書中に記載の必須の成分と物理的および化学的に適合するか、そうでなければ製品の安定性も審美性も性能も過度に損なわないことを条件として、ヘアケア製品またはパーソナルケア製品での使用が公知の１つまたは複数の任意選択の成分をさらに含むことができる。別段に記述しない限り、かかる任意選択の成分の各濃度は、組成物全体の重量に対して約０．００１重量％〜約２０重量％の範囲であり得る。
【０１３０】
組成物で用いる任意選択の成分の非限定的な例としては、不溶性物質または微粒子状物質、コンディショニング剤（シリコーン、炭化水素油、脂肪エステル）、粘度調整助剤、保湿剤、感受性物質、植物性物質、アミノ酸、ビタミン、キレート剤、緩衝剤、ｐＨ調整剤、防腐剤  香水および香料、電解質、色素および顔料、不揮発性溶媒または希釈剤（水溶性および水不溶性）、フォームブースター、日焼け止め、およびＵＶ吸収剤が含まれる。
【０１３１】
不溶性および粒子状の物質
本技術の組成物では、開示の技術のＡＳＥポリマーを、起泡性を増強し、毛髪、頭皮、および皮膚のためのクレンジング組成物の温和性およびレオロジー特性を改善するために利用することができ、不溶性シリコーン、乳白剤、および真珠光沢剤（ｐｅａｒｌｅｓｃｅｎｔ  ａｇｅｎｔ）（例えば、雲母、被覆雲母、エチレングリコールモノステアレート（ＥＧＭＳ）、エチレングリコールジステアレート（ＥＧＤＳ）、ポリエチレングリコールモノステアレート（ＰＧＭＳ）、またはポリエチレングリコールジステアレート（ＰＧＤＳ））、顔料、剥離剤（ｅｘｆｏｌｉａｎｔ）、フケ防止助剤、粘土、膨潤性粘土、ラポナイト、気泡、リポソーム、マイクロスポンジ（ｍｉｃｒｏｓｐｏｎｇｅｓ）、化粧用ビーズ、化粧用マイクロカプセル、およびフレークの安定な浮遊のために使用することができ、以下にさらに詳細に考察する。
【０１３２】
例示的な化粧品ビーズ成分としては、限定されないが、寒天ビーズ、アルギネートビーズ、ホホバビーズ、ゼラチンビーズ、ＳｔｙｒｏｆｏａｍＴＭビーズ、ポリアクリレート、ポリメチルメタクリレート（ＰＭＭＡ）、ポリエチレンビーズ、ＵｎｉｓｐｈｅｒｅｓＴＭおよびＵｎｉｐｅａｒｌｓＴＭ化粧品ビーズ（Ｉｎｄｕｃｈｅｍ  ＵＳＡ，Ｉｎｃ．、Ｎｅｗ  Ｙｏｒｋ、ＮＹ）、ＬｉｐｏｃａｐｓｕｌｅＴＭ、ＬｉｐｏｓｐｈｅｒｅＴＭおよびＬｉｐｏｐｅａｒｌＴＭマイクロカプセル（Ｌｉｐｏ  Ｔｅｃｈｎｏｌｏｇｉｅｓ  Ｉｎｃ．、Ｖａｎｄａｌｉａ、ＯＨ）ならびにＣｏｎｆｅｔｔｉ  ＩＩＴＭ皮膚送達フレーク（Ｕｎｉｔｅｄ−Ｇｕａｒｄｉａｎ，Ｉｎｃ．、Ｈａｕｐｐａｕｇｅ、ＮＹ）が挙げられる。ビーズは、美用物質として使用してもよいし、あるいは環境の劣化作用からそれらを保護するのに有益な剤をカプセル化するために使用してもよいし、または最終製品における最適な送達、放出および性能のために使用してもよい。
【０１３３】
一態様では、化粧品ビーズは約０．５〜約１．５ｍｍのサイズの範囲である。別の態様では、ビーズと水との比重差は、一態様では約＋／−０．０１〜０．５、別の態様では約＋／−０．２〜０．３ｇ／ｍｌである。
【０１３４】
一態様では、マイクロカプセルは約０．５〜約３００μｍのサイズの範囲である。別の態様では、マイクロカプセルと水との比重差は、約＋／−０．０１〜０．５である。マイクロカプセルビーズの非限定的な例は、米国特許第７，７８６，０２７号に開示されており、その開示は、参照によって本明細書に援用される。
【０１３５】
コンディショニング剤
コンディショニング剤としては、毛髪、頭皮、および／または皮膚に対して特定のコンディショニングの利点を付与するために使用される任意の材料が挙げられる。ヘアトリートメント組成物では、適切なコンディショニング剤は、明るさ、やわらかさ、櫛通り、帯電防止性、湿潤時の取り扱い、ダメージ、扱いやすさ、ねばり、および油気に関する１つまたは複数の利点を届けるものである。本技術の組成物で有用なコンディショニング剤は、典型的には、乳化液体粒子を形成する水不溶性、水分散性、不揮発性の液体を含む。組成物での使用に適切なコンディショニング剤は、一般に、シリコーン（例えば、シリコーン油、カチオン性シリコーン、シリコーンガム、高屈折率シリコーン、およびシリコーン樹脂）、有機コンディショニング油（例えば、炭化水素油、ポリオレフィン、および脂肪エステル）、またはその組み合わせとして特徴づけられるコンディショニング剤、または、本明細書中の水性界面活性剤マトリックス中に、他の方法で液体、分散した粒子を形成するが分散されたコンディショニング剤である。かかるコンディショニング剤は、組成物の必須の成分と物理的および化学的に適合すべきであり、そうでなければ製品の安定性も、審美性も、性能も過度に損なうべきではない。
【０１３６】
シリコーン
シリコーンコンディショニング剤は、揮発性シリコーン、不揮発性シリコーン、およびそれらの混合物を含んでもよい。揮発性シリコーンが存在する場合、揮発性シリコーンは典型的には、オイルおよびガムおよび樹脂のような不揮発性シリコーン液コンディショニング剤の市販形態のための溶媒または担体として使用される。揮発性シリコーン液は、シリコーン液沈着有効性を改善するか、または毛髪の明るさ、輝き、もしくは光沢度を向上するためにコンディショニングパッケージ中に含まれる場合が多い。揮発性シリコーン物質は、毛髪、頭皮および皮膚上での感覚上の特性（例えば、触感）を向上するために配合物中に高頻度に含まれる。
【０１３７】
一態様では、シリコーンコンディショニング剤は、不揮発性であり、シリコーンオイル、ガム、樹脂およびそれらの混合物を含む。不揮発性とは、シリコーンが、大気温度条件で極めて低い蒸気圧を有することを意味する（例えば、２０℃で２ｍｍＨｇ未満）。不揮発性シリコーンコンディショニング剤は、一態様では約２５０℃超、別の態様では約２６０℃超、さらなる態様では約２７５℃超の沸点を有する。シリコーンオイル、ガム、および樹脂ならびにその製造を考察するセクションを含めたシリコーンについての背景情報は、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、第１５巻、第２版、２０４〜３０８頁、Ｊｏｈｎ  Ｗｉｌｅｙ  ＆  Ｓｏｎｓ，Ｉｎｃ．（１９８９年）において見出される。
【０１３８】
シリコーン油
一態様では、シリコーンコンディショニング剤は、ポリオルガノシロキサン物質から選択されるシリコーン油である。一態様では、ポリオルガノシロキサン物質は、ポリアルキルシロキサン、ポリアリールシロキサン、ポリアルキルアリールシロキサン、ヒドロキシル末端ポリアルキルシロキサン、ポリアリールアルキルシロキサン、アミノ官能性ポリアルキルシロキサン、四級官能性ポリアルキルシロキサン、およびその混合物から選択し得る。
【０１３９】
一態様では、シリコーン油コンディショニング剤としては、式：
【化１０】
2019502800.tif 000012
［式中、Ｂは独立して、ヒドロキシ、メチル、メトキシ、エトキシ、プロポキシ、およびフェノキシを表し；Ｒ４６は独立して、メチル、エチル、プロピル、フェニル、メチルフェニル、フェニルメチル、第一級、第二級、または第三級のアミン、以下：
−Ｒ４７−Ｎ（Ｒ４８）ＣＨ２ＣＨ２Ｎ（Ｒ４８）２；
−Ｒ４７−Ｎ（Ｒ４８）２；
−Ｒ４７−Ｎ＋（Ｒ４８）３ＣＡ−；および
−Ｒ４７−Ｎ（Ｒ４８）ＣＨ２ＣＨ２Ｎ＋（Ｒ４８）Ｈ２ＣＡ−；
（式中、Ｒ４７は２〜１０個の炭素原子を含む直鎖状または分岐状のヒドロキシル置換または非置換のアルキレンまたはアルキレンエーテル部分であり；Ｒ４８は水素、Ｃ１〜Ｃ２０アルキル（例えば、メチル）、フェニルまたはベンジルであり；ｑは約２〜約８の範囲の整数であり；ＣＡ−は塩素、臭素、ヨウ素およびフッ素から選択されるハロゲン化物イオンであり；ｘは、一態様では約７〜約８０００、別の態様では約５０〜約５０００、なお別の態様では約１００〜約３０００、さらなる態様では約２００〜約１０００の範囲の整数である）
から選択される基から選択される第四級基を表す］
によって表されるポリオルガノシロキサンが挙げられる。
【０１４０】
一態様では、アミノ官能性ポリアルキルシロキサンは、式：
【化１１】
2019502800.tif 000013
［式中、Ｂは独立して、ヒドロキシ、メチル、メトキシ、エトキシ、プロポキシ、およびフェノキシを表し；Ｒ４０は、以下：
−Ｒ４７−Ｎ（Ｒ４８）ＣＨ２ＣＨ２Ｎ（Ｒ４８）２；
−Ｒ４７−Ｎ（Ｒ４８）２；
−Ｒ４７−Ｎ＋（Ｒ４８）３ＣＡ−；および
−Ｒ４７−Ｎ（Ｒ４８）ＣＨ２ＣＨ２Ｎ＋（Ｒ４８）Ｈ２ＣＡ−
（式中、Ｒ４７は２〜１０個の炭素原子を含む直鎖状または分岐状のヒドロキシル置換または非置換のアルキレンまたはアルキレンエーテル部分であり；Ｒ４８は水素、Ｃ１〜Ｃ２０アルキル（例えば、メチル）、フェニル、またはベンジルであり；ＣＡ−は塩素、臭素、ヨウ素およびフッ素から選択されるハロゲン化物イオンであり；ｍ＋ｎの合計は、一態様では約７〜約１０００、別の態様では約５０〜約２５０、別の態様では約１００〜約２００の範囲であり、ただし、ｍまたはｎは０ではない）
から選択される］
によって表すことができる。一態様では、Ｂはヒドロキシであり、Ｒ４６は−（ＣＨ２）３ＮＨ（ＣＨ２）３ＮＨ２である。別の態様では、Ｂはメチルであり、Ｒ４６は−（ＣＨ２）３ＮＨ（ＣＨ２）３ＮＨ２である。なお別の態様では、Ｂはメチルであり、Ｒ４６は−（ＣＨ２）３ＯＣＨ２ＣＨ（ＯＨ）ＣＨ２Ｎ＋（Ｒ４８）３ＣＡ−によって表される第四級アンモニウム部分であり；式中、Ｒ４８およびＣＡ−は、上に定義されるとおりである。
【０１４１】
シリコーンオイルコンディショニング剤は、一態様では２５℃で約２５〜約１，０００，０００ｍＰａ・ｓよりおよそ上、別の態様では約１００〜約６００，０００ｍＰａ・ｓ、約１０００〜約１００，０００ｍＰａ・ｓのなお別の態様、さらに別の態様では約２，０００〜約５０，０００ｍＰａ・ｓ、さらなる態様では約４，０００〜約４０，０００ｍＰａ・ｓの範囲の粘度を有し得る。粘度は、１９７０年７月２０日の、Ｄｏｗ  Ｃｏｒｎｉｎｇ  Ｃｏｒｐｏｒａｔｅ  Ｔｅｓｔ  Ｍｅｔｈｏｄ  ＣＴＭ００４に記載されているとおりガラスキャピラリー粘度計によって測定する。一態様では、シリコーンオイルは約２００，０００ダルトン未満の平均分子量を有する。平均分子量は典型的には、一態様では約４００〜約１９９，０００ダルトン、別の態様では約５００〜約１５０，０００ダルトン、なお別の態様では約１，０００〜約１００，０００ダルトン、さらなる態様では約５，０００〜約６５，０００ダルトンの範囲であり得る。
【０１４２】
例示的なシリコーンオイルコンディショニング剤としては、限定されないが、ポリジメチルシロキサン（ジメチコン）、ポリジエチルシロキサン、末端ヒドロキシル基を有するポリジメチルシロキサン（ジメチコノール）、ポリメチルフェニルシロキサン、フェニルメチルシロキサン、アミノ官能性ポリジメチルシロキサン（アモジメチコン）、およびそれらの混合物が挙げられる。
【０１４３】
シリコーンガム
開示の技術において有用な別のシリコーンコンディショニング剤は、シリコーンガムである。シリコーンガムは、上記で示されたシリコーンオイルと同じ一般構造のポリオルガノシロキサン物質であって、式中、Ｂは独立してヒドロキシ、メチル、メトキシ、エトキシ、プロポキシ、およびフェノキシを表し；Ｒ４６は独立して、メチル、エチル、プロピル、フェニル、メチルフェニル、フェニルメチル、およびビニルを表す。シリコーンガムは、２５℃で測定して１，０００，０００ｍＰａ・ｓを超える粘度を有する。粘度は、シリコーンオイルについて上記したようにガラスキャピラリー粘度計で測定することができる。一態様では、シリコーンガムは、約２００，０００ダルトンおよびそれを超える平均分子量を有する。分子量は典型的には、約２００，０００〜約１，０００，０００ダルトンの範囲であり得る。本明細書中に記載されるシリコーンガムはまた、以前に記載されたシリコーンオイルといくつか重複し得ることが理解される。この重複は、これらの物質のいずれも限定することを意図するものではない。
【０１４４】
開示の技術の組成物のシリコーン成分中での使用のための適切なシリコーンガムは、ポリジメチルシロキサン（ジメチコン）、任意選択でヒドロキシルなどの末端基を有するもの（ジメチコノール）、ポリメチルビニルシロキサン、ポリジフェニルシロキサン、およびそれらの混合物である。
【０１４５】
シリコーン樹脂
シリコーン樹脂を、開示の技術の組成物中での使用に適切なシリコーンコンディショニング剤として含むことができる。これらの樹脂は、架橋ポリシロキサン類である。架橋は、シリコーン樹脂の製造の間に単官能性および／または二官能性シランとともに三官能性シランおよび四官能性シランの組み込みを通じて導入される。当該分野で十分理解されるように、シリコーン樹脂を生じるために必要な架橋の程度は、シリコーン樹脂に組み込まれる特定のシラン単位によって変化する。一般には、シリコーン物質が剛性または固い薄膜を形成するように、十分なレベルの三官能性および四官能性のシロキサンモノマー単位（したがって、十分なレベルの架橋）を有するシリコーン物質が、シリコーン樹脂であると考えられる。酸素原子とケイ素原子の比は、特定のシリコーン物質中の架橋のレベルの指標である。ケイ素原子１個あたり少なくとも約１．１個の酸素原子を有するシリコーン物質が、概して本明細書におけるシリコーン樹脂である。一態様では、酸素：ケイ素原子の比は、少なくとも約１．２：１．０である。シリコーン樹脂の製造に使用されるシラン類には、モノメチル−、ジメチル−、トリメチル−、モノフェニル−、ジフェニル−、メチルフェニル−、モノビニル−、およびメチルビニル−クロロシランならびにテトラクロロシ（ｔｅｒａｃｈｌｏｒｏｓｉｌａｎｅ）ランが挙げられ、メチル置換シラン類が最も一般的に使用されている。
【０１４６】
シリコーン物質およびシリコーン樹脂は、「ＭＤＴＱ」命名法として当業者に公知の略記命名法システムによって識別され得る。この命名システムの下で、シリコーンはシリコーンを構成する様々なシロキサンモノマー単位の存在によって記載される。「ＭＤＴＱ」命名システムは、「Ｓｉｌｉｃｏｎｅｓ：Ｐｒｅｐａｒａｔｉｏｎ，  Ｐｒｏｐｅｒｔｉｅｓ  ａｎｄ  Ｐｅｒｆｏｒｍａｎｃｅ」というタイトルの刊行物；Ｄｏｗ  Ｃｏｒｎｉｎｇ  Ｃｏｒｐｏｒａｔｉｏｎ、２００５、および米国特許第６，２００，５５４号に記載されている。
【０１４７】
開示の技術の組成物中での使用のための例示的シリコーン樹脂としては、限定されないが、ＭＱ、ＭＴ、ＭＴＱ、ＭＤＴおよびＭＤＴＱ樹脂が挙げられる。一態様では、メチルはシリコーン樹脂置換基である。別の態様では、シリコーン樹脂はＭＱ樹脂から選択され、Ｍ：Ｑ比は、約０．５：１．０〜約１．５：１．０であり、シリコーン樹脂の平均分子量は、約１０００〜約１０，０００ダルトンである。
【０１４８】
揮発性シリコーン
上記した任意選択の揮発性シリコーンとしては、直鎖状ポリジメチルシロキサンおよび環状ポリジメチルシロキサン（シクロメチコン）ならびにそれらの混合物が挙げられる。揮発性直鎖状ポリジメチルシロキサン（ジメチコン）は、典型的には、約２〜約９個のケイ素原子を含み、直鎖状の配置で酸素原子と交互になっている。各ケイ素原子はさらに、２つのアルキル基（末端ケイ素原子は３つのアルキル基で置換されている）、例えば、メチル基などで置換されている。シクロメチコンは、典型的には、一態様では約３〜約７個、別の態様では約３〜約５個のジメチル置換ケイ素原子を含み、環式環構造中では酸素原子と交互になっている。「揮発性」という用語は、シリコーンが２０℃で測定可能な蒸気圧、または少なくとも２ｍｍＨｇの蒸気圧を有することを意味する。揮発性シリコーンは、一態様では２５℃で２５ｍＰａ・ｓまたはそれ未満、別の態様では約０．６５約〜約１０ｍＰａ・ｓ、なお別の態様では約１〜約５ｍＰａ・ｓ、さらなる態様では約１．５〜約３．５ｍＰａ・ｓの粘度を有する。直鎖状揮発性シリコーンおよび環状揮発性シリコーンの説明は、ＴｏｄｄおよびＢｙｅｒｓ、「Ｖｏｌａｔｉｌｅ  Ｓｉｌｉｃｏｎｅ  Ｆｌｕｉｄｓ  ｆｏｒ  Ｃｏｓｍｅｔｉｃｓ」、Ｃｏｓｍｅｔｉｃｓ  ａｎｄ  Ｔｏｉｌｅｔｒｉｅｓ、第９１巻（１）、２７〜３２頁（１９７６）、およびＫａｓｐｒｚａｋ、「Ｖｏｌａｔｉｌｅ  Ｓｉｌｉｃｏｎｅｓ」、Ｓｏａｐ／Ｃｏｓｍｅｔｉｃｓ／Ｃｈｅｍｉｃａｌ  Ｓｐｅｃｉａｌｉｔｉｅｓ、４０〜４３頁（１９８６年１２月）に見出される。
【０１４９】
例示的な揮発性直鎖状ジメチコンとしては、制限されないが、ヘキサメチルジシロキサン、オクタメチルトリシロキサン、デカメチルテトラシロキサン、ドデカメチルペンタシロキサン、およびそのブレンドが挙げられる。揮発性直鎖状ジメチコンおよびジメチコンブレンドは、Ｄｏｗ  Ｃｏｒｎｉｎｇ  ＣｏｒｐｏｒａｔｉｏｎからＤｏｗ  Ｃｏｒｎｉｎｇ  ２００（登録商標）  Ｆｌｕｉｄ（例えば、製品名０．６５ＣＳＴ、１ＣＳＴ、１．５ＣＳＴ、および２ＣＳＴ）およびＤｏｗ  Ｃｏｒｎｉｎｇ（登録商標）  ２−１１８４  Ｆｌｕｉｄとして市販されている。
【０１５０】
例示的揮発性シクロメチコンは、Ｄ４シクロメチコン（オクタメチルシクロテトラシロキサン）、Ｄ５シクロメチコン（デカメチルシクロペンタシロキサン）、Ｄ６シクロメチコン、およびそのブレンド（例えば、Ｄ４／Ｄ５およびＤ５／Ｄ６）である。揮発性シクロメチコンおよびシクロメチコンブレンドは、Ｍｏｍｅｎｔｉｖｅ  Ｐｅｒｆｏｒｍａｎｃｅ  Ｍａｔｅｒｉａｌｓ，Ｉｎｃ．からＳＦ１１７３、ＳＦ１２０２、ＳＦ１２５６、およびＳＦ１２５８シリコーン流体として、Ｄｏｗ  Ｃｏｒｎｉｎｇ  ＣｏｒｐｏｒａｔｉｏｎからＤｏｗ  Ｃｏｒｎｉｎｇ（登録商標）  ２４４、２４５、２４６、３４５および１４０１シリコーン流体として市販されている。揮発性シクロメチコンおよび揮発性線状ジメチコンのブレンドをまた使用することができる。
【０１５１】
本技術の組成物におけるシリコーンコンディショナー（単数または複数）の量は、毛髪に対する所望のコンディショニング性能を提供するのに十分であるべきであり、一般に、組成物の全重量に基づいて、一態様では約０．０１〜約２０重量％、別の態様では約０．０５〜約１５重量％、なお別の態様では約０．１％〜約１０重量％、さらなる態様では約１〜約５重量％の範囲である。
【０１５２】
炭化水素油
開示の技術の組成物のコンディショニング成分はまた、炭化水素油コンディショナーを含むことができる。
【０１５３】
開示の技術の組成物においてコンディショニング剤として使用するための適切なコンディショニングオイルは、これらに限定されないが、少なくとも約１０個の炭素原子を有する炭化水素オイル、例えば、環状炭化水素、直鎖脂肪族炭化水素（飽和または不飽和）、および分岐鎖脂肪族炭化水素（飽和または不飽和）（これらのポリマーおよび混合物を含めた）が含まれる。直鎖炭化水素オイルは典型的には、約１２〜１９個の炭素原子を含有する。炭化水素ポリマーを含めた分岐鎖炭化水素オイルは典型的には、１９個超の炭素原子を含有する。
【０１５４】
これらの炭化水素オイルの特定の非限定的例には、パラフィンオイル、鉱油、飽和および不飽和ドデカン、飽和および不飽和トリデカン、飽和および不飽和テトラデカン、飽和および不飽和ペンタデカン、飽和および不飽和ヘキサデカン、ポリブテン、ポリデセン、ならびにこれらの混合物が含まれる。これらの化合物の、およびより長い鎖長の炭化水素の分岐鎖異性体をまた使用することができ、これらの例には、高度に分岐した飽和または不飽和のアルカン、例えば、ペルメチル置換異性体、例えば、Ｐｅｒｍｅｔｈｙｌ  Ｃｏｒｐｏｒａｔｉｏｎから入手可能なヘキサデカンおよびエイコサンのペルメチル置換異性体（２，２，４，４，６，６，８，８−ジメチル−１０−メチルウンデカンおよび２，２，４，４，６，６−ジメチル−８−メチルノナンなど）が含まれる。炭化水素ポリマー（ポリブテンおよびポリデセンなど）。好ましい炭化水素ポリマーは、イソブチレンおよびブテンのコポリマーなどのポリブテンである。この種類の市販の材料は、ＢＰ  Ｃｈｅｍｉｃａｌ  ＣｏｍｐａｎｙのＬ−１４ポリブテンである。
【０１５５】
液体ポリオレフィンコンディショニングオイルを、本技術の直毛化組成物（ｈａｉｒ  ｓｔｒａｉｇｈｔｅｎｉｎｇ  ｃｏｍｐｏｓｉｔｉｏｎ）において使用することができる。液体ポリオレフィンコンディショニング剤は典型的には、水素化されたポリ−α−オレフィンである。本明細書において使用するためのポリオレフィンは、Ｃ４〜約Ｃ１４オレフィンモノマーの重合によって調製することができる。本明細書におけるポリオレフィン液体を調製することにおいて使用するためのオレフィンモノマーの非限定的例には、エチレン、プロピレン、１−ブテン、１−ペンテン、１−ヘキセン、１−オクテン、１−デセン、１−ドデセン、１−テトラデセン、分岐鎖異性体、例えば、４−メチル−１−ペンテン、ならびにこれらの混合物が含まれる。開示の技術の一態様では、水素化α−オレフィンモノマーとしては、制限されないが、１−ヘキセンから１−ヘキサデセンまで、１−オクテンから１−テトラデセンまで、およびその混合物が挙げられる。
【０１５６】
フッ素化または過フッ素化オイルはまた、本技術の範囲内で意図される。フッ素化オイルには、欧州特許第ＥＰ０４８６１３５号に記載されているペルフルオロポリエーテル、およびＷＯ９３／１１１０３号に記載されているフッ化炭化水素化合物が含まれる。フッ化オイルはまた、フッ化炭素、例えば、フルオラミン、例えば、ペルフルフルオロトリブチルアミン、フッ化炭化水素、例えば、ペルフルフルオロデカヒドロナフタレン、フルオロエステル、およびフルオロエーテルでよい。
【０１５７】
天然オイル
天然オイルコンディショナーは、開示の技術の実施に際してまた有用であり、これらに限定されないが、ピーナッツ、ゴマ、アボカド、ココナッツ、カカオバター、アーモンド、サフラワー、トウモロコシ、綿実、ゴマの種、クルミオイル、ヒマシ、オリーブ、ホホバ、パーム、パーム核、ダイズ、コムギ胚芽、亜麻仁、ヒマワリの種、ユーカリ、ラベンダー、ベチバー、リツェア、クベバ、レモン、ビャクダン、ローズマリー、カモミール、セイバリー、ナツメグ、シナモン、ヒソップ、キャラウェー、オレンジ、ゼラニウム、カデ、およびベルガモットオイル、魚油、グリセロールトリカプロカプリレート、ならびにこれらの混合物が含まれる。
【０１５８】
エステル油
エステル油コンディショナーとしては、限定されないが、少なくとも１０個の炭素原子を有する脂肪エステルが挙げられる。これらの脂肪エステルとしては、脂肪酸または脂肪アルコールに由来するエステル（例えば、モノエステル、多価アルコールエステル、ならびにジカルボン酸エステルおよびトリカルボン酸エステル）が挙げられる。本明細書中の脂肪エステルは、他の適合可能な官能基、例えばアミド部分およびアルコキシ部分（例えば、エトキシまたはエーテル結合など）などを含むかこれらに共有結合することができる。
【０１５９】
例示的な脂肪エステルとしては、制限されないが、イソプロピルイソステアレート、ヘキシルラウレート、イソヘキシルラウレート、イソヘキシルパルミテート、イソプロピルパルミテート、デシルオレエート、イソデシルオレエート、ヘキサデシルステアレート、デシルステアレート、イソプロピルイソステアレート、ジヘキシルデシルアジペート、ラウリルラクテート、ミリスチルラクテート、セチルラクテート、オレイルステアレート、オレイルオレエート、オレイルミリステート、ラウリルアセテート、セチルプロピオネート、およびオレイルアジペートが挙げられる。
【０１６０】
開示の技術の組成物での使用に適切な他の脂肪エステルは、一般式Ｒ６０Ｃ（Ｏ）ＯＲ６１（式中、Ｒ６０およびＲ６１はアルキルラジカルまたはアルケニルラジカルであり、Ｒ６０およびＲ６１中の炭素原子の合計は、開示の技術の一態様では少なくとも１０、別の態様では少なくとも２２である）のモノカルボン酸エステルである。
【０１６１】
開示の技術の組成物での使用に適したまた他の脂肪エステルは、カルボン酸のジ−およびトリ−アルキルエステルならびにカルボン酸のジ−およびトリ−アルケニルエステル、例えば、Ｃ４〜Ｃ８ジカルボン酸のエステル（例えば、コハク酸、グルタル酸、アジピン酸のＣ１〜Ｃ２２エステル、好ましくは、Ｃ１〜Ｃ６エステル）である。カルボン酸のジ−およびトリ−アルキルエステルならびにカルボン酸のジ−およびトリ−アルケニルエステルの特定の非限定的例には、ステアロイルステアリン酸イソセチル、アジピン酸ジイソプロピル、およびクエン酸トリステアリルが含まれる。
【０１６２】
開示の技術の組成物での使用に適した他の脂肪エステルは、多価アルコールエステルとして公知のものである。このような多価アルコールエステルには、アルキレングリコールエステル、例えば、エチレングリコールモノおよびジ脂肪酸エステル、ジエチレングリコールモノおよびジ脂肪酸エステル、ポリエチレングリコールモノオレート、ポリプロピレングリコール２０００モノステアレート、エトキシ化ポリプロピレングリコールモノステアレート、グリセリルモノおよびジ脂肪酸エステル、ポリグリセロールポリ−脂肪酸エステル、エトキシ化グリセリルモノステアレート、１，３−ブチレングリコールモノステアレート、１，３−ブチレングリコールジステアレート、ポリオキシエチレンポリオール脂肪酸エステル、ソルビタン脂肪酸エステル、およびポリオキシエチレンソルビタン脂肪酸エステルが含まれる。
【０１６３】
適切な合成脂肪エステルの非限定的な具体例としては、Ｐ−４３（トリメチロールプロパンのＣ８〜Ｃ１０トリエステル）、ＭＣＰ−６８４（３，３ジエタノール−１，５ペンタンジオール（ｐｅｎｔａｄｉｏｌ）のテトラエステル）、ＭＣＰ１２１（アジピン酸のＣ８〜Ｃ１０ジエステル）（全てＥｘｘｏｎＭｏｂｉｌ  Ｃｈｅｍｉｃａｌ  Ｃｏｍｐａｎｙから入手可能である）が挙げられる。
【０１６４】
炭化水素および天然コンディショニングオイルおよびエステル油コンディショニング剤の量は、組成物の全重量に基づいて、一態様では約０．０５〜約１０重量％、別の態様では約０．５〜約５重量％、さらなる態様では約１〜約３重量％の範囲であり得る。
【０１６５】
カチオン性化合物およびポリマー
カチオン性化合物とは、少なくとも１つのカチオン性部分、またはイオン化してカチオン性部分を形成し得る少なくとも１つの部分を含む非ポリマー性およびポリマー性の化合物を指す。典型的には、これらのカチオン性部分は、四級アンモニウムまたはプロトン化アミノ基などの窒素含有基である。カチオン性プロトン化アミンは、一級アミンであっても、二級アミンであっても、または三級アミンであってもよい。一態様では、カチオン性コンディショニング化合物としては、ヘアコンディショニング分野で周知の第四級窒素を含む非ポリマー物質およびポリマー物質が挙げられる。カチオン性コンディショニング化合物としては、１つの第四級アンモニウム塩部分を含む非ポリマー化合物および少なくとも１つの第四級アンモニウム塩部分を含むポリマー化合物（ポリマー）が挙げられる。
【０１６６】
一態様では、第四級アンモニウム塩部分は、一般式：（Ｒ７０）（Ｒ７１）（Ｒ７２）（Ｒ７３）Ｎ＋）Ｅ−に相当し、式中、Ｒ７０、Ｒ７１、Ｒ７４、およびＲ７５のそれぞれは、独立に、１〜約２２個の炭素原子を有する脂肪族基（例えば、アルキル、アルケニル）；芳香族（例えば、フェニル、ベンジル）；アルコキシ；ポリオキシアルキレン（例えば、ポリエチレン、ポリプロピレンおよびこれらの組み合わせ）；アセタミド；アルキルアミド；アルキルアミドアルキル；ヒドロキシアルキル；アリール；アラアルキル；もしくはアルキルアリール基（アルキル鎖中に１〜約２２個の炭素原子を有する）から選択され、Ｅ−は、ハロゲン（例えば、クロリド、ブロミド）、アセテート、シトレート、ラクテート、グリコレート、ホスフェート、ニトレート、スルフェート、およびアルキルスルフェート（例えば、メトスルフェート、エトスルフェート）から選択されるものなどの塩形成アニオンである。脂肪族基は、炭素および水素原子に加えて、エーテル結合、エステル結合、および他の基（アミノ基など）を含有することができる。より長鎖の脂肪族基、例えば、約１２個以上の炭素のものは、飽和または不飽和でよい。Ｒ７０、Ｒ７１、Ｒ７４、およびＲ７５のうちの任意の２つが、それらが結合している窒素原子と共に、一緒になって、５〜６個の炭素原子を含む環構造を形成することができ、前述の炭素原子のうちの１つは、窒素、酸素、または硫黄から選択されるヘテロ原子と任意選択的に置き換えることができる。
【０１６７】
一態様では、第四級アンモニウム部分は、少なくとも３つのアルキル置換基および／またはアリール置換基に共有結合した少なくとも１つの窒素原子を含み、窒素原子は、環境ｐＨと無関係に正に帯電している。
【０１６８】
一態様では、第四級アンモニウム部分は、１つの窒素原子および少なくとも１つのＣ１２〜Ｃ２２アルキル基を含む。一態様では、第四級アンモニウム部分は、１つのＣ１２〜Ｃ２２アルキル基および少なくとも２つのＣ１〜Ｃ５アルキル基（例えば、メチル、エチル、プロピル、ブチル、およびペンチル、ならびにその組み合わせ）を含む。一態様では、第四級アンモニウム部分は、１つのＣ１２〜Ｃ２２アルキル基、および３つのＣ１〜Ｃ５アルキル基（例えば、メチル、エチル、プロピル、ブチル、およびペンチル、ならびにその組み合わせ）を含む。一態様では、第四級アンモニウム部分は、１つのＣ１２〜Ｃ２２アルキル基、および２つのＣ１〜Ｃ５アルキル基（例えば、メチル、エチル、プロピル、ブチル、およびペンチル、ならびにその組み合わせ）、およびアルコキシを含む１つの部分；ポリオキシアルキレン（例えば、ポリエチレン、ポリプロピレン、およびその組み合わせ）（ポリオキシアルキレン部分は３〜１００の反復単位を含む）；アセトアミド；アルキルアミド；アルキルアミドアルキル；ヒドロキシアルキル；アリール；アラルキル（ａｒａａｌｋｙｌ）；またはアルキル鎖中に１〜約２２個の炭素原子を有し、且つアリール部分中に６〜約１４個の炭素原子を有するアルキルアリール基を含む。
【０１６９】
いくつかの第四級窒素含有化合物およびポリマー、その製造者、ならびにその化学的特徴の一般的な説明は、ＣＴＦＡ  ＤｉｃｔｉｏｎａｒｙおよびＩｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ，Ｖｏｌ．１  ａｎｄ  ２，５ｔｈ  Ｅｄ．，（Ｃｏｓｍｅｔｉｃ  Ｔｏｉｌｅｔｒｙ  ａｎｄ  Ｆｒａｇｒａｎｃｅ  Ａｓｓｏｃｉａｔｉｏｎ，Ｉｎｃ．（ＣＴＦＡ）（１９９３）発行）（その関連する開示が、本明細書中で参考として援用される）に見出される。便宜上、ＣＴＦＡまたは製造者が成分に割り当てた名称を使用する。
【０１７０】
本技術でカチオン性コンディショナーとして有用なモノマー第四級アンモニウム化合物の非限定的な例としては、アセトアミドプロピルトリモニウムクロリド、ベヘンアミドプロピルエチルジモニウムエトスルフェート、ベヘントリモニウムクロリド、ベヘントリモニウムメトスルフェート、セテチルモルホリニウムエトスルフェート、セトリモニウムクロリド、ココアミドプロピルエチルジモニウムエトスルフェート、ジセチルジモニウムクロリド、ヒドロキシエチルベヘンアミドプロピルジモニウムクロリド、クオタニウム−２６、クオタニウム−２７、クオタニウム−５３、クオタニウム−６３、クオタニウム−７０、クオタニウム−７２、クオタニウム−７６  ＰＰＧ−９ジエチルモニウムクロリド、ＰＰＧ−２５ジエチルモニウムクロリド、ＰＰＧ−４０ステアラルコニウムクロリド、イソステアラミドプロピルエチルジモニウムエトスルフェート、およびその混合物が挙げられる。
【０１７１】
カチオン性ポリマーはまた、単独でのコンディショニング剤として、または本明細書中に記載の他のコンディショニング剤との組み合わせにおいて有用である。適切なカチオン性ポリマーを、合成によって誘導することができるか、天然ポリマーを、カチオン性部分を含むように合成によって改変することができる。ポリマー第四級アンモニウム部分塩含有ポリマーを、アルキル基が一態様では１〜約２２個の炭素原子、別の態様ではメチルまたはエチルを含むジアリルアミン、例えばジアルキルジアリルアンモニウム塩またはそのコポリマーなどの重合によって調製することができる。ジアルキルジアリルアンモニウム塩に由来する第四級部分ならびにアクリル酸およびメタクリル酸のアニオン性モノマーに由来するアニオン性成分を含むコポリマーは、適切なコンディショニング剤である。ジアリルアミンの誘導体、例えばジメチルジアリルアンモニウム塩などから調製したカチオン性成分、アクリル酸または２−アクリルアミド−２−メチルプロパンスルホン酸のアニオン性モノマーに由来するアニオン性成分、およびアクリルアミドの非イオン性モノマーに由来する非イオン性成分を有する両性高分子電解質ターポリマーも適切である。かかる第四級アンモニウム塩部分含有ポリマーの調製は、例えば、米国特許第３，２８８，７７０号；同第３，４１２，０１９号；同第４，７７２，４６２号、および同第５，２７５，８０９号（その関連する開示が、本明細書中で参考として援用される）に見出され得る。
【０１７２】
一態様では、適切なカチオン性ポリマーとしては、前述の四級化ホモポリマーおよびコポリマーの塩化物塩（アルキル基がメチルまたはエチルである）が挙げられ、Ｌｕｂｒｉｚｏｌ  Ａｄｖａｎｃｅｄ  Ｍａｔｅｒｉａｌｓ，Ｉｎｃ．からＭｅｒｑｕａｔ（登録商標）シリーズの商標を付して市販されている。
【０１７３】
ポリクオタニウム−６というＣＴＦＡ名を有する、ジアリルジメチルアンモニウムクロリド（ＤＡＤＭＡＣ）から調製されたホモポリマーは、Ｍｅｒｑｕａｔ１００およびＭｅｒｑｕａｔ１０６の商標の下に入手可能である。ポリクオタニウム−７というＣＴＦＡ名を有する、ＤＡＤＭＡＣおよびアクリルアミドから調製されたコポリマーは、Ｍｅｒｑｕａｔ５５０の商標の下に販売されている。ポリクオタニウム−２２というＣＴＦＡ名を有する、ＤＡＤＭＡＣおよびアクリル酸から調製された別のコポリマーは、Ｍｅｒｑｕａｔ２８０の商標の下に販売されている。ポリクオタニウム−２２およびその関連するポリマーの調製物は、米国特許第４，７７２，４６２号（その関連する開示が、本明細書中で参考として援用される）に記載されている。
【０１７４】
アクリルアミドまたはメチルアクリレートに由来する非イオン性成分、ＤＡＤＭＡＣまたはメタクリルアミドプロピルトリメチルアンモニウムクロリド（ＭＡＰＴＡＣ）に由来するカチオン性成分、およびアクリル酸もしくは２−アクリルアミド−２−メチルプロパンスルホン酸またはアクリル酸と２−アクリルアミド−２−メチルプロパンスルホン酸との組み合わせに由来するアニオン性成分から調製された両性ターポリマーも有用である。ポリクオタニウム（Ｐｏｌｙｑｕａｒｔｅｒｎｉｕｍ）−３９というＣＴＦＡ名を有する、アクリル酸、ＤＡＤＭＡＣ、およびアクリルアミドから調製された両性ターポリマーは、Ｍｅｒｑｕａｔ  Ｐｌｕｓ  ３３３０の商標の下に入手可能である。ポリクオタニウム（Ｐｏｌｙｑｕａｒｔｅｒｎｉｕｍ）−４７というＣＴＦＡ名を有する、アクリル酸、メタクリルアミドプロピルトリメチルアンモニウムクロリド（ＭＡＰＴＡＣ）、およびメチルアクリレートから調製された別の両性ターポリマーは、Ｍｅｒｑｕａｔ  ２００１の商標の下に入手可能である。ポリクオタニウム（Ｐｏｌｙｑｕａｒｔｅｒｎｉｕｍ）−５３というＣＴＦＡ名を有する、アクリル酸、ＭＡＰＴＡＣ、およびアクリルアミドから調製されたさらに別の両性ターポリマーは、Ｍｅｒｑｕａｔ  ２００３ＰＲの商標の下に入手可能である。かかるターポリマーの調製は、米国特許第５，２７５，８０９号（その関連する開示が、本明細書中で参考として援用される）に記載されている。
【０１７５】
開示の技術の直毛化（ｈａｉｒ  ｓｔｒａｉｇｈｔｅｎｉｎｇ）組成物におけるコンディショナーとして適切な他のカチオン性ポリマーおよびコポリマーは、ポリクオタニウム−４、ポリクオタニウム−１１、ポリクオタニウム（Ｐｏｌｙｑｕａｒｔｅｒｎｉｕｍ）−１６、ポリクオタニウム−２８、ポリクオタニウム−２９、ポリクオタニウム−３２、ポリクオタニウム−３３、ポリクオタニウム−３５、ポリクオタニウム−３７、ポリクオタニウム−４４、ポリクオタニウム−４６、ポリクオタニウム−４７、ポリクオタニウム−５２、ポリクオタニウム−５３、ポリクオタニウム（Ｐｏｌｙｑｕａｒｔｅｒｎｉｕｍ）−５５、ポリクオタニウム−５９、ポリクオタニウム−６１、ポリクオタニウム−６４、ポリクオタニウム−６５、ポリクオタニウム−６７、ポリクオタニウム−６９、ポリクオタニウム−７０、ポリクオタニウム−７１、ポリクオタニウム−７２、ポリクオタニウム−７３、ポリクオタニウム−７４、ポリクオタニウム−７６、ポリクオタニウム−７７、ポリクオタニウム−７８、ポリクオタニウム−７９、ポリクオタニウム−８０、ポリクオタニウム−８１、ポリクオタニウム−８２、ポリクオタニウム−８４、ポリクオタニウム−８５、ポリクオタニウム−８７、およびＰＥＧ−２−ココモニウムクロリドというＣＴＦＡ名を有する。
【０１７６】
直毛化組成物中での使用のための適切な例示的なカチオン性に改変された天然のポリマーとしては、多糖類ポリマー、例えば、カチオン性に改変されたセルロースおよびカチオン性に改変されたデンプン誘導体（第四級アンモニウムハロゲン化物部分で修飾）が挙げられる。例示的なカチオン性に改変されたセルロースポリマーは、トリメチルアンモニウム置換エポキシドと反応したヒドロキシエチルセルロースの塩である（ＣＴＦＡ、ポリクオタニウム−１０）。カチオン性に改変されたセルロースの他の適切な種類としては、ラウリルジメチルアンモニウム置換エポキシドと反応したヒドロキシエチルセルロースの重合性第四級アンモニウム塩が挙げられる（ＣＴＦＡ、ポリクオタニウム−２４）。ＣＴＦＡ名を有するカチオン性に改変されたジャガイモデンプン、デンプンヒドロキシプロピルトリモニウムクロリドは、ＳｅｎｓｏｍｅｒＴＭ  ＣＩ−５０の商標名の下に、Ｌｕｂｒｉｚｏｌ  Ａｄｖａｎｃｅｄ  Ｍａｔｅｒｉａｌｓ，  Ｉｎｃ．から入手可能である。
【０１７７】
他の適切なカチオン性に改変された天然のポリマーとしては、カチオン性ポリガラクトマンナン誘導体、例えば、グアーガム誘導体およびカシアガム誘導体、例えば、ＣＴＦＡ：グアーヒドロキシプロピルトリモニウムクロリド、ヒドロキシプロピルグアーヒドロキシプロピルトリモニウムクロリドおよびカシアヒドロキシプロピルトリモニウムクロリドが挙げられる。グアーヒドロキシプロピルトリモニウムクロリドはＪａｇｕａｒＴＭ  の商品名のシリーズの下にＲｈｏｄｉａ  Ｉｎｃ．から、およびＮ−Ｈａｎｃｅの商品名のシリーズの下にＡｓｈｌａｎｄ  Ｉｎｃ．から市販されている。カシアヒドロキシプロピルトリモニウムクロリドは、ＳｅｎｓｏｍｅｒＴＭ  ＣＴ−２５０およびＳｅｎｓｏｍｅｒＴＭ  ＣＴ−４００の商標の下にＬｕｂｒｉｚｏｌ  Ａｄｖａｎｃｅｄ  Ｍａｔｅｒｉａｌｓ，Ｉｎｃ．から市販されている。
【０１７８】
非ポリマー性およびポリマー性カチオン性化合物は、一態様では約０．０５〜約５重量％パーセント、別の態様では約０．１〜約３重量パーセント、さらなる態様では約０．５〜約２．０重量％（組成物の全重量に基づいて）存在し得る。
【０１７９】
粘度調整助剤
開示の技術の組成物は、０．１秒−１と１秒−１との間の剪断速度で０．５未満の剪断減粘指数（ｓｈｅａｒ  ｔｈｉｎｎｉｎｇ  ｉｎｄｅｘ）、および少なくとも１０％の光透過率で容易に流し込み可能でなければならない。開示の技術の懸濁剤を、任意選択的に、粘稠化液体の降伏値を増強するためにレオロジー改変助剤（増粘剤）と組み合わせて利用することができる。一態様では、開示の技術の非イオン性、両親媒性エマルジョン、エマルジョンポリマーを、このポリマーを含む組成物の降伏応力値を増強するために非イオン性レオロジー改変剤と組み合わせることができる。任意のレオロジー改変剤は、かかるレオロジー改変剤が水溶性であり、安定であり、且つイオン性の基もイオン化可能な基も含まない限り、適切である。好適な改変剤として、天然ゴム（例えば、フェヌグリーク、カッシア、イナゴマメ、タラおよびグアーから選択されるポリガラクトマンナンゴム）、改変セルロース（例えば、エチルヘキシルエチルセルロース（ＥＨＥＣ）、ヒドロキシブチルメチルセルロース（ＨＢＭＣ）、ヒドロキシエチルメチルセルロース（ＨＥＭＣ）、ヒドロキシプロピルメチルセルロース（ＨＰＭＣ）、メチルセルロース（ＭＣ）、ヒドロキシエチルセルロース（ＨＥＣ）、ヒドロキシプロピルセルロース（ＨＰＣ）およびセチルヒドロキシエチルセルロース）；ならびにそれらの混合物メチルセルロース、ポリエチレングリコール（例えば、ＰＥＧ４０００、ＰＥＧ６０００、ＰＥＧ８０００、ＰＥＧ１００００、ＰＥＧ２００００）、ポリビニルアルコール、ポリアクリルアミド（ホモポリマーおよびコポリマー）および疎水性に改変されたエトキシ化ウレタン（ＨＥＵＲ）が挙げられる。レオロジー改変剤は、組成物の全重量の重量に基づいて、一態様では約０．５〜約２５重量％、別の態様では約１〜約１５重量％、さらなる態様では約２〜約１０重量％の範囲の量で使用することができる。
【０１８０】
保湿剤
保湿剤は、環境の相対湿度に応じて水蒸気を吸収または放出する材料と定義されている（Ｈａｒｒｙ’ｓ  Ｃｏｓｍｅｔｉｃｏｌｏｇｙ，Ｃｈｅｍｉｃａｌ  Ｐｕｂｌｉｓｈｉｎｇ  Ｃｏｍｐａｎｙ  Ｉｎｃ．，１９８２  ｐ．２６６）。適切な保湿剤としては、制限されないが、アラントイン；ピロリドンカルボン酸およびその塩；ヒアルロン酸およびその塩；ソルビン酸およびその塩；尿素、リジン、シスチン、およびアミノ酸；ポリヒドロキシアルコール、例えばグリセリン、プロピレングリコール、ヘキシレングリコール、ヘキサントリオール、エトキシジグリコール、ジメチコンコポリオール、およびソルビトール、ならびにそのエステルなど；ポリエチレングリコール；グリコール酸およびグリコール酸塩（例えば、アンモニウムおよび第四級アルキルアンモニウム）；キトサン；アロエベラ抽出物；藻類抽出物；ハチミツおよびその誘導体；イノシトール；乳酸および乳酸塩（例えば、アンモニウムおよび第四級アルキルアンモニウム）；糖およびデンプン（例えば、マルトース、グルコース、フルクトース）；糖およびデンプンの誘導体（例えば、グルコースアルコキシ化グルコース、マンニトール、キシリトール（ｘｙｌｉｙｏｌ））；ＤＬ−パンテノール；リン酸アスコルビルマグネシウム、アルブチン、コウジ酸、ラクタミドモノエタノールアミン；アセトアミドモノエタノールアミン；など、およびその混合物が挙げられる。保湿剤としては、Ｃ３〜Ｃ６ジオールおよびＣ３〜Ｃ６トリオール、例えばグリセリン、プロピレングリコール、ブタン−１，２，３−トリオール、ヘキシレングリコール、およびヘキサントリオールなど、ならびにその混合物も挙げられる。平均５〜３０モルのエトキシ化を含むエトキシ化メチルグルコースエーテル、例えば、ラウリルメチルグルセス−１０ヒドロキシプロピルジモニウムクロリド、メチルグルセス−１０、およびメチルグルセス−２０というＩＮＣＩ名の下に入手可能なものなどが適切である。
【０１８１】
そのような保湿剤は、組成物の０．０１〜２０重量％、例えば、少なくとも０．１重量％、または少なくとも１重量％、例えば、最大８重量％、または最大５重量％存在してもよい。
【０１８２】
感受性物質
皮膚感受性物質は、使用者によるその適用の妥当性、活性、および均一性の感覚的な確認を提供するのを助ける。皮膚感受性物質のいくつかの非限定的な例は、米国特許第４，２３０，６８８号、同第４，１３６，１６３号、同第６，１８３，７６６号、および同第７，００１，５９４号（これらの各々は、その全体が本明細書中で参考として援用される）に記載されている。適切な感受性物質の非限定的な例としては、ブタン二酸モノメンチルエステル、カンフル、カルボン、シネオール、チョウジ油、エチルカルボキサミド、エチルメンタンカルボキサミド、ユーカリ油、ユーカリプトール（ｅｕｃｏｌｙｔｏｌ）、ジンジャー油、ｌ−イソプレゴール、メントール、メントングリセリンアセタール、メントキシ−１，２−プロパンジオール、乳酸メンチル、メチルジイソプロピルプロピオンアミド（ｍｅｔｈｙｌ  ｄｉｉｓｏｐｒｏｐｙｌｐｒｏｐｉｏｎｉａｍｉｄｅ）、サリチル酸メチル、ペパーミント油、ローズマリー油、トリメチルブタンアミド、バニリルブチルエーテル、またはその組み合わせが挙げられる。感受性物質は、組成物の全重量に基づいて、一態様では約０．０１重量％〜約２重量％、別の態様では約０．０５重量％〜約１重量％の範囲の量で組成物に含まれ得る。
【０１８３】
植物性薬品（ｂｏｔａｎｉｃａｌｓ）
開示の技術のヘアケア組成物は、１つまたは複数の植物性剤（ｂｏｔａｎｉｃａｌ  ａｇｅｎｔ）を含むことができる。適切な植物性剤は、例えば、エキナセア（例えば、アングスティフォリア種、プルプレア種、パリダ種）、ユッカグラウカ（ｙｕｃｃａ  ｇｌａｕｃａ）、ヤナギソウ、バジルの葉、トルコオレガノ、ニンジンの根、グレープフルーツ、ウイキョウの種、ローズマリー、ターメリック、タイム、ブルーベリー、ピーマン、ブラックベリー、スピルリナ、カシス果実、茶の葉、例えば、中国茶、紅茶（例えば、種々（ｖａｒ．）、フラワリーオレンジペコ、ゴールデンフラワリーオレンジペコ、ファインティッピーゴールデンフラワリーオレンジペコ）、緑茶（例えば、種々（ｖａｒ．）、日本茶、グリーンダージリン）、ウーロン茶、コーヒー豆、タンポポの根、ナツメヤシ果実、イチョウの葉、緑茶、ホーソーンベリー、カンゾウ、杏仁（ａｐｒｉｃｏｔ  ｋｅｒｎｅｌ）、セージ、イチゴ、スイートピー、トマト、ヒマワリ種子抽出物、ビャクダン（ｓａｎｄａｌｗｏｏｄ）抽出物、ブドウの種、アロエの葉、バニラ果実、コンフリー、アルニカ、ツボクサ（ｃｅｎｔｅｌｌａ  ａｓｉａｔｉｃａ）、ヤグルマギク、セイヨウトチイキ、ツタ、マカデミア・ターニフォリア種子（Ｍａｃａｄａｍｉａ  ｔｅｒｎｉｆｏｌｉａ  ｓｅｅｄ）、モクレン、オートムギ、パンジー、タツナミソウ（ｓｋｕｌｌｃａｐ）、シーバックソーン、オドリコソウ、およびウィッチヘーゼルからの抽出物を含むことができる。植物学的抽出物には、例えば、クロロゲン酸、グルタチオン、グリチルリチン（ｇｌｙｃｒｒｈｉｚｉｎ）、ネオヘスペリジン、ケルセチン、ルチン、モリン、ミリセチン、アブサン、およびカモミールが含まれ得る。
【０１８４】
一態様では、ヘアケア組成物は、組成物の全重量に基づいて、約０．０１重量％〜約１０重量％の上記で示された植物学的抽出物の１種または複数種、別の態様では約０．０５重量％〜約５重量％、なお別の態様では約０．１重量％〜約３重量％、さらなる態様では約０．５重量％〜約１重量％を含み得る。
【０１８５】
アミノ酸
本明細書中に提供したヘアケア組成物は、１つまたは複数のグアニジン部分非含有アミノ酸を含み得る。使用することができるアミノ酸の例としては、制限されないが、カプリルケラチンアミノ酸、カプリルシルクアミノ酸、ホホバアミノ酸、ケラチンアミノ酸、パルミトイルケラチンアミノ酸、パルミトイルシルクアミノ酸、ココイルアミノ酸ナトリウム、ココイルシルクアミノ酸ナトリウム、およびスイートアーモンドアミノ酸が挙げられる。
【０１８６】
直毛化組成物は、適量のアミノ酸を含み得る。アミノ酸の量は、組成物の全重量に基づいて、一態様では約０．００１重量％〜約５重量％、別の態様では約０．０１重量％パーセント〜約３重量％、なお別の態様では約０．１重量％〜約２重量％、さらなる態様では約０．５重量％〜約１重量％の範囲である。
【０１８７】
ビタミン
ヘアケア組成物は、１つまたは複数のビタミンを含み得る。使用することができるビタミンの例としては、制限されないが、ナイアシンアミド、オクテニルコハク酸デンプンナトリウム、パントテン酸カルシウム、マルトデキストリン、リン酸アスコルビルナトリウム、トコフェリルアセタート、ピリドキシンＨＣｌ、シリカ、パンテノール（例えば、プロビタミンＢ５）、フィタントリオール、パントテン酸カルシウム（例えば、ビタミンＢ５）、ビタミンＥ、およびビタミンＥエステル（例えば、酢酸トコフェリル、ニコチン酸トコフェリル（ｔｏｃｏｐｈｅｒｙｌ  ｎｏｃｏｔｉｎａｔｅ）、パルミチン酸トコフェリル、またはレチン酸トコフェリル）が挙げられる。
【０１８８】
本明細書中に提供したヘアケア組成物は、任意の量のビタミン（１つまたは複数）を含み得る。ビタミン（単数または複数）の量は、組成物の全重量に基づいて、一態様では約０．０５重量％〜約１０重量％、別の態様では約０．１重量％〜約５重量％、なお別の態様では約０．５重量％〜約３重量％、さらなる態様では約０．７５重量％〜約１重量％の範囲であり得る。
【０１８９】
キレート剤
キレート剤を、金属イオンの有害作用に対して組成物を安定化するために使用することができる。利用する場合、適切なキレート剤としては、ＥＤＴＡ（エチレンジアミン四酢酸）およびその塩、例えばＥＤＴＡ二ナトリウムおよびＥＤＴＡ四ナトリウムなど、クエン酸およびその塩、およびシクロデキストリンなど、ならびにその混合物が挙げられる。
【０１９０】
そのような好適なキレート剤は、直毛化組成物の全重量の０．００１重量％〜３重量％、例えば、０．０１重量％〜２重量％、または０．０１重量％〜１重量％を含み得る。
【０１９１】
緩衝剤
緩衝剤を、例示の組成物において使用することができる。適切な緩衝剤としては、アルカリ金属またはアルカリ土類金属の炭酸塩、リン酸塩、重炭酸塩、クエン酸塩、ホウ酸塩、酢酸塩、酸無水物、およびコハク酸塩など、例えばリン酸ナトリウム、クエン酸ナトリウム、酢酸ナトリウム、重炭酸ナトリウム、および炭酸ナトリウムなどが挙げられる。
【０１９２】
ｐＨ調整剤
組成物のｐＨは、一態様では１．５〜９．５、第２の態様では少なくとも４．５、第３の態様では少なくとも５．５、第４の態様では少なくとも６．５、第５の態様では少なくとも７．０、第６の態様では少なくとも７．５、第７の態様では少なくとも８．０、第８の態様では少なくとも８．５、第９の態様では少なくとも９．０、第１０の態様では少なくとも９．５の範囲であり得る。
【０１９３】
二価亜鉛塩（ｓｅｃｏｎｄａｒｙ  ｚｉｎｃ  ｓａｌｔｓ）と組み合わせたピリチオンの多価金属塩を開示の技術のフケ防止ヘアケア組成物で使用する場合、組成物のｐＨを、少なくとも約６．５の値に調整する。ｐＨは、一態様では約６．５〜約１２、別の態様では約６．８〜約９．５、なお別の態様では約６．８〜約８．５の範囲であり得る。所望のｐＨを得るために、組成物を、有機酸、無機酸、有機塩基および無機塩基から選択される１つまたは複数のｐＨ調整剤を使用して調整することができる。
【０１９４】
組成物のｐＨを、当該分野で公知の酸性および／または塩基性のｐＨ調整剤の任意の組み合わせを使用して調整することができる。酸性物質としては、有機酸および無機酸、特に、モノカルボン酸、ジカルボン酸、およびトリカルボン酸、例えば、酢酸、クエン酸、酒石酸、α−ヒドロキシ酸、β−ヒドロキシ酸、サリチル酸、乳酸、リンゴ酸、グリコール酸、アミノ酸、および天然フルーツ酸、または無機酸、例えば、塩酸、硝酸、硫酸、スルファミン酸、リン酸、およびその組み合わせが挙げられる。
【０１９５】
塩基性物質としては、無機および有機の塩基、ならびにこれらの組合せが挙げられる。無機塩基の例には、これらに限定されないが、アルカリ金属水酸化物（例えば、水酸化カリウム、水酸化ナトリウム）、ならびにアルカリ金属炭酸塩（例えば、炭酸カリウム、炭酸ナトリウム）、ならびにアルカリ金属塩（ホウ酸ナトリウム（ホウ砂）、リン酸ナトリウム、ピロリン酸ナトリウムなど）；ならびにこれらの混合物が含まれる。有機塩基の例には、水酸化アンモニウム、トリエタノールアミン（ＴＥＡ）、ジイソプロパノールアミン、トリイソプロパノールアミン、アミノメチルプロパノール、ドデシルアミン、コカミン、オレアミン、モルホリン、トリアミルアミン、トリエチルアミン、テトラキス（ヒドロキシプロピル）エチレンジアミン、Ｌ−アルギニン、アミノメチルプロパノール、トロメタミン（２−アミノ２−ヒドロキシメチル−１，３−プロパンジオール）、およびＰＥＧ−１５コカミンが含まれる。
【０１９６】
ｐＨ調整剤および／または緩衝剤を、組成物中の所望のｐＨ値を得て、そして／または維持するのに必要な任意の量で利用する。
【０１９７】
保存剤
一態様において、パーソナルケアにおいて使用するのに適した任意の保存剤を、毛髪を真っ直ぐにするための組成物で使用することができる。適切な保存剤には、ポリメトキシ二環式オキサゾリジン、メチルパラベン、プロピルパラベン、エチルパラベン、ブチルパラベン、ベンジルトリアゾール、ＤＭＤＭヒダントイン（１，３−ジメチル−５，５−ジメチルヒダントインとしてもまた公知である）、イミダゾリジニル尿素、フェノキシエタノール、フェノキシエチルパラベン、メチルイソチアゾリノン、メチルクロロイソチアゾリノン、ベンゾイソチアゾリノン、トリクロサン、および上記で開示されている通りの適切なポリクオタニウム化合物（例えば、ポリクオタニウム−１）が含まれる。
【０１９８】
別の態様において、酸系保存剤は、例示的な組成物で有用である。酸系保存剤の使用は、低いｐＨ範囲での製品の配合を促進する。配合物のｐＨを低下させることは、真っ直ぐにするプロセスに適するのに加え微生物増殖にとって適さない環境を固有に提供する。さらに、低ｐＨで配合することによって、酸系保存剤の有効性を増強し、皮膚上の酸性ｐＨバランスを維持するパーソナルケア製品が得られる。パーソナルケア製品において有用な任意の酸系保存剤を、例示的な組成物において使用することができる。一態様において、酸保存剤は、式Ｒ８０Ｃ（Ｏ）ＯＨによって表されるカルボン酸化合物であり、Ｒ８０は、水素、１〜８個の炭素原子を含有する飽和および不飽和ヒドロカルビル基、またはＣ６〜Ｃ１０アリールを表す。別の態様において、Ｒ８０は、水素、Ｃ１〜Ｃ８アルキル基、Ｃ２〜Ｃ８アルケニル基、またはフェニルから選択される。例示的酸は、これらに限定されないが、ギ酸、酢酸、プロピオン酸、ソルビン酸、カプリル酸、および安息香酸、ならびにこれらの混合物である。
【０１９９】
別の態様において、適切な酸には、これらに限定されないが、シュウ酸、コハク酸、グルタル酸、アジピン酸、アゼライン酸、マレイン酸、フマル酸、乳酸、グリセリン酸、タルトロン酸、リンゴ酸、酒石酸、グルコン酸、クエン酸、アスコルビン酸、サリチル酸、フタル酸、マンデル酸、ベンジル酸、およびこれらの混合物が含まれる。
【０２００】
上記の酸の塩は、低いｐＨ値で有効性を保持する限りまた有用である。適切な塩には、上記で列挙した酸のアルカリ金属（例えば、ナトリウム、カリウム、カルシウム）塩およびアンモニウム塩が含まれる。
【０２０１】
酸系保存剤および／またはこれらの塩は、単独で、またはパーソナルケア、ホームケア、ヘルスケア、ならびに施設用および産業用ケア製品において典型的に用いられる非酸性保存剤と組み合わせて使用することができる。
【０２０２】
保存剤は、ヘアケア組成物の全重量の、一態様では０．０１重量％〜３．０重量％、または約０．１重量％〜約１重量％、または約０．３重量％〜約１重量％を含み得る。
【０２０３】
香水および香料
直毛化組成物中の種々の成分のいずれかの臭気をマスキングするためか、審美的に心地よい香料を組成物に付与するために、例示的な組成物中で使用することができる香料および香水の成分。一態様では、適切な香料および香水としては、天然および合成の香料、香水、香気、およびエッセンス、ならびに香りを発する任意の他の物質挙げられる。天然香料として、植物起源の香料、例えば花由来の油抽出物（例えば、ユリ、ラベンダー、バラ、ジャスミン、ネロリ、イランイラン）、茎および葉由来の油抽出物（ゼラニウム、パチョリ、プチグレン、ペパーミント）、果実由来の油抽出物（アニシード、コリアンダー、ウイキョウ、メース、ネズ）、果皮由来の油抽出物（ベルガモット、レモン、オレンジ）、根由来の油抽出物（シシウド、セロリ、カルダモン、コスツス、アヤメ、ショウブ）、木材由来の油抽出物（マツ、ビャクダン、グアヤク、ヒマラヤスギ、シタン、シナモン）、ハーブおよび草由来の油抽出物（タラゴン、レモングラス、セージ、タイム）、針葉および小枝由来の油抽出物（エゾマツ、マツ、ヨーロッパアカマツ、カサマツ）、および樹脂およびバルサム由来の油抽出物（ガルバヌム、エレミ、ベンゾイン、ミルラ、乳香、オポパナクス）など、および動物起源の香料、例えばムスク、ジャコウ、カストリウム、または竜涎香など、ならびにその混合物が存在する。
【０２０４】
合成の香料および香水の例は、芳香族のエステル、エーテル、アルデヒド、ケトン、アルコール、および炭化水素（酢酸ベンジル、イソ酪酸フェノキシエチル、酢酸ｐ−ｔｅｒｔ−ブチルシクロヘキシル、酢酸リナリル、酢酸ジメチルベンジルカルビニル、酢酸フェニルエチル、安息香酸リナリル、ギ酸ベンジル、エチルメチルフェニルグリシネート、プロピオン酸アリルシクロヘキシル、プロピオン酸スチラリル（ｓｔｙｒａｌｙｌ  ｐｒｏｐｉｏｎａｔｅ）、およびサリチル酸ベンジル；ベンジルエチルエーテル；８〜１８個の炭素原子を有する直鎖アルカナール、シトラール、シトロネラール、シトロネリロキシアルデヒド、シクラメンアルデヒド、ヒドロキシシトロネラール、リリアール、およびブルゲオナール（ｂｏｕｇｅｏｎａｌ）；イオノン化合物、α−イソメチルイオノン、およびメチルセドリルケトン；アネトール、シトロネロール、オイゲノール、イソオイゲノール、ゲラニオール、ラバンズロール、ネロリドール、リナロール、フェニルエチルアルコール、およびテルピネオール、α−ピネン、テルペン（例えば、リモネン）、およびバルサム、ならびにその混合物が含まれる）である。
【０２０５】
矯味矯臭剤または香水の使用量は、特定の臭気をマスキングするか、所望の審美的に心地よいアロマ、香料、または香気を付与するのに適切な任意の量であり得る。一態様では、矯味矯臭剤の量は、組成物の全重量に基づいて、約０．０５重量％〜約１０重量％、別の態様では約０．１重量％〜約５重量％、なお別の態様では約０．５重量％〜約３．５重量％、さらなる態様では約１重量％〜約２．５重量％の範囲であり得る。
【０２０６】
電解質
任意選択的に、開示の技術のクレンジングおよびコンディショニング組成物は電解質を含んでもよい。適切な電解質は公知の化合物であり、それらには、多価アニオンの塩、例えば、ピロリン酸カリウム、トリポリリン酸カリウムおよびクエン酸ナトリウムまたはクエン酸カリウム、多価カチオンの塩、例えば、アルカリ土類金属塩、例えば、塩化カルシウムおよび臭化カルシウムならびにハロゲン化亜鉛、塩化バリウム、硫酸マグネシウムおよび硝酸カルシウム、一価カチオンと一価アニオンの塩、例えば、アルカリ金属またはアンモニウムのハロゲン化物、例えば、塩化カリウム、塩化ナトリウム、ヨウ化カリウム、臭化ナトリウムおよび臭化アンモニウム、硝酸アルカリ金属または硝酸アンモニウムならびにそのブレンドが挙げられる。使用される電解質の量は、一般に組み込まれる両親媒性エマルジョンポリマーの量に依存するが、組成物全体の重量に基づいて一態様では約０．１〜約４重量％、別の態様では約０．２〜約２重量％の濃度レベルで使用することができる。
【０２０７】
色素および顔料
本技術のヘアケア組成物はまた、顔料物質、例えば無機のもの、ニトロソ、モノアゾ、ジアゾ、カロテノイド、トリフェニルメタン、トリアリールメタン、キサンテン、キノリン、オキサジン、アジン、アントラキノン、インジゴイド、チオンインジゴイド、キナクリドン、フタロシアニン（ｐｈｔｈａｌｏｃｉａｎｉｎｅ）、植物性物質、天然染料など（水溶性成分、例えばＣ．Ｉ．およびＦＤ＆Ｃの記号表示を有するものが挙げられる）を含み得る。
【０２０８】
例示的な顔料は、金属化合物または半金属化合物であり、イオン性、非イオン性または酸化形態で使用することができる。顔料は、個々にこの形態であるか、混合物中でこの形態であるか、あるいは個々の混合された酸化物としてまたはその混合物（混合酸化物および純粋酸化物の混合物を含む）としてこの形態であるかのいずれであってもよい。例としては、酸化チタン（例えば、ＴｉＯ２）、酸化亜鉛（例えば、ＺｎＯ）、酸化アルミニウム（例えば、Ａｌ２Ｏ３）、酸化鉄（例えば、Ｆｅ２Ｏ３）、酸化マンガン（例えば、ＭｎＯ）、酸化ケイ素（例えば、ＳｉＯ２）、ケイ酸塩、酸化セリウム、酸化ジルコニウム（例えば、ＺｒＯ２）、硫酸バリウム（ＢａＳＯ４）、ナイロン−１２、およびそれらの混合物がある。
【０２０９】
顔料の他の例としては、温度で色が変わるサーモクロミック色素、炭酸カルシウム、水酸化アルミニウム、硫酸カルシウム、カオリン、フェロシアン化第二鉄アンモニウム、炭酸マグネシウム、カルミン、硫酸バリウム、雲母、オキシ塩化ビスマス、ステアリン酸亜鉛、マンガンバイオレット、酸化クロム、二酸化チタンナノ粒子、酸化バリウム、群青、クエン酸ビスマス、ヒドロキシアパタイト、ケイ酸ジルコニウム、カーボンブラック粒子などが挙げられる。
【０２１０】
固定剤
適切な毛髪固定ポリマーには、例えば、ポリアクリレート、ポリビニル、ポリエステル、ポリウレタン、ポリアミド、修飾セルロース、デンプン、およびこれらの混合物などの天然および合成のポリマーが含まれる。これらのポリマーは天然で、非イオン性、アニオン性、カチオン性および両性でよく、これらに限定されないが、ポリオキシエチレン化酢酸ビニル／クロトン酸コポリマー、酢酸ビニルクロトン酸コポリマー、メタクリル酸ビニルコポリマー、ポリ（メチルビニルエーテル（ＰＶＭ）／マレイン酸無水物（ＭＡ））のモノアルキルエステル（例えば、ＰＶＭ／ＭＡコポリマーのエチル、ブチルおよびイソプロピルエステルなど）、アクリル酸／アクリル酸エチル／Ｎ−ｔｅｒｔ−ブチル−アクリルアミドターポリマー、およびポリ（メタクリル酸／アクリルアミドメチルプロパンスルホン酸）、アクリレートコポリマー、オクチルアクリルアミド／アクリレート／ブチルアミノエチルメタクリレートコポリマー、アクリレート／オクチルアクリルアミドコポリマー、酢酸ビニル（ＶＡ）／クロトネート／ネオデカン酸ビニル（ｖｉｎｙｌ  ｎｅｏｄｅａｎｏａｔｅ）コポリマー、ポリ（Ｎ−ビニルアセトアミド）、ポリ（Ｎ−ビニルホルムアミド）、修飾トウモロコシデンプン、ポリスチレンスルホン酸ナトリウム、ポリクオタニウム（例えば、ポリクオタニウム−４、ポリクオタニウム−５、ポリクオタニウム−６、ポリクオタニウム−７、ポリクオタニウム−１０、ポリクオタニウム−１１、ポリクオタニウム−２２、ポリクオタニウム−２４、ポリクオタニウム−２８、ポリクオタニウム−２９、ポリクオタニウム−３２、ポリクオタニウム−３４、ポリクオタニウム−３７、ポリクオタニウム−３９、ポリクオタニウム−４４、ポリクオタニウム−４６、ポリクオタニウム−４７、ポリクオタニウム−５２、ポリクオタニウム−５３、ポリクオタニウム−５５、ポリクオタニウム−６８、ポリクオタニウム−６９、ポリクオタニウム−８７など）、ラウレス−１６、ポリエーテル−１、ＶＡ／アクリレート／メタクリル酸ラウリルコポリマー、アジピン酸／ジメチルアミノヒドロキシプロピルジエチレンＡＭＰ／アクリレートコポリマー、メタクリロイル（ｍｅｔｈａｃｒｙｌｏｌ）エチルベタイン／アクリレートコポリマー、アクリルアミド／アクリロイルジメチルタウリン酸ナトリウム／アクリル酸、ポリビニルピロリドン（ＰＶＰ）、ビニルピロリドン（ＶＰ）／ジメチルアミノエチルメタクリレートコポリマー、アクリル酸／ＶＰクロスポリマー、ＶＰ／メタクリルアミド／ビニルイミダゾールコポリマー、ＶＰ／ジメチルアミノプロピルアミン（ＤＭＡＰＡ）アクリレートコポリマー、ＶＰ／ビニルカプロラクタム／ＤＭＡＰＡアクリレートコポリマー、ビニルカプロラクタム／ＶＰ／メタクリル酸ジメチルアミノエチルコポリマー、ＶＡ／マレイン酸ブチル／アクリル酸イソボルニルコポリマー、ＶＡ／クロトネートコポリマー、アクリレート／アクリルアミドコポリマー、ＶＡ／クロトネート／プロピオン酸ビニルコポリマー、ＶＰ／酢酸ビニル／プロピオン酸ビニルターポリマー、ＶＰ／酢酸ビニルコポリマー、ＶＰ／アクリレートコポリマー、ＶＡ／クロトン酸／プロピオン酸ビニル（ｖｉ���ｙｌ  ｐｒｏｐｒｉｏｎａｔｅ）、アクリレート／アクリルアミド、アクリレート／オクチルアクリルアミド、アクリレート／ヒドロキシアクリレートコポリマー、アクリレート／ヒドロキシエステルアクリレートコポリマー、アクリレート／ステレス−２０メタクリレートコポリマー、ｔｅｒｔ−アクリル酸ブチル／アクリル酸コポリマー、ジグリコール／シクロヘキサンジメタノール／イソフタレート／スルホイソフタレートコポリマー、ＶＡ／アルキルマレエート半エステル／Ｎ−置換アクリルアミドターポリマー、ビニルカプロラクタム／ＶＰ／メタクリロアミドプロピルトリメチルアンモニウムクロリドターポリマー、メタクリレート／アクリレートコポリマー／アミン塩、ポリビニルカプロラクタム、ヒドロキシプロピルグアー、ポリ（メタクリル酸／アクリルアミドメチルプロパンスルホン酸（ＡＭＰＳＡ）、エチレンカルボキサミド（ＥＣ）／ＡＭＰＳＡ／メタクリル酸（ＭＡＡ）、ポリウレタン（ｐｏｙｌｕｒｅｔｈａｎｅ）／アクリレートコポリマーおよびヒドロキシプロピルトリモニウムクロリドグアー、アクリレートクロスポリマー、アクリレートクロスポリマー−３、ＡＭＰ−アクリレート／アリルメタクリレートコポリマー、ポリアクリレート−１４、ポリアクリレート−２クロスポリマー、アクリレート／アクリル酸ラウリル／アクリル酸ステアリル／エチルアミンオキシドメタクリレートコポリマー、メタクリロイルエチルベタイン／メタクリレートコポリマー、ポリウレタン／アクリレートコポリマー、キトサンのピロリドンカルボン酸塩、キトサングリコレート、カチオン性ポリガラクトマンナン、例えば、グアーの四級化誘導体（例えば、グアーヒドロキシプロピルトリモニウムクロリド、カッシアヒドロキシプロピルトリモニウムクロリドおよびヒドロキシプロピルグアーヒドロキシプロピルトリモニウムクロリドなど）の１つまたは複数が含まれる。前述のポリマーの多くは、米国化粧品工業会（ｔｈｅ  Ｃｏｓｍｅｔｉｃ，  Ｔｏｉｌｅｔｒｙ，  ａｎｄ  Ｆｒａｇｒａｎｃｅ  Ａｓｓｏｃｉａｔｉｏｎ）、Ｗａｓｈｉｎｇｔｏｎ  Ｄ．Ｃ．発行のＩｎｔｅｒｎａｔｉｏｎａｌ  Ｃｏｓｍｅｔｉｃ  Ｉｎｇｒｅｄｉｅｎｔ  Ｄｉｃｔｉｏｎａｒｙに記載のそのＩＮＣＩ命名法で言及されている。他の適切な補助的な固定ポリマーは、米国特許第７，２０５，２７１号（その開示が、本明細書中で参考として援用される）に開示されている。
【０２１１】
固定ポリマーは典型的には、ヘアスタイリング組成物の全重量に対して、一態様において約０．０１重量％〜約８重量％、別の態様において約０．１重量％〜約５重量％、さらなる態様において約０．２重量％〜約３重量％を含む。
【０２１２】
洗浄組成物（Ｄｅｔｅｒｓｉｖｅ  Ｃｏｍｐｏｓｉｔｉｏｎ）
ボディウォッシュ
一態様において、中でも本発明のポリマーが有用なパーソナルケア組成物は、ボディウォッシュである。ボディウォッシュの典型的な成分は、ポリマー増粘剤および水に加えて、少なくとも１種の界面活性剤；一態様において約３．５〜約７．５、別の態様において約４．０〜約６．５、さらなる態様において約５．０〜約６．０のｐＨを達成するのに十分なｐＨ調整剤（塩基および／または酸）；ならびに上記のアジュバント、添加剤および効果剤、ならびにこれらの混合物（シリコーン、真珠光沢付与剤（ｐｅａｒｌｉｚｉｎｇ  ａｇｅｎｔ）、ビタミン、オイル、香料、色素、保存剤（酸を含めた）、植物性薬品、角質除去剤（ｅｘｆｏｌｉａｔｉｎｇ  ａｇｅｎｔ）、不溶性ガスバブル、リポソーム、マイクロスポンジ（ｍｉｃｒｏｓｐｏｎｇｅｓ）、化粧品用ビーズおよびフレークから選択される効果剤を含めた）から選択される任意選択の構成要素である。一態様において、界面活性剤は、アニオン性界面活性剤である。別の態様において、界面活性剤は、非イオン性界面活性剤と任意選択で組み合わせた、アニオン性界面活性剤および両性界面活性剤の混合物である。別の態様において、界面活性剤は、カチオン性界面活性剤および／または非イオン性界面活性剤と任意選択で組み合わせた、アニオン性界面活性剤および両性界面活性剤の混合物である。一態様において、アニオン性界面活性剤は、ボディウォッシュ組成物の全重量に基づいて、約５重量％〜約４０重量％、別の態様において約６重量％〜約３０重量％、さらなる態様において８重量％〜約２５重量％の範囲の量で存在することができる。アニオン性界面活性剤および両性界面活性剤の混合物が使用されるとき、アニオン性界面活性剤：両性界面活性剤の比は、一態様において約１：１〜約１５：１、別の態様において約１．５：１〜約１０：１、さらなる態様において約２．２５：１〜約９：１、またさらなる態様において約４．５：１〜約７：１の範囲でよい。アクリルポリマーブレンド（複数可）の量は、ボディウォッシュ組成物の全重量に基づいて、一態様において約０．５重量％〜約５重量％、別の態様において約１重量％〜約３重量％、さらなる態様において約１．５重量％〜約２．５重量％の範囲でよい。
【０２１３】
本発明のボディウォッシュの実施形態は、保湿ボディウォッシュ、抗菌ボディウォッシュ、二重目的のボディウォッシュおよびシャンプー（ｄｕａｌ  ｐｕｒｐｏｓｅ  ｂｏｄｙ  ｗａｓｈ  ａｎｄ  ｓｈａｍｐｏｏ）、バスゲル、シャワーゲル、液体ハンド石鹸、ボディスクラブ；バブルバス、フェイシャルスクラブ、フットスクラブなどとして配合することができる。
【０２１４】
シャンプー
一態様において、開示の技術のポリマーが有用なパーソナルケア組成物は、シャンプーである。シャンプーの典型的な成分は、ポリマー増粘剤および水に加えて、少なくとも１種の界面活性剤；一態様において約３．０〜約７．５、別の態様において約３．５〜約６．０、さらなる態様において約４．０〜約５．５のｐＨを達成するための十分なｐＨ調整剤（塩基および／または酸）；ならびに上記のアジュバント、添加剤および効果剤、ならびにこれらの混合物（コンディショニング剤（例えば、シリコーンおよび／またはカチオン性コンディショニング剤；小さな／または大きな粒子径のシリコーン）、真珠光沢付与剤（ｐｅａｒｌｉｚｉｎｇ  ａｇｅｎｔ）、ビタミン、油、香料、色素、保存剤（酸を含めた）、植物性薬品、および不溶性ガスバブル、リポソーム、および化粧品用ビーズおよびフレーク、および抗フケ剤、ならびにこれらの混合物から選択される効果剤を含めた）から選択される任意選択の構成要素である。一態様において、界面活性剤は、アニオン性界面活性剤である。別の態様において、界面活性剤は、カチオン性界面活性剤および／または非イオン性界面活性剤と任意選択で組み合わせた、アニオン性界面活性剤および両性界面活性剤の混合物である。一態様において、アニオン性界面活性剤は、シャンプー組成物の全重量に基づいて、約５重量％〜約４０重量％、別の態様において約６重量％〜約３０重量％、さらなる態様において８重量％〜約２５重量％の範囲の量で存在することができる。アニオン性界面活性剤および両性界面活性剤の混合物が使用されるとき、アニオン性界面活性剤と両性界面活性剤の比は、一態様において約１：１〜約１０：１、別の態様において約２．２５：１〜約９：１、さらなる態様において約４．５：１〜約７：１の範囲でよい。ポリマーの量は、シャンプー組成物の全重量に基づいて、一態様において約０．５重量％〜約５重量％、別の態様において約１重量％〜約３重量％、さらなる態様において約１．５重量％〜約２．５重量％の範囲でよい。
【０２１５】
開示の技術のシャンプーの実施形態は、２イン１シャンプー、ベビーシャンプー、コンディショニングシャンプー、ボディファイング（ｂｏｄｉｆｙｉｎｇ）シャンプー、保湿（ｍｏｉｓｔｕｒｉｚｉｎｇ）シャンプー、一時的なヘアカラーシャンプー、３イン１シャンプー、フケ防止シャンプー、ヘアカラーメンテナンスシャンプー、酸（中和）シャンプー、薬用シャンプー、およびサリチル酸シャンプーなどとして配合することができる。
【０２１６】
脂肪酸液体せっけんベースのクレンザー
一態様では、本発明のポリマーが有用であるパーソナルケア組成物は、脂肪酸せっけんベースのクレンザーである。脂肪酸ベースのせっけんクレンザーの代表的な成分は、ポリマー増粘剤に加えて：少なくとも１つの脂肪酸塩；任意選択の界面活性剤または界面活性剤の混合物；一態様では７超、別の態様では約７．５〜約１４、なお別の態様では約８〜約１２、さらなる態様では約８．５〜約１０のｐＨを達成するために十分なｐＨ調整剤（塩基および／または酸）、および任意選択の構成要素であり、例えば、上記で考察したアジュバント、添加物、および有益な薬剤、ならびにそれらの混合物から選択され、例としては、シリコーン、保湿剤、真珠光沢付与剤（ｐｅａｒｌｉｚｉｎｇ  ａｇｅｎｔ）、ビタミン、オイル、香料、色素、保存料、植物性薬品、フケ防止剤、角質除去剤（ｅｘｆｏｌｉａｔｉｎｇ  ａｇｅｎｔ）、不溶性ガス気泡、リポソーム、マイクロスポンジ（ｍｉｃｒｏｓｐｏｎｇｅｓ）、化粧品ビーズおよびフレークから選択される有益な薬剤を含む。
【０２１７】
一態様では、脂肪酸せっけんは、約８〜約２２個の炭素原子を含む少なくとも１つの脂肪酸塩（例えば、ナトリウム、カリウム、アンモニウム）から選択される。本発明の別の態様では、液体せっけん組成物は約１２〜約１８個の炭素原子を含む少なくとも１つの脂肪酸塩を含む。せっけん中で使用される脂肪酸は、飽和であっても不飽和であってもよく、合成供給源から誘導されてもよく、同様に適切な塩基（例えば、水酸化ナトリウム、水酸化カリウム、および水酸化アンモニウム）による脂肪および天然のオイル類のけん化から誘導されてもよい。例示的な飽和脂肪酸としては、限定されないが、オクタン酸、デカン酸、ラウリン酸、ミリスチン酸、ペンタデカン酸、パルミチン酸、マルガリン酸、ステアリン酸（ｓｔｅｒｉｃ  ａｃｉｄ）、イソステアリン酸、ノナデカン酸、アラキジン酸、ベヘン酸など、およびそれらの混合物が挙げられる。例示的な不飽和脂肪酸としては、限定されないが、ミリストレイン酸、パルミトレイン酸、オレイン酸、リノール酸、リノレン酸など、およびそれらの混合物の塩（例えば、ナトリウム、カリウム、およびアンモニウム）が挙げられる。脂肪酸は、タローなどの動物性脂肪から誘導されても、またはヤシ油、レッド油、パーム仁油、パーム油、綿実油、オリーブ油、ダイズ油、ピーナッツ油、コーン油、およびそれらの混合物などの植物油から誘導されてもよい。本実施形態の液体クレンジング組成物中で使用され得る脂肪酸せっけんの量は、組成物全体の重量に基づいて、本発明の一態様では約１重量％〜約５０重量％、別の態様では約１０重量％〜約３５重量％、さらなる態様では約１２重量％〜２５重量％の範囲である。
【０２１８】
任意選択のアニオン性界面活性剤は、せっけん組成物中に、このせっけん組成物の全重量の重量に基づいて、一態様では約１重量％〜約２５重量％、別の態様では約５重量％〜約２０重量％、さらなる態様では８重量％〜約１５重量％の範囲の量で存在してよい。アニオン性界面活性剤および両性界面活性剤の混合物を使用することができる。アニオン性界面活性剤と両性界面活性剤の比は、一態様では約１：１〜約１０：１、別の態様では約２．２５：１〜約９：１、さらなる態様では約４．５：１〜約７：１の範囲であってよい。
【０２１９】
本技術の前述のせっけんの実施形態ではポリマーの量は、せっけん組成物の全重量に基づいて、一態様では約０．５重量％〜約５重量％、別の態様では約１重量％〜約３重量％、さらなる態様では約１．５重量％〜約２．５重量％の範囲であってよい。
【０２２０】
本発明の液体脂肪酸せっけんベースのクレンザーの実施形態は、ボディソープ、浴用ジェル、シャワージェル、液体ハンドソープ、ボディスクラブ；バブルバス剤、スクラブ洗顔料、および足用スクラブ、２イン１シャンプー、ベビーシャンプー、コンディショニングシャンプー、ボディファイングシャンプー、保湿シャンプー、一時的なヘアカラーシャンプー、３イン１シャンプー、フケ防止シャンプー、ヘアカラーメンテナンスシャンプー、酸（中和）シャンプー、フケ防止シャンプー、薬用シャンプー、およびサリチル酸シャンプーなどとして配合することができる。
【０２２１】
機能性化粧品（ｃｏｓｍｅｃｅｕｔｉｃａｌ）
機能性化粧品の一態様において、本技術のポリマーは、活性構成要素として、酸性抗加齢剤、抗セルライト剤、抗ざ瘡剤を含有する活性皮膚トリートメントローションおよびクリームのための増粘剤として用いることができる。例示的な活性成分として、α−ヒドロキシ酸（ＡＨＡ）、β−ヒドロキシ酸（ＢＨＡ）、α−アミノ酸、α−ケト酸（ＡＫＡ）、およびこれらの混合物が挙げられる。一態様において、ＡＨＡは、これらに限定されないが、乳酸、グリコール酸、フルーツ酸（リンゴ酸、クエン酸、酒石酸など）、ＡＨＡを含有する天然化合物の抽出物（リンゴ抽出物、アンズ抽出物など）、はちみつ抽出物、２−ヒドロキシオクタン酸、グリセリン酸（ジヒドロキシプロピオン酸）、タルトロン酸（ヒドロキシプロパン二酸）、グルコン酸、マンデル酸、ベンジル酸、アゼライン酸、α−リポ酸、サリチル酸、ＡＨＡ塩および誘導体、例えば、グリコール酸アルギニン、グリコール酸アンモニウム、グリコール酸ナトリウム、乳酸アルギニン、乳酸アンモニウム、乳酸ナトリウム、α−ヒドロキシ酪酸、α−ヒドロキシイソ酪酸、α−ヒドロキシイソカプロン酸、α−ヒドロキシイソ吉草酸、アトロラクチン酸などを含むことができる。ＢＨＡには、これらに限定されないが、３−ヒドロキシプロパン酸、β−ヒドロキシ酪酸、β−フェニル乳酸、β−フェニルピルビン酸などが含まれてもよい。α−アミノ酸には、これらに限定されないが、フルーツ酸と組み合わせて用いられることがある、α−アミノジカルボン酸（アスパラギン酸、グルタミン酸、およびこれらの混合物など）が含まれる。ＡＫＡは、ピルビン酸を含む。いくつかの抗加齢組成物において、酸性活性剤は、レチノイン酸、ハロカルボン酸（トリクロロ酢酸など）、酸性抗酸化剤、例えば、アスコルビン酸（ビタミンＣ）、鉱酸、フィチン酸、リゾホスファチジン酸などでよい。いくつかの酸性抗ざ瘡活性剤は、例えば、サリチル酸、サリチル酸の誘導体（５−オクタノイルサリチル酸など）、レチノイン酸、およびその誘導体、ならびに安息香酸を含むことができる。
【０２２２】
活性皮膚トリートメント組成物の使用および配合の考察は、ＣＯＳＭＥＴＩＣＳ  ＆  ＴＯＩＬＥＴＲＩＥＳ，  Ｃ＆Ｔ  Ｉｎｇｒｅｄｉｅｎｔ  Ｒｅｓｏｕｒｃｅ  Ｓｅｒｉｅｓ、「ＡＨＡｓ  ＆  Ｃｅｌｌｕｌｉｔｅ  Ｐｒｏｄｕｃｔｓ  Ｈｏｗ  Ｔｈｅｙ  Ｗｏｒｋ」、出版１９９５年、および「Ｃｏｓｍｅｃｅｕｔｉｃａｌｓ」、出版１９９８年（両方ともＡｌｌｕｒｅｄ  Ｐｕｂｌｉｓｈｉｎｇ  Ｃｏｒｐｏｒａｔｉｏｎから入手可能であり、参考として本明細書中に援用されている）に存在する。アスコルビン酸で酸性化したα−アミノ酸を含有する組成物は、米国特許第６，１９７，３１７Ｂ１号に記載されており、抗加齢の皮膚ケア療法においてこれらの酸を利用する市販の機能性化粧品の調製品は、商品名ＡＦＡでｅｘＣｅｌ  Ｃｏｓｍｅｃｅｕｔｉｃａｌｓ（Ｂｌｏｏｍｆｉｅｌｄ  Ｈｉｌｌｓ、ＭＩ）によって販売されている。「ＡＦＡ」という用語は、供給業者の営業用文献において記載されるように、アミノフルーツ酸として、および「アミノ酸フィラグリン系抗酸化剤」の頭字語としてアミノ酸／ビタミンＣの組合せを記載するために開発者によって作り出された。
【０２２３】
ヘルスケア
本ポリマーを含むことができるヘルスケアの実施形態は、局所および非局所の医薬品、および装置などの医療品である。医薬品の配合において、本発明のポリマーの実施形態は、これらに限定されないが、シロップ、クリーム、ポマード、ゲル、ペースト、軟膏、錠剤、ゲルカプセル、下剤流体（浣腸、催吐剤、結腸洗浄剤など）、坐剤、抗真菌フォーム剤、目のための製品（眼科製品、例えば、点眼薬、人工涙液、緑内障薬物送達ドロップ剤、コンタクトレンズクリーナーなど）、耳のための製品（耳こう軟化剤、耳こう除去剤、耳炎薬物送達ドロップ剤など）、鼻のための製品（ドロップ剤、軟膏、スプレーなど）、および創部ケア（液体包帯、創傷被覆材、抗生物質クリーム、軟膏など）などの製品において、増粘剤および／または滑沢剤として用いることができる。
【０２２４】
他のヘルスケアの実施形態は、足用ケア製品、例えば、角質溶解性うおのめおよびたこ除去剤、足用浸し液、薬用の足用製品、例えば、抗真菌の足白癬軟膏、ゲル、スプレーなど、ならびに抗真菌、抗酵母、および抗菌のクリーム、ゲル、スプレー、および軟膏に関する。
【０２２５】
他のヘルスケアの実施形態は、足用ケア製品、例えば、角質溶解性うおのめおよびたこ除去剤、足用浸し液、薬用の足用製品、例えば、抗真菌の足白癬軟膏、ゲル、スプレーなど、ならびに抗真菌、抗酵母、および抗菌のクリーム、ゲル、スプレー、および軟膏に関する。
【０２２６】
本技術のヘアケア組成物は、市販品の貯蔵および輸送中に通常見出される温度で無制限に安定である。組成物は、約２０℃〜約２５℃の温度で組成物の成分の相分離または沈殿を本質的に無制限に防止する。組成物はまた、１年またはそれより長い期間にわたって影響を受けないままであるように、市販品の貯蔵および輸送中に通常見出される温度での成分の相分離および沈殿に対する十分な安定性を証明しなければならない。
【０２２７】
開示の技術のＡＳＥポリマーを使用するクレンジング組成物は、ＡＳＥポリマーを含む組成物に高い懸濁安定性を提供するだけでなく、他の予想外の望ましい性質、例えば泡の品質および刺激の緩和なども提供する。
【０２２８】
本技術を以下の実施例によって例示するが、これらは、例示の目的のものに過ぎず、本技術の範囲またはそれを実施できる様式を限定するとみなされるべきものではない。そうでないと具体的に示されない限り、部およびパーセンテージは重量で与えられる。
【０２２９】
試験方法
降伏応力
これらのポリマーの降伏応力値は、２５℃で４０ｍｍ〜６０ｍｍのステンレス鋼コーン−プレートを２度の配置で使用する制御型応力レオメーター（ＴＡ  Ｉｎｓｔｒｕｍｅｎｔｓ  ＡＲ１０００Ｎレオメーター、Ｎｅｗ  Ｃａｓｔｌｅ、ＤＥ）で、振動測定および定常剪断測定により決定する。振動測定は１ｒａｄ／秒の固定周波数で実施する。弾性係数および粘性係数（それぞれＧ’およびＧ”）を、増大する応力振幅の関数として得る。膨潤したポリマー粒子がネットワークを形成した場合、Ｇ’は低い応力振幅においてＧ”より大きいが、より高い振幅においてはネットワークの破断のため減少し、Ｇ”と交差する。Ｇ’とＧ”との交点に対応する振動応力を降伏応力として記録する（図１は代表的な降伏応力のプロットを示す）。
【０２３０】
粘度（ブルックフィールド）
ブルックフィールド回転スピンドル法（別段の指定がない限り、本明細書で報告されるすべての粘度測定は、ブルックフィールド法で行う）：粘度測定は、ｍＰａ・ｓで算出し、ブルックフィールド回転スピンドル粘度計、Ｍｏｄｅｌ  ＲＶＴ（Ｂｒｏｏｋｆｉｅｌｄ  Ｅｎｇｉｎｅｅｒｉｎｇ  Ｌａｂｏｒａｔｏｒｉｅｓ，Ｉｎｃ．）を、１分あたり約２０回転（ｒｐｍ）で、約２０〜２５℃の環境室温で使用する（以降、粘度という）。スピンドルのサイズは、製造元の標準作業推奨に従って選択する。一般には、スピンドルのサイズは、以下のとおり選択する：
【表６】
2019502800.tif 000014
【０２３１】
スピンドルサイズの推奨は、単に例示の目的に過ぎない。当業者は、測定するシステムに適切なスピンドルサイズを選択する。別段の指定がない限り、粘度を、サンプルの配合から８時間後に測定した。
【０２３２】
粘度（ＡＲ−Ｇ２レオメーター）
ＡＲ−Ｇ２レオメーター（ＴＡ  Ｉｎｓｔｒｕｍｅｎｔｓ）で粘度特性を評価したサンプルを、１０００μｍのギャップを有する標準的な４０ｍｍスチール製平行板形状を使用して、２５℃の温度で１分間、３．５ｓ−１の剪断速度に供した。各測定の前に、サンプル組成物をロードし、５分間アイドリングしてサンプル組成物を平衡に到達させた。
【０２３３】
透明度
組成物の透明度（濁度）は、約２０〜２５℃の周囲室温でネフェロ分析濁度計（Ｍｉｒｃｒｏ１００濁度計、ＨＦ  Ｓｃｉｅｎｔｉｆｉｃ，Ｉｎｃ．）を用いてネフェロ分析濁度単位（ＮＴＵ）で決定する。蒸留水（ＮＴＵ＝０）を、標準物質として利用する。６つのドラムねじ蓋バイアル（７０ｍｍ×２５ｍｍ）を、殆ど上部まで試験試料で充填し、全てのバブルが除去されるまで１００ｒｐｍで遠心する。遠心分離にあたり、濁度計中に置く前に、各試料バイアルをティッシュペーパーでぬぐい、汚れを除去する。試料を濁度計中に置き、読取り値を計測する。読取り値が安定化すると、ＮＴＵ値を記録する。バイアルを４分の１回転させ、別の読取り値を計測し、記録する。４回の読取り値を計測するまでこれを繰り返す。４回の読取り値の最も低いものを、濁度値として報告する。
【０２３４】
透過率
報告時に、ポリマー含有組成物の透過率を、組成物を作製してから少なくとも約２４時間後に、Ｂｒｉｎｋｍａｎｎ  ＰＣ  ９２０比色計によって％Ｔ（透過率）で測定する。脱イオン水（透明性の格付けは１００パーセント）に対する透明性の測定値をとる。透明性が約６０パーセントまたはそれを超える組成物を実質的に透明とし；透明性が約４５パーセント〜５９パーセントの範囲の組成物を実質的に半透明と判断する。
【０２３５】
懸濁安定性
本技術のＡＳＥレオロジーポリマーを使用して作製した種々の組成物は安定である。特定の組成物への安定性要件は、その最終市場での利用およびそれが売買される地理に応じて変わる。その後に各組成物についての許容され得る「貯蔵期間」を決定する。これは、組成物がその通常の貯蔵および取り扱い条件にわたって安定であるべき期間をいい、組成物が製造されたときと消費者が使用するために組成物が最終的に販売されたときとの間を測定する。一般に、パーソナルケア組成物は、１〜３年間の貯蔵期間を必要とする。
【０２３６】
１年を超えて安定性研究を行う必要がなくなるように、配合者は、組成物の貯蔵期間を予想するために、ストレス条件下で安定性試験を行う。典型的には、加速試験は、固定の高温、通常４５〜５０℃で実施される。組成物は、約４５℃の温度で一態様では少なくとも１週間、別の態様では少なくとも１か月間、なお別の態様では少なくとも約３か月間、さらなる態様では少なくとも約６か月間安定であるべきである。
【０２３７】
ポリマー系が、活性および／または美的に心地良い不溶性の油性微粒子の材料を浮遊させる能力は、製品の有効性およびアピールの観点から重要である。試験配合物が試験ビーズを安定に浮遊させる能力は、不溶性または微粒子状の物質を浮遊させる能力の指標である。６つのドラムバイアル（高さ概ね７０ｍｍ×直径２５ｍｍ）を、５０ｍｍのポイントまで試験配合物で充填する。各試料バイアルを遠心し、配合物中に含有される閉じ込められた空気バブルを除去する。約１０個の試験ビーズを各試験配合物に入れ、ビーズがサンプル全体に均一に分散させられるまで木製棒で穏やかに撹拌する。各試料バイアル中の概ね４のビーズの位置を、バイアルの外側ガラス表面上に黒いマーカーペンでビーズの周りに円を描くことによって書き留め、写真を撮り、配合物中のビーズの最初の位置を確立する。バイアルを４５℃のオーブン中に入れ、１〜１２週間の間経時変化させる。各サンプルのビーズ懸濁性を、試験期間の終わりに視覚的に評価する。試験期間の終了後に円で囲んだ４個の全てのビーズの最初の位置が（その最初の位置から３ｍｍ上または下に）変化しない場合、サンプルは試験に合格する。試験期間の終了後に４個の円で囲んだビーズのうちの１つまたは複数の最初の位置が（その最初の位置から３ｍｍ上または下に）変化する場合、サンプルは試験に不合格である。
【０２３８】
懸濁安定性試験において以下の３タイプのビーズを評価する：
タイプ１．大型の浮遊困難なビーズ：Ｌｉｐｏ  Ｃｈｅｍｉｃａｌｓ，Ｉｎｃ．により供給されたＬｉｐｏＰｅａｒｌＴＭ  ＬＴＩ−０２９３（Ｃｏｌｏｒ−Ｗｈｉｔｅ）であり、平均粒径およそ１，０００〜２，８００ミクロンで、ビタミンＥ、鉱油、雲母、二酸化チタン、およびゼラチンを含む。
タイプ２．中型ビーズ：Ｉｍｐａｃｔ  Ｃｏｌｏｒｓ，Ｉｎｃ．からのＶｉｓｉｏｎ  ＢｅａｄＴＭ  ＧＶＢＧＳＯ／ＴＡであり、粒径約１０００ミクロンで、ブドウ種油、ラクトース一水和物、微結晶性セルロース、およびヒプロメロースを含む。
タイプ３．小型ビーズ：Ｉｎｄｕｃｈｅｍ  ＡＧにより供給されたＵｎｉｓｐｈｅｒｅｓ（登録商標）  ＵＥＡ−５０９であり、粒径約５００〜９００ミクロンで、ビタミンＥ、レチニルパルミテート、ラクトース、セルロース、およびヒドロキシプロピルメチルセルロースを含む。
【０２３９】
凍結−融解安定性
凍結−融解安定性を、３凍結融サイクルで試験する。各サイクルでは、サンプルを−２０℃で２４時間凍結し、次いで、室温（２０〜２５℃）で２４時間融解する。各凍結−融解サイクル後にサンプルの粘度および透明性を試験する。凍結−融解安定性試験に合格するためには、サンプルは、３凍結−融解サイクル後に室温で２４時間貯蔵した同一サンプルと比較して、外観が不変であり、透明性（濁度として測定）が等価であるかまたはより高く、粘度変化が２５％以下であるべきである。
【０２４０】
本技術にしたがって作製した生成物または組成物は、以下の基準の１つまたは複数を満たす場合に安定と見なされる：
１．組成物中のいかなる物質の相分離も、沈殿も、クリーム分離もない。組成物は、そのバルク全体にわたって完全に均一性を保持すべきである。分離を、配合物中の任意の成分（制限されないが、不溶性物質、可溶性物質、および油性物質などが挙げられる）の２つまたはそれより多くの別個の層または相の視覚的存在と定義する。
２．組成物の粘度が経時的に有意に増加も減少もしない（一般に５０％未満、好ましくは３５％未満、そして最も好ましくは２０％未満）。
３．組成物のｐＨが、２ｐＨ単位を超えて増加も減少もしない（好ましくは１単位以下、そして最も好ましくは１／２単位以下）。
４．組成物のレオロジーおよびテクスチャーが、経時的に許容不可能なそれまで有意に変化しない。
【０２４１】
本技術にしたがって作製した生成物または組成物は、上に列挙した基準の１つまたは複数を満たさない場合、不安定と見なされる。安定性試験要件に関するさらなる情報を、“Ｔｈｅ  Ｆｕｎｄａｍｅｎｔａｌｓ  ｏｆ  Ｓｔａｂｉｌｉｔｙ  Ｔｅｓｔｉｎｇ；ＩＦＳＣＣ  Ｍｏｎｏｇｒａｐｈ  Ｎｕｍｂｅｒ  ２”，ｐｕｂｌｉｓｈｅｄ  ｏｎ  ｂｅｈａｌｆ  ｏｆ  ｔｈｅ  Ｉｎｔｅｒｎａｔｉｏｎａｌ  Ｆｅｄｅｒａｔｉｏｎ  ｏｆ  Ｓｏｃｉｅｔｉｅｓ  ｏｆ  Ｃｏｓｍｅｔｉｃ  Ｃｈｅｍｉｓｔｓ  ｂｙ  Ｍｉｃｅｌｌｅ  Ｐｒｅｓｓ，Ｗｅｙｍｏｕｔｈ，Ｄｏｒｓｅｔ，Ｅｎｇｌａｎｄ，ａｎｄ  Ｃｒａｎｆｏｒｄ，Ｎｅｗ  Ｊｅｒｓｅｙ，Ｕ．Ｓ．Ａ．に見出すことができ、この文献は、本明細書中で参考として援用される。
【０２４２】
以下の略号および商品名を実施例で使用する。
【表７】
2019502800.tif 000015
【実施例】
【０２４３】
実施例１（比較）
モノマーの組成＝ＥＡ／ＭＡＡ（６５．５／３４．５）（重量％総モノマー）
直鎖状エマルジョンポリマーを以下のように調製した。モノマープレミックスを、２００グラムの脱イオン（ＤＩ）水、７．１７グラムのＳＬＳ、１７２．５グラムのＭＡＡ、３２７．５グラムのＥＡを混合することにより作製した。開始剤Ａを、０．３２グラムの過硫酸アンモニウム（ＡＰＳ）を１０グラムのＤＩ水に溶解させることによって作製した。開始剤Ｂを、０．３グラムのＡＰＳを７５グラムのＤＩ水および４．１７グラムのＳＬＳに溶解させることによって調製した。３リットル反応器に、７５０グラムのＤＩ水、６．６７グラムのＳＬＳを仕込んだ。次いで、反応器の内容物を、窒素ブランケット下で穏やかに撹拌しながら８５℃まで加熱した。反応器の内容物が８５℃に到達したとき、次いで、開始剤Ａを反応器に添加した。約２〜３分後、モノマープレミックスを反応槽に１２０分間にわたって計り入れた。同時に、開始剤Ｂを反応器に１２０分間にわたって計り入れた。反応器の内容物の温度を８５℃に維持した。開始剤Ｂの供給完了後、反応槽の内容物の温度を８５℃にさらに６０分間維持した。次いで、反応器の内容物を４９℃まで冷却した。０．６１グラムの７０％ＴＢＨＰと０．３８グラムのＳＬＳを１５グラムのＤＩ水中に含む溶液を反応器に添加した。５分後、０．５９グラムのエリソルビン酸を１５グラムのＤＩ水中に含む溶液を反応器に添加した。反応器の内容物を４９℃に維持した。３０分後、０．６４グラムの７０％ＴＢＨＰと０．２９グラムのＳＬＳを１５グラムのＤＩ水中に含む溶液を反応器に添加した。５分後、０．５９グラムのエリソルビン酸を１５グラムのＤＩ水中に含む溶液を反応器に添加した。反応器の内容物を４９℃に約３０分間維持した。次いで、反応器の内容物を室温（約２３℃）まで冷却し、１００ミクロン濾布に通して濾過した。得られたエマルジョンのｐＨは２．７であった。エマルジョンは、ポリマー固形分３１．４重量％、粘度３６ｃｐｓ、および粒径４５ｎｍを有していた。
【０２４４】
実施例２（比較）
モノマーの組成＝ＥＡ／ＭＡＡ（６５．５／３４．５）（重量％総モノマー）
直鎖状エマルジョンポリマーを、１６．６７グラムのＳｔｅｐａｎからのＰｏｌｙｓｔｅｐ  ＴＳＰ−１６Ｓ非反応性界面活性剤をモノマープレミックスに添加したことを除き、実施例１のように調製した。エマルジョン生成物は、ポリマー固形分３１．５重量％、粘度１７ｃｐｓ、および粒径５０ｎｍを有していた。
実施例３
モノマーの組成＝ＥＡ／ＭＡＡ／ＡＭ＊（６５．５／３４．５／１＊）（重量％総モノマー）（＊ＡＭ＝全一価不飽和モノマー重量に対して１重量％）
【０２４５】
エマルジョンポリマーを以下のように調製した。モノマープレミックスを、２００グラムのＤＩ水、５グラムの両親媒性マクロマー、７．１７グラムのＳＬＳ、１７２．５グラムのＭＡＡ、および３２７．５グラムのＥＡを混合することにより作製した。開始剤Ａを、０．３２グラムのＡＰＳを１０グラムのＤＩ水に溶解させることによって作製した。開始剤Ｂを、０．３グラムのＡＰＳを、４．１７グラムのＳＬＳを伴う７５グラムのＤＩ水に溶解させることによって調製した。３リットル反応器に、５５０グラムのＤＩ水、６．６７グラムのＳＬＳを仕込み、次いで、内容物を、窒素ブランケット下で穏やかに撹拌しながら８５℃まで加熱した。反応器の内容物が８５℃に到達したとき、開始剤Ａを反応器に添加した。約２〜３分後、モノマープレミックスを反応槽に１２０分間にわたって計り入れた。同時に、開始剤Ｂを反応器に１２０分間にわたって計り入れた。反応温度を８５℃に維持した。開始剤Ｂの供給完了後、反応の内容物の温度を８５℃にさらに６０分間維持した。次いで、反応器の内容物を４９℃まで冷却した。０．６１グラムの７０％ＴＢＨＰと０．３８グラムのＳＬＳを１５グラムのＤＩ水中に含む溶液を反応器に添加した。５分後、０．５９グラムのエリソルビン酸を１５グラムのＤＩ水中に含む溶液を反応器に添加した。反応器の内容物を４９℃に維持した。３０分後、０．６４グラムの７０％ＴＢＨＰと０．２９グラムのＳＬＳを１５グラムのＤＩ水中に含む溶液を反応器に添加した。５分後、０．５９グラムのエリソルビン酸を１５グラムのＤＩ水中に含む溶液を反応器に添加した。反応器の内容物を４９℃に約３０分間維持した。次いで、反応器の内容物を室温（約２３℃）まで冷却し、１００ミクロン濾布に通して濾過した。得られたエマルジョンのｐＨは２．６であった。エマルジョンは、ポリマー固形分３５．５重量％、粘度５６ｃｐｓ、および粒径６５ｎｍを有していた。
【０２４６】
実施例４
モノマーの組成＝ＥＡ／ＭＡＡ／ＡＭ＊／ＴＭＰＴＡ＊（６５．５／３４．５／１＊／０．３＊）（重量％総モノマー）（＊ＡＭ＝全一価不飽和モノマー重量に対して１重量％；＊ＴＭＰＴＡ  全一価不飽和モノマー重量に対して０．３重量％）
エマルジョンポリマーを、５グラムの両親媒性マクロモノマーおよび１．５グラムのＴＭＰＴＡをモノマープレミックスに添加したことを除き、実施例１と同様に調製した。エマルジョン生成物は、固形分３１．１５重量％、粘度１７ｃｐｓ、および粒径６１ｎｍを有していた。
【０２４７】
実施例Ａ
２．５グラム（１００％活性ポリマー固体）の実施例１〜４のポリマーを、１４重量％ＳＬＥＳ、３重量％ＣＡＰＢ（１００％活性物質に対して）、およびＤＩ水（１００重量％まで適量）を含む界面活性剤シャシに配合した。ポリマー配合物の各々のｐＨを、以下の表１に示すように、１８重量％（ｗ／ｗ）のＮａＯＨ水溶液を使用して、ポリマーを中和するように調整した。塩基中和後、ｐＨ調整した配合物の各々を、前述の試験方法に記載のプロトコルにしたがって、レオロジーおよび透明性について評価した。結果を、以下の表１に報告する。
【表１】
2019502800.tif 000016
【０２４８】
予想通り、比較例１および２の直鎖状（非架橋）ポリマーを含む界面活性剤組成物は、降伏応力特性を示さなかった。慣用的な架橋剤を使用しないが、多価不飽和両親媒性マクロモノマー分散剤の存在下で調製した開示の技術のポリマーを含む界面活性剤組成物は、降伏応力特性を示す。
【０２４９】
実施例５（比較）
ＥＡ／ＭＡＡ／ＴＭＰＴＡ＊（６５．５／３４．５／０．３＊）（重量％総モノマー）（＊ＴＭＰＴＡ  全一価不飽和モノマー重量に対して０．３重量％）
慣用的な架橋ＡＳＥポリマーレオロジー改変剤を以下のように調製した。モノマープレミックスを、８３．６グラムのＤＩ水、７．３３グラムのＳＬＳ、７５グラムのＭＡＡ、１４４．１グラムのＥＡ、および０．６６グラムのＴＭＰＴＡを混合することにより作製した。開始剤Ａを、０．１４グラムのＡＰＳを４．４グラムのＤＩ水に溶解させることによって作製した。１リットル反応器に、３８７．２グラムのＤＩ水、０．７グラムのＳＬＳを仕込んだ。次いで、内容物を、窒素ブランケット下で穏やかに撹拌しながら８７℃まで加熱した。反応器の内容物が８７℃に到達したとき、開始剤Ａを反応器に添加した。２〜３分後、モノマープレミックスを反応槽に７５分間にわたって計り入れた。反応温度を８７℃に維持した。モノマープレミックスの供給完了後、０．０５グラムのＡＰＳを８．４７グラムのＤＩ水中に含む溶液を反応器に添加し、反応器の内容物の温度を９０℃まで上昇させ、１５０分間維持した。次いで、反応器の内容物を４９℃まで冷却した。０．２７グラムの７０％ＴＢＨＰと０．１７グラムのＳＬＳを３．３グラムのＤＩ水中に含む溶液を反応器に添加した。５分後、０．２６グラムのエリソルビン酸を１３．２グラムのＤＩ水中に含む溶液を反応器に添加した。反応器の内容物を４９℃に約３０分間維持した。次いで、反応器を室温（約２３℃）まで冷却し、１００ミクロン濾布に通して濾過した。エマルジョンは、固形分２９．７重量％、９ｃｐｓの粘度、および粒径８３ｎｍを有していた。
【０２５０】
実施例６
モノマーの組成＝ＥＡ／ＭＡＡ／ＡＭ＊（６５．５／３４．５／１＊）（重量％総モノマー）（＊ＡＭ＝全一価不飽和モノマー重量に対して１重量％）
表２に記載のように、（重合性モノマー混合物中の１００重量部の一価不飽和モノマーに対して）１重量部の本技術の両親媒性マクロモノマーに、０．５重量部のＳＬＳおよび０．３重量部のＴＭＰＴＡから代えることを除き、比較例５と同一のレシピおよび手順にしたがってエマルジョンポリマーを調製した。
【表２】
2019502800.tif 000017
【０２５１】
実施例Ｂ
２．５グラム（１００％活性ポリマー固体）の実施例５および６のポリマーを、１４重量％ＳＬＥＳ、３重量％ＣＡＰＢ（１００％活性物質に対して）、およびＤＩ水（１００重量％まで適量）を含む界面活性剤シャシに配合した。ポリマー配合物の各々のｐＨを、以下の表３に示すように、１８重量％（ｗ／ｗ）のＮａＯＨ水溶液を使用して、ポリマーを中和するように調整した。塩基中和後、ｐＨ調整した配合物の各々を、前述の試験方法に記載のプロトコルにしたがって、レオロジーおよび透明性について評価した。結果を、表３に報告する。
【表３】
2019502800.tif 000018
【０２５２】
表３中のデータは、開示の技術の両親媒性マクロモノマーを用いて調製したＡＳＥポリマーは、慣用的な架橋ＡＳＥポリマーと比較して、界面活性剤含有組成物における濁度の値、透過性、および懸濁安定性に関して好ましく匹敵する一方で、同じ使用レベルでより良好な降伏応力特性および粘稠化効率を提供することを証明している。
【０２５３】
実施例７
実施例６および比較例５で調製したポリマーエマルジョンを、表４中に示したおよその近似標的重量で活性ポリマー固体の水性分散液のマスターバッチを得るために、表４に示した量のＤＩ水中に均一に分散させた。次いで、各マスターバッチを、４つの等しいアリコート（重量基準）にさらに分割した。各アリコートに２８％水酸化アンモニウムを添加して、ポリマーを表中に示した標的ｐＨ値まで中和した。ｐＨ調整後、ポリマー水溶液を室温（約２３℃）で一晩（およそ８時間）維持し、次いで、遠心分離によって脱気した。粘度を、スピンドル番号５を備えたＲＶＴ粘度計を使用して測定した。粘度が範囲外であった場合、より低い粘度についてはスピンドル番号４を使用し、より高い粘度についてはスピンドル番号６を使用した。粘度の結果を、表４に報告する。
【表４】
2019502800.tif 000019
【０２５４】
表４に示すように、両親媒性マクロモノマーから調製した実施例６のＡＳＥポリマーの水性分散液は、両親媒性マクロモノマーを使用せずに調製した従来の架橋ＡＳＥポリマーを含む水性分散液と比較した場合、広いｐＨ範囲にわたって１重量％および１重量％超の活性ポリマー固体のポリマー濃度の水溶液においてより良好な粘度値を呈する。表４中の粘度対ポリマー濃度のデータを、図２にプロットする。
【０２５５】
各標的ｐＨ値での各ポリマー濃度についての粘度比（実施例６の粘度／実施例５の粘度）を、表４中に含まれる粘度データを使用して計算した。ｐＨ８でポリマー濃度１．５重量％での粘度比についての例示的な計算は以下のとおりである：６６００（１．５重量％かつｐＨ８での実施例６の組成物の粘度）／４３８０（１．５重量％かつｐＨ８での実施例５の組成物の粘度）×１００＝１５０．７％。この比は、実施例６のポリマーを用いて粘稠化された組成物の粘度が、比較例５のポリマーを用いて粘稠化された組成物の粘度より５０．７％高いことを示す。各標的ｐＨ値での各ポリマー濃度についての粘度比を、表５に示す。
【表５】
2019502800.tif 000020
【０２５６】
全標的ｐＨ値について１重量％および１重量％超の全ポリマー濃度で、開示の技術の両親媒性マクロモノマーから調製したＡＳＥポリマーは、慣用的な架橋剤を使用して調製したＡＳＥポリマーと比較して、改善された粘稠化効率を提供する。
【図１】
2019502800.tif 000027
【図２】
2019502800.tif 000028
【国際調査報告】
2019502800.tif 000029
2019502800.tif 000030
2019502800.tif 000031
2019502800.tif 000032